(57)【要約】【課題】情報提供者にとっては、広告効果の高い宣伝をすることができ、情報を欲するユーザーにとっては、自身の望む条件にあった情報を入手できるようにするため、双方の情報の共有を自動的に図ることを可能にする。【解決手段】携帯端末１よりユーザーの欲する情報を発信し、基地局の通信範囲毎に設置された基地局に値する無線データ通信装置３でそれを受信し、ユーザー情報蓄積部６に携帯端末１から送信され、無線データ通信装置３を介して得られたシーケンシャルデータを保持し、情報提供者は、ユーザー情報蓄積部６をデータベースとし、店舗や商品の情報を配信するのに最も適した無線データ通信装置３を選択し、その情報を選択した無線データ通信装置３から配信し、ユーザーは、自身の欲する情報の条件を設定し、情報提供者が配信する情報の中から条件にあったものを受信する。【選択図】図１
2007286708.tif 000002
【特許請求の範囲】
【請求項１】
インターネットに接続可能な一般的な通信端末と、無線通信ができる基地局である無線データ通信装置と、ユーザーの個人情報を保持するユーザー管理部と、情報提供者の個人情報や、情報提供者が配信する情報（第一情報）を配信する際の設定に必要なソフトウェアやシステムを持つ情報提供者管理部と、データベースを作成、及び保持するユーザー情報蓄積部がインターネットを介してつながっており、ユーザーの欲する情報（第二情報）を検索する条件を設定するソフトウェアやシステムをもつ携帯端末が前記無線データ通信装置と無線で通信を行う構成となる自動情報配信システムにおいて、
前記携帯端末は、ユーザーの情報を保持するメモリ、発信した時刻を保持するメモリ、第二情報の条件を保持するメモリなどデータベース作成に必要なデータを有し、それらを一まとまりとしたシーケンシャルデータを外部に発信し、前記携帯端末のデータの通信範囲にある前記無線データ通信装置が、それらデータを受信すると、前記無線データ通信装置は、前記無線データ通信装置の位置情報をそのシーケンシャルデータに加えて、前記ユーザー情報蓄積部に送信し、前記ユーザー情報蓄積部はその受け取ったシーケンシャルデータをメモリに保持し、データベースを作る仕組みを持つことを特徴とする自動情報配信システム。
【請求項２】
請求項１に記載の自動情報配信システムにおいて、
情報提供者が前記通信端末を利用し、インターネットを介して、前記ユーザー情報蓄積部にアクセスし、ユーザーに対する条件、情報を配信する時間帯、第二情報に対する条件、第一情報を配信したい地理的範囲を参照することによって、設定した時間帯に、設定した地理的範囲にある前記無線データ通信装置の近くを通過し、且つユーザーの条件に合致し、且つ第一情報に対する条件に合致したユーザーの人数を前記無線データ通信装置別にインターフェースに表示し、情報提供者は、それを参考にして、第一情報を配信するのに最適な前記無線データ通信装置を選び出す仕組みを持つことを特徴とする自動情報配信システム。
【請求項３】
請求項１又は２に記載の自動情報配信システムにおいて、
情報提供者が第一情報と、ユーザーに対する条件、第一情報を配信する時間帯、第一情報に対する条件、第一情報を配信する前記無線データ通信装置を選択し終えると、それらを一まとまりとしたシーケンシャルデータを前記情報提供者管理部内にあるメモリに保持させ、それら条件に全て合致した情報を欲するユーザーの前記携帯端末に対し、第一情報のデータを前記携帯端末に自動的に配信する仕組みを持つことを特徴とする自動情報配信システム。
【請求項４】
請求項１、２又は３に記載の自動情報配信システムにおいて、
ユーザーが前記携帯端末を利用し、第二情報の条件を設定し、その条件に合致する第一情報を前記携帯端末で受信し、保持し、閲覧する仕組みを持つことを特徴とする自動情報配信システム。
【請求項５】
請求項１、２、３又は４に記載の自動情報配信システムにおいて、
情報提供者が前記通信端末を利用し、インターネットを介して前記情報提供者管理部にアクセスすることで、情報提供者が自分で容易に前記ユーザー情報蓄積部に保持されたデータベースを閲覧し、第一情報の配信設定をすることができる仕組みを持つことを特徴とする自動情報配信システム。
【発明の詳細な説明】
【技術分野】
【０００１】
本発明の目的は、情報提供者がユーザーに対して効率よく情報を配信するシステムを提供することにある。この目的を達成する為、本発明はインターネットへと接続を可能にする携帯端末を構成する諸技術、およびインターネットを用いた情報通信や情報処理を確立している総ての技術や自動情報配信システムに関するものである。
【背景技術】
【０００２】
現在、インターネット又は携帯電話機を用いたマーケティング方法には、オプトインメール型や特典提供型などその方法によって様々なタイプがある。オプトインメール型とは事前にダイレクトメールの受け取りを了承したユーザーに電子メールによるダイレクトメールを送信するマーケティング方法である。ユーザーは多数の情報の中から、予め興味のある項目等を選び、その項目等についての情報を電子メールで受け取ることができる。特典提供型とは、バナー広告やオプトインメールを受信する代償として、その受信実績によりポイント等の特典をユーザーに提供したり、ユーザーが検索するキーワードを基に最適な広告のリンクを検索結果と同時にウェブブラウザーに表示し、ユーザーがそのリンクに入ることを期待するマーケティング方法である。
【特許文献１】特開２００４−１９２４８４号公報
【特許文献２】特開２００４−１５７４９９号公報
【発明の開示】
【発明が解決しようとする課題】
【０００３】
しかしながら、このようなオプトインメール型、及び特典提供型のマーケティング方法では、携帯電話機が双方向通信可能な媒体であることや、携帯電話機が常時携帯される確立が高いといった特徴を最大限に利用できていない。
【０００４】
オプトインメールでは、ダイレクトメールの受け取りを承諾した時点でユーザーが欲しがっていた情報しか入手することができず、時間や場所を認識しないため、常時携帯する携帯電話を利用してユーザーが情報を欲したそのときに情報を配信することができない。その結果、ユーザーに広告を配信しても一度も見られずに消去されてしまうことや、ユーザーが情報を欲しいと思ったときにはすでにその情報は消去してしまっていたということも起こる。
【０００５】
次に、特典提供型であるが、通常大多数のユーザーは、自分が欲しいと思った情報以外には興味を持たず、特典をつけた広告をユーザーに配信しても特典をつけた広告は飛ばしてしまい、結局ユーザーには見られないことが多い。したがって、マーケティングを行うものは、いつ、どこで、誰が、何を欲しているかを知ることにより効率よくターゲットとするユーザーに対して情報を配信する必要がある。
【０００６】
本自動情報配信システムの目的は、情報提供者が配信しようとする情報にあった配信場所をいつ、どこで、誰が、何を欲していたかという情報をもったデータベースを利用することにより、ユーザーに対して効率よく情報を配信する自動情報配信システムを提供することである。
【課題を解決するための手段】
【０００７】
上記課題を解決するため、請求項１に記載の発明は、インターネットに接続可能な一般的な通信端末と、無線通信ができる基地局である無線データ通信装置と、ユーザーの個人情報を保持するユーザー管理部と、情報提供者の個人情報や、情報提供者が配信する情報（第一情報）を配信する際の設定に必要なソフトウェアやシステムを持つ情報提供者管理部と、データベースを作成、及び保持するユーザー情報蓄積部がインターネットを介してつながっており、ユーザーの欲する情報（第二情報）を検索する条件を設定するソフトウェアやシステムをもつ携帯端末が前記無線データ通信装置と無線で通信を行う構成となる自動情報配信システムにおいて、
前記携帯端末は、ユーザーの情報を保持するメモリ、発信した時刻を保持するメモリ、第二情報の条件を保持するメモリなどデータベース作成に必要なデータを有し、それらを一まとまりとしたシーケンシャルデータを外部に発信し、前記携帯端末のデータの通信範囲にある前記無線データ通信装置が、それらデータを受信すると、前記無線データ通信装置は、前記無線データ通信装置の位置情報をそのシーケンシャルデータに加えて、前記ユーザー情報蓄積部に送信し、前記ユーザー情報蓄積部はその受け取ったシーケンシャルデータをメモリに保持し、データベースを作る仕組みを持つことを特徴とする。
【０００８】
また、請求項２に記載の発明は、請求項１に記載の自動情報配信システムにおいて、
情報提供者が前記通信端末を利用し、インターネットを介して、前記ユーザー情報蓄積部にアクセスし、ユーザーに対する条件、情報を配信する時間帯、第二情報に対する条件、第一情報を配信したい地理的範囲を参照することによって、設定した時間帯に、設定した地理的範囲にある前記無線データ通信装置の近くを通過し、且つユーザーの条件に合致し、且つ第一情報に対する条件に合致したユーザーの人数を前記無線データ通信装置別にインターフェースに表示し、情報提供者は、それを参考にして、第一情報を配信するのに最適な前記無線データ通信装置を選び出す仕組みを持つことを特徴とする。
【０００９】
また、請求項３に記載の発明は、請求項１又は２に記載の自動情報配信システムにおいて、
情報提供者が第一情報と、ユーザーに対する条件、第一情報を配信する時間帯、第一情報に対する条件、第一情報を配信する前記無線データ通信装置を選択し終えると、それらを一まとまりとしたシーケンシャルデータを前記情報提供者管理部内にあるメモリに保持させ、それら条件に全て合致した情報を欲するユーザーの前記携帯端末に対し、第一情報のデータを前記携帯端末に自動的に配信する仕組みを持つことを特徴とする。
【００１０】
また、請求項４に記載の発明は、請求項１、２又は３に記載の自動情報配信システムにおいて、
ユーザーが前記携帯端末を利用し、第二情報の条件を設定し、その条件に合致する第一情報を前記携帯端末で受信し、保持し、閲覧する仕組みを持つことを特徴とする。
【００１１】
また、請求項５に記載の発明は、請求項１、２、３又は４に記載の自動情報配信システムにおいて、
情報提供者が前記通信端末を利用し、インターネットを介して前記情報提供者管理部にアクセスすることで、情報提供者が自分で容易に前記ユーザー情報蓄積部に保持されたデータベースを閲覧し、第一情報の配信設定をすることができる仕組みを持つことを特徴とする。
【発明の効果】
【００１２】
請求項１に記載の発明によれば、情報提供者は、前記ユーザー情報蓄積部を参照することにより特定のユーザーや、場所、時間を絞って第一情報を配信することができ、ユーザーは、自分で条件を設定して得られる第二情報のみを受信するため、配信された第一情報が、ユーザーが欲する第二情報である確立が高くなるという優れた効果が得られる。
【００１３】
また、情報提供者にとって、本自動情報配信システムのデータベースを用いれば、いつ、どこで、誰が、なにを欲していたかを統計的に把握できるため、情報を提供する情報提供者は、いつ、どこで、誰に、その情報を配信すればその情報を利用してくれるユーザーが多いだろうという予測が立てやすくなる。
【００１４】
また、請求項２に記載の発明によれば、前記無線データ通信装置のデータ通信範囲に区切って情報を収集できるため、その無線データ通信装置のデータ通信範囲がデータ収集範囲となる。仮に、基地局に対し、500ｍの通信範囲がある場合、ユーザーの要望を半径500ｍ毎に把握できるマーケティングが可能になる。
【００１５】
また、請求項３に記載の発明によれば、前記情報提供者管理部内部に各種情報提供者が設定した条件が保持されており、ユーザーから配信されていた情報は、前記無線データ通信装置を介して前期情報提供者管理部に送信され、参照されるため、ユーザーは、自分が設定した条件に合致した情報のみを受信することができ、情報提供者は、自分が設定した条件に合致したユーザー、場所、時間にのみ情報を送信することができる。
【００１６】
また、請求項４に記載の発明によれば、前記携帯端末は、受信したデータを保持するメモリと、閲覧用のインターフェースを持つため、ユーザーが必要な第二情報を前記携帯端末に保持し、閲覧することができる。
【００１７】
また、請求項５に記載の発明によれば、情報提供者は、第三者が介入することなく第一情報の配信設定をすることができるため、第三者に情報が知れるということもなくなる。また、第三者が介入しないため、コストも下げることができる。
【発明を実施するための最良の形態】
【００１８】
図１は、本発明である自動情報配信システムの全体構成を示す図である。
【００１９】
本自動情報配信システムは、各ユーザーが個々に所有し、ユーザーが設定した自身の欲する情報の条件データを外部に無線で発信する携帯端末１（及び、その集団である携帯端末群）と、各情報提供者が、ユーザーに対して配信したい情報をいつ、どこで、誰に配信するかという条件を設定するために用いられる通信端末２（及び、その集団である通信端末群）と、携帯端末１が無線で発信したデータを受信する無線データ通信装置３（及び、無線データ通信装置群）と、ユーザーの利用登録状況などを管理する情報を保持するユーザー管理部４と、情報提供者の利用登録などを管理する情報や通信端末２を利用して情報提供者が設定したデータを保持し、携帯端末１から送信されてきたデータと情報提供者が設定したデータを参照し、それらが合致した場合に、無線データ通信装置３を介し携帯端末１に情報を配信する指示を出す情報提供者管理部５と、携帯端末１から無線データ通信装置３を介して収集した情報をデータベース化するユーザー情報蓄積部６がそれぞれインターネット７を介して相互通信可能な構成になっている。
【００２０】
尚、上記に加え、無線データ通信装置３は、携帯端末１に情報を送信するシステムも併せて持ち合わせ、携帯端末１は、配信されてきた情報を受信するシステムも持ち合わせる。
【００２１】
本自動情報配信システムは、配信しようとする情報を持つ情報提供者が、その情報をいつ、どこで、誰に配信するのが一番効率がよいかをユーザーから配信されてくる情報を蓄積したデータベースを基に調べ、その情報提供者が設定した情報をターゲットとするユーザーに受信させるのに一番効率のよい時間帯、場所、ユーザーの年齢や性別を決定することができる。また、ユーザーは、自分の欲する情報に対して条件を設定することにより、その設定された条件に当てはまる情報を入手することができる相互通信システムである。
【００２２】
また、下記に挙げるインターフェースの種類や各種インターフェース上の設定項目及び、各種情報保持部の種類や容量を増やすことにより、ユーザーにとってはより自身の欲する要望にあった情報を検索できるようになり、情報提供者にとってはより細かな情報収集やより最適なユーザーに情報を提供することができるようになる。
【００２３】
ユーザーは、飲食情報、賃貸情報、求人情報、あるいは任意のキーワードに関する情報を検索するために本自動情報配信システムを利用する際、携帯端末１を利用し、内部に保持された各種インターフェースを設定する必要がある。今回は、例として上記の飲食情報、賃貸情報、求人情報、あるいは任意のキーワードに関する情報を検索する方法を載せる。
【００２４】
尚、今回例としてあげる各種インターフェースの他にも、インターフェースの種類やインターフェース上の設定項目の種類を増やすことよりより自身の欲する要望にあった情報を検索することが可能になる。
【００２５】
また、各種図に示した各種データ保持部は、メモリーなどのデータ保持機能を持ったデバイスにまとめて保持することや、他のモジュールに付加することも可能である。
【００２６】
ユーザーが各種インターフェースを設定し終わると、携帯端末１は、ユーザーのユーザーID（アイディー）データ、ユーザーパスワードデータ、年齢データ、性別データ、携帯端末識別番号データ、発信時刻データ、各種情報検索インターフェースで設定された各種データを一まとまりとしたシーケンシャルデータを作り、外部に発信する。
【００２７】
情報提供者は、ユーザーに飲食情報、賃貸情報、求人情報、あるいは任意のキーワードに関する情報を配信するために本自動情報配信システムを利用する際、通信端末２を利用し、情報提供者管理部５に保持される各種インターフェースを呼び出し、提供する情報と、その情報を配信する範囲と、配信する時間帯と、配信するユーザー年齢や性別などのユーザーに対する条件と、自分の提供する情報に応じて、飲食情報や賃貸情報や求人情報やキーワードなど各種情報設定インターフェース上にある項目を設定する必要がある。
【００２８】
今回は、例として上記の飲食情報、賃貸情報、求人情報、あるいは任意のキーワード、及びその情報を配信する範囲と、配信する時間帯と、配信するユーザー年齢や性別などのユーザーに対する条件、提供する情報を設定する方法を載せる。尚、今回例としてあげる各種インターフェースの他にも、インターフェースの種類やインターフェース上の設定項目の種類を増やすことよりより自身の欲する要望にあった内容を設定することが可能になる。
【００２９】
また、それらを基に、過去に本自動情報配信システムを利用したユーザーの情報やユーザーの検索内容や携帯端末１からデータを受信した時間、無線データ通信装置３の位置情報をデータとして持つユーザー情報蓄積部６に蓄積されたデータを参照することで、情報提供者は、自分の提供したい情報を配信するのに最適な無線データ通信装置３を選び出し、情報配信の準備を完了する。
【００３０】
携帯端末１がデータを発信するデータと、情報提供者が設定したデータが合致した場合、情報提供者が提供する情報のデータをユーザーの携帯端末１が受信する。
【００３１】
下記の説明に使う参照のための図に記載されているフローチャートに利用する関数に関して、以下に定義をする。
.CLICKED  →定数的なボタンが選択されたことを示す。
.SELECTED  →変数的なボタンが選択されたことを示す。
GO TO YES IF A = B   →変数データAが変数データBと合致もしくは、適合する場合、YESに向かう。また、合致しない場合は、NOに向かい、次のデータの参照を行う。
ADD B TO A  →  変数データAの後ろに変数データBを加え、変数データAと変数デ−タBが一まとまりとなったシーケンシャルデータを作る。
PUT A TO C   →  変数データAを変数データBに保持させる。
CALL FOR A  →  変数データAを呼び出す。
COUNT A   →  変数データAを受信した数を数える。
SHOW A TO B →  変数データAをBに表示させる。
※Bは、インターフェース上にあるデータを表示させる部分である。
【００３２】
図２は、本自動情報配信システムを構成する携帯端末１の構成例を示す。携帯端末１は、ユーザーがユーザー登録を行った際に取得したユーザーID（アイディー）を保持するユーザーID保持部1aとユーザーパスワードを保持するユーザーパスワード保持部1bと、それらユーザー登録をする際に利用するユーザー登録フォームを保持するユーザー登録フォーム保持部1cと、ユーザーがユーザー登録をした際に設定した生年月日を保持するユーザー生年月日保持部1dと、現在の日にちや時刻のデータを保持する時刻情報保持部1eと、それら生年月日データと、日にちや時刻のデータから自動的にユーザーの年齢を計算し、ユーザーの年齢データを保持するユーザー年齢保持部1fと、ユーザーがユーザー登録をした際に設定したユーザーの性別データを保持するユーザー性別保持部1gと、携帯端末１が固有に持つ識別番号データを保持する携帯端末識別番号保持部1hなど、ユーザーの個人情報を保持するようになっている。上記に述べた各種データ保持部は、携帯端末１以外の別メモリに保持されてあってもかまわない。
【００３３】
また、ユーザーが飲食情報を検索しようとする際にそれらの条件を設定するのに利用する飲食情報検索インターフェース1i1を保持する飲食情報検索インターフェース保持部1iと、ユーザーが賃貸情報を検索しようとする際にそれらの条件を設定する賃貸情報検索インターフェース1j1を保持する賃貸情報検索インターフェース保持部1jと、ユーザーが求人情報を検索しようとする際にそれらの条件を設定するのに利用する求人情報検索インターフェース1k1を保持する求人情報検索インターフェース保持部1kと、ユーザーが任意のキーワードを設定することにより情報を検索しようとする際に利用するキーワード検索インターフェース1l1を保持するキーワード検索インターフェース保持部1lと、それら情報検索インターフェースを利用し設定されたデータを保持する検索データ保持部1mなど、ユーザーが欲する情報の種類ごとに各種情報を検索するためのインターフェースを保持し、さらにそこで設定したデータを保持するようになっている。
【００３４】
また、ユーザーが、上記の各種情報を検索するためのインターフェースで設定した条件から検索した結果、得られたデータを保持する受信データ保持部1nと、それら受信したデータを一覧表示する受信データ選択インターフェース1o1を保持する受信データ選択インターフェース保持部1oと、受信データ選択インターフェース1o1で選択した受信データを表示する受信データ表示インターフェース1p1を保持する受信データ表示インターフェース保持部1pをもち、検索した結果得られたデータを携帯端末１内部に保持し、表示するようになっている。
【００３５】
携帯端末１は、上記のほかに中央演算処理部1q、入力キー1r、音声出力部1s、表示部1t、無線データ通信装置３と無線でデータ通信を行う無線データ通信モジュール1u及び電源供給部1vで構成される。
【００３６】
続いて、上記に述べた携帯端末1を構成する各種パーツに関して説明する。
【００３７】
ユーザーＩＤ保持部1aは、ユーザー管理部４が持つユーザーID・パスワード付与部4a（後に述べる。）により割り振られたユーザーＩＤデータを保持する部分である。ユーザーＩＤ保持部1aに保持されるユーザーIDデータは、MBUIDという変数名を持つ。
【００３８】
ユーザーパスワード保持部1bは、ユーザー管理部４が持つユーザーID・パスワード付与部4a（後に述べる。）により割り振られたパスワードデータを保持する部分である。ユーザーパスワード保持部1bに保持されるユーザーのユーザーパスワードデータは、MBPSWという変数名を持つ。
【００３９】
ユーザー登録フォーム保持部1cは、図３に示すユーザーが本自動情報配信システムを利用する際に必要なユーザーの情報を入力するユーザー登録フォーム1c1を保持する部分である。ユーザー登録フォーム1c1は、ユーザーの氏名を入力する氏名入力部1c2と、ユーザーの生年月日を入力する生年月日入力部1c3と、ユーザーの性別を入力する性別入力部1c4、及び決定ボタン1c5で構成される。ユーザー登録フォーム保持部1cに保持されるユーザー登録フォームデータは、MBFRIという変数名を持つ。また、ユーザー登録フォーム1c1の入力例を図４に示す。
【００４０】
ユーザー登録フォーム1c1でユーザーが設定した氏名データ、生年月日データ、性別データが一まとまりになったシーケンシャルデータは、MBFRMという変数名を持つ。
【００４１】
氏名入力部1c2は、ユーザー登録フォーム1c1上にあるユーザーの氏名を入力する部分である。例えば、ユーザーの名前が、○下○雄であった場合、○下○雄と入力する。氏名入力部1c2で設定した氏名データは、MBFRMNMという変数名を持つ。
【００４２】
生年月日入力部1c3は、ユーザー登録フォーム1c1上にあるユーザーの生年月日を入力する部分である。例えば、ユーザーの生年月日が1980年9月5日であった場合、19800905と入力する。生年月日入力部1c3で設定した生年月日データは、MBFRMBRという変数名を持つ。
【００４３】
性別入力部1c4は、ユーザー登録フォーム1c1上にあるユーザーの性別を入力する部分である。例えば、ユーザーの年齢が、男性である場合、男にチェックを入れる。性別入力部1c4で設定した性別データは、MBFRMSXという変数名を持つ。
【００４４】
また、図４に示すようにユーザー登録フォームを設定してから、決定ボタン1c5を押すと、携帯端末１の中央演算処理部1qは、ユーザーがユーザー登録フォーム1c1上にある氏名入力部1c2、生年月日入力部1c3、性別入力部1c4で設定したデータを一まとまりにしたシーケンシャルデータを作り、ユーザー管理部４に送信する。ユーザー管理部４の内部にあるユーザー登録フォーム1c1上にある決定ボタン1c5は、MBFRMBTという名称を持つ。
【００４５】
ユーザー生年月日保持部1dは、ユーザーがユーザー登録の際に、ユーザー登録フォーム1c1で設定した生年月日をデータとして保持する部分である。ユーザー生年月日保持部1dに保持されるユーザーの生年月日データは、MBBRTという変数名をもつ。
【００４６】
時刻情報保持部1eは、現在の日付、曜日、時刻をデータとして保持する部分である。時刻情報保持部1eに保持される時刻情報データは、MBHORという変数名を持つ。
【００４７】
ユーザー年齢保持部1fは、ユーザー生年月日保持部1dに保持されたユーザーの生年月日のデータと、時刻情報保持部1eに保持された現在時刻のデータを参照することにより、ユーザーの年齢を割り出し、ユーザーの年齢の情報をデータとして保持する部分である。ユーザー年齢保持部1fに保持されるユーザーの年齢データは、MBAGEという変数名を持つ。
【００４８】
ユーザー性別保持部1gは、ユーザーがユーザー登録の際に、ユーザー登録フォーム1c1で設定した性別をデータとして保持する部分である。ユーザー性別保持部1gに保持されるユーザーの性別データは、MBSEXという変数名を持つ。
【００４９】
携帯端末識別番号保持部1hは、携帯端末１が固有に持つ携帯端末１を識別する番号をデータとして保持する部分である。携帯端末識別番号データは、ユーザーが設定するものではなく、予め携帯端末識別番号保持部1hに保持されている。また、携帯端末識別番号は既存のネットワーク上にある携帯端末固有の番号、もしくは符号でもよい。携帯端末識別番号保持部1hに保持される携帯端末識別番号データは、MBIDという変数名を持つ。
【００５０】
飲食情報検索インターフェース保持部1iは、図５に示すユーザーが飲食の情報を検索する場合にその条件を設定する飲食情報検索インターフェースをデータとして保持する部分である。飲食情報検索インターフェース保持部1iに保持された飲食情報検索インターフェースデータは、MBFDIという変数名を持つ。また、飲食情報検索インターフェース1i1の入力例を図６に示す。
【００５１】
飲食情報検索インターフェース1i1は、ユーザーが希望する、飲食店でのおおまかな予算を設定する予算設定部1i2と、飲食店の業態を設定する食事の業態設定部1i3と、飲食店のサービスを設定するサービス設定部1i4と、ユーザーが任意の単語や文章を設定できるフリーワード設定部1i5と、決定ボタン1i6で構成される。
【００５２】
また、ユーザーが、飲食情報検索インターフェース1i1の予算設定部1i2で設定した予算データと、食事の業態設定部1i3で設定した食事の業態データと、サービス設定部1i4で設定したサービスデータと、フリーワード設定部1i5で設定したフリーワードデータ1i5を一まとまりにしたシーケンシャルデータは、MBFODという変数名を持つ。
【００５３】
予算設定部1i2は、ユーザー一人分の食費の予算を設定する部分である。例えば、ユーザーが「下限1000円、上限3000円」と設定することにより、情報提供者が経営する飲食店に関する情報を設定する飲食情報設定インターフェース5i1（後に述べる）で、飲食店での一人分の食事の、おおよその予算を設定する予算設定部5i2を2000円に設定している店を検索することができる。飲食情報検索インターフェース1i1を構成する予算設定部1i2でユーザーが設定した予算データは、MBFODBDという変数名を持つ。
【００５４】
食事の業態設定部1i3は、ユーザーの欲する食事の種類を設定する部分である。例えば、ユーザーが和食、中華、洋食の中の「和食」を選択した場合、情報提供者が経営する飲食店に関する情報を設定する飲食情報設定インターフェース5i1（後に述べる）を構成する、飲食店の食事の業態を設定する食事の業態設定部5i3を「和食」と設定している店を検索することができる。飲食情報検索インターフェース1i1を構成する食事の業態設定部1i3でユーザーが設定した食事の業態データは、MBFODTYという変数名を持つ。
【００５５】
サービス設定部1i4は、ユーザーが欲する飲食店に対するサービスを選択する部分である。例えば、ユーザーは個室用意、ペットOK、クーポン、食べ放題、禁煙室、子連れOKのいずれかのサービスの中から「個室用意」を選択した場合、情報提供者が経営する飲食店に関する情報を設定する飲食情報設定インターフェース5i1（後に述べる）を構成する、飲食店の提供するサービスを設定するサービス設定部5i4で、「個室用意」と設定している店を検索することができる。飲食情報検索インターフェース1i1を構成するサービス設定部1i4でユーザーが設定したサービスデータは、MBFODOPという変数名を持つ。
【００５６】
フリーワード設定部1i5は、ユーザーが検索する飲食店に対する要望を任意の単語や文章で設定できる部分である。例えば、ユーザーが「誕生日」と設定すると、同じく、飲食情報設定インターフェース5i1（後に述べる。）で情報提供者が「誕生日」と設定してある飲食店の情報を入手できる。飲食情報検索インターフェース1i1を構成するフリーワード設定部1i5でユーザーが設定したフリーワードデータは、MBFODFRという変数名を持つ。
【００５７】
また、図６のようにユーザーが飲食情報検索インターフェース1i1を設定し終え、決定ボタン1i6を押した場合の、携帯端末１の中央演算処理部1qのデータ処理を示したフローチャートを図７に示し、以下に説明する。
【００５８】
ユーザーが飲食情報検索インターフェース1i1上にある決定ボタン1i6を押すと、携帯端末１の中央演算処理部1qは、ユーザーが飲食情報検索インターフェース1i1で設定した予算データと、食事の業態データを呼び出し、食事の業態データを予算データの後ろに加える。
【００５９】
続いて、サービスデータを呼び出し、食事の業態データの後ろに加える。続いて、フリーワードデータを呼び出し、サービスデータの後ろに加える。携帯端末１の中央演算処理部1qが、上記のように予算データと、食事の業態データと、サービスデータと、フリーワードデータを一まとまりにしたシーケンシャルデータを作ると、携帯端末１内部の検索データ保持部1mに保持させる。
【００６０】
次に、賃貸情報検索インターフェース保持部1jは、図８に示すユーザーが賃貸物件の情報を検索する場合にその条件を設定する賃貸情報検索インターフェースをデータとして保持する部分である。賃貸情報検索インターフェース保持部1jに保持された賃貸情報検索インターフェースデータは、MBRNIという変数名を持つ。また、賃貸情報検索インターフェース1j1の入力例を図９に示す。
【００６１】
賃貸情報検索インターフェース1j1は、ユーザーが希望する建物の家賃を設定する家賃設定部1j2と、ユーザーが希望する建物の築年数を設定する築年数設定部1j3と、ユーザーが希望する建物の種別を設定する建物種別設定部1j4と、ユーザーが希望する建物の間取りを設定する間取り設定部1j5と、ユーザーが希望する建物の付属条件を設定する付属条件設定部1j6と、ユーザーが任意の単語や文章を設定できるフリーワード設定部1j7と、決定ボタン1j8で構成される。
【００６２】
また、賃貸情報検索インターフェース1j1の家賃設定部1j2でユーザーが設定した家賃データと、築年数設定部1j3で設定した築年数データと、建物種別設定部1j4で設定した建物種別データと、間取り設定部1j5で設定した間取りデータと、付属条件設定部1j6で設定した付属条件データと、フリーワード設定部1j7で設定したフリーワードデータを一まとまりにしたシーケンシャルデータは、MBRNTという変数名を持つ。
【００６３】
家賃設定部1j2はユーザーの希望する賃貸物件の家賃を選択する部分である。例えば、ユーザーが「下限50000円、上限60000円」と設定した場合、情報提供者が所有する賃貸物件に関する情報を設定する賃貸情報設定インターフェース5j1（後に述べる）上の賃貸物件の家賃を設定する家賃設定部5j2で、「55000円」に設定している賃貸物件を検索することができる。賃貸情報検索インターフェース1j1上の家賃設定部1j2でユーザーが設定した家賃データは、MBRNTRNという変数名を持つ。
【００６４】
築年数設定部1j3はユーザーが希望する賃貸物件の築年数を選択する部分である。例えば、ユーザーが新築、3年以内、5年以内、10年以内、指定なしの中から「3年以内」を選択した場合、情報提供者が所有する賃貸物件に関する情報を設定する賃貸情報設定インターフェース5j1（後に述べる）を構成する、賃貸物件の築年数を設定する築年数設定部5j3「3年以内」と設定している賃貸物件を検索することができる。賃貸情報検索インターフェース1j1上の築年数設定部1j3でユーザーが設定した築年数データは、MBRNTAGという変数名を持つ。
【００６５】
建物種別設定部1j4はマンションやアパートなどから賃貸物件の種別を選択する部分である。例えば、マンション、アパート、一戸建ての中から、「アパート」を選択した場合、情報提供者が所有する賃貸物件に関する情報を設定する賃貸情報設定インターフェース5j1（後に述べる）を構成する、賃貸物件の建物種別を設定する建物種別設定部5j4で「アパート」と設定した賃貸物件を検索することができる。賃貸情報検索インターフェース1j1上の建物種別設定部1j4でユーザーが設定した建物種別データは、MBRNTTYという変数名を持つ。
【００６６】
間取り設定部1j5は部屋の間取りを選択する部分である。例えば、ユーザーが１R、１K／１DK、１LDK、2K／2DK、2LDK、3k／3DK、3LDK、4K以上の中から「1LDK」を選択した場合、情報提供者が所有する賃貸物件に関する情報を設定する賃貸情報設定インターフェース5j1（後に述べる）を構成する、賃貸物件の間取りを設定する間取り設定部5j5で「1LDK」と設定した賃貸物件を検索することができる。賃貸情報検索インターフェース1j1上の間取り設定部1j5でユーザーが設定した間取りデータは、MBRNTLYという変数名を持つ。
【００６７】
付属条件設定部1j6は物件の付属条件を選択する部分である。例えば、１階、2階以上、南部屋、駐車場、エアコンつき、角部屋、バス・トイレ別の中からユーザーが、「エアコンつき」を選択した場合、情報提供者が所有する賃貸物件に関する情報を設定する賃貸情報設定インターフェース5j1（後に述べる）を構成する、賃貸物件の付属条件を設定する付属条件設定部5j6で、「エアコンつき」と設定した賃貸物件を検索することができる。賃貸情報検索インターフェース1j1上の付属条件設定部1j6でユーザーが設定した付属条件データは、MBRNTOPという変数名を持つ。
【００６８】
フリーワード設定部1j7はユーザーが任意に単語や文章を設定することができる部分である。例えば、ユーザーが「オートロック」と設定すると、同じく、賃貸情報設定インターフェース5j1（後に述べる。）で情報提供者が「オートロック」と設定してある賃貸物件の情報を入手できる。賃貸情報検索インターフェース1j1上のフリーワード設定部1j7でユーザーが設定したフリーワードデータは、MBRNTFRという変数名を持つ。
【００６９】
また、図９のように、ユーザーが賃貸情報検索インターフェース1j1を設定し終え、決定ボタン1j8を押した場合の、携帯端末１の中央演算処理部1qのデータ処理を示したフローチャートを図１０に示し、以下に説明する。
【００７０】
ユーザーが賃貸情報検索インターフェース1j1上にある決定ボタン1j8を押すと、携帯端末１内部の中央演算処理部1qは、ユーザーが賃貸情報検索インターフェース1j1で設定した家賃データと、築年数データを呼び出し、築年数データを家賃データの後ろに加える。
【００７１】
続いて、建物種別データを呼び出し、築年数データの後ろに加える。続いて、間取りデータを呼び出し、建物種別データの後ろに加える。続いて、付属条件データを呼び出し、間取りデータの後ろに加える。続いて、フリーワードデータを呼び出し、付属条件データの後ろに加える。続いて、携帯端末１の中央演算処理部1qが、上記のように家賃データと、築年数データと、建物種別データと、間取りデータと、付属条件データと、フリーワードデータを一まとまりにしたシーケンシャルデータを作ると、携帯端末１内部の検索データ保持部1mに保持させる。
【００７２】
次に、求人情報検索インターフェース保持部1kは、図１１に示すユーザーが求人の情報を検索する場合にその条件を設定する求人情報検索インターフェースをデータとして保持する部分である。求人情報検索インターフェース保持部1kに保持された求人情報検索インターフェースデータは、MBPRIという変数名を持つ。求人情報検索インターフェース1k1の入力例を図１２に示す。
【００７３】
求人情報検索インターフェース1k1は、ユーザーが希望する求人の職種を設定する職種設定部1k2と、ユーザーが希望する求人の雇用形態を設定する雇用形態設定部1k3と、ユーザーが希望する求人の給与を設定する給与設定部1k4と、ユーザーが希望する求人の勤務時間を設定する勤務時間設定部1k5と、ユーザーが希望する求人の待遇を設定する待遇設定部1k6と、ユーザーが任意の単語や文章を設定できるフリーワード設定部1k7と、決定ボタン1k8で構成される。
【００７４】
また、ユーザーが、求人情報検索インターフェース1k1の職種設定部1k2で設定した職種データと、雇用携帯設定部1k3で設定した雇用形態データと、給与設定部1k4で設定した給与データと、勤務時間設定部1k5で設定した勤務時間データと、待遇設定部1k6で設定した待遇データと、フリーワード設定部1k7で設定したフリーワードデータが一まとまりになったシーケンシャルデータは、MBPRTという変数名を持つ。
【００７５】
職種設定部1k2は、ユーザーが希望する求人の職種を選択する部分である。例えば、ユーザーが営業系、事務系、フード系、販売系の中から「フード系」を設定した場合、情報提供者が求人に関する情報を設定する求人情報設定インターフェース5k1（後に述べる）を構成する、求人の職種を設定する職種設定部5k2で、「フード系」と設定した求人情報を検索することができる。求人情報検索インターフェース1k1上の職種設定部1k2でユーザーが設定した職種データは、MBPRTJBという変数名を持つ。
【００７６】
雇用形態設定部1k3はユーザーの希望する求人に対する雇用形態を設定する部分である。例えば、ユーザーがアルバイト、正社員、契約社員から「アルバイト」を設定した場合、情報提供者が求人に関する情報を設定する求人情報設定インターフェース5k1（後に述べる）を構成する、求人の雇用形態を設定する雇用形態設定部5k3で、「アルバイト」と設定した求人情報を検索することができる。求人情報検索インターフェース1k1上の雇用形態設定部1k3でユーザーが設定した雇用形態データは、MBPRTTYという変数名を持つ。
【００７７】
給与設定部1k4はユーザーが希望する給与を選択する部分である。例えば、ユーザーが時給下限1000円、上限1500円と設定した場合、情報提供者が求人に関する情報を設定する求人情報設定ターフェース（後に述べる）を構成する、求人の給与を設定する給与設定部5k4で、時給を1200円と設定した求人情報を検索することができる。求人情報検索インターフェース1k1上の給与設定部1k4でユーザーが設定した給与データは、MBPRTWGという変数名を持つ。
【００７８】
勤務時間設定部1k5はユーザーが希望する勤務時間や勤務する曜日を選択する部分である。例えば、ユーザーが月、火、水、木、金、土、日の中から「火、水、木」そして、時間帯を「18時から24時」と設定した場合、情報提供者の求人に関する情報を設定する求人情報設定インターフェース5k1（後に述べる）を構成する、求人の勤務時間を設定する勤務時間設定部5k5で、「月、火、水、木」の「19時から23時」と設定した求人情報を検索することができる。求人情報検索インターフェース1k1上の勤務時間設定部1k5でユーザーが設定した勤務時間データは、MBPRTWKという変数名を持つ。
【００７９】
待遇設定部1k6はユーザーが希望する待遇を選択する部分である。例えば、ユーザーが制服支給、食事付き、歩合制の中から「制服支給」を設定した場合、情報提供者の求人に関する情報を設定する求人情報設定インターフェース5k1（後に述べる）を構成する、求人の待遇を設定する待遇設定部5k6で、「制服支給」と設定した求人情報を検索することができる。求人情報検索インターフェース1k1上の待遇設定部1k6でユーザーが設定した待遇データは、MBPRTOPという変数名を持つ。
【００８０】
フリーワード設定部1k7はユーザーが任意に単語を設定できる部分である。例えば、ユーザーが「週払い」と設定すると、同じく、求人情報設定インターフェース5k1（後に述べる。）で情報提供者が「週払い」と設定してある求人の情報を入手できる。求人情報検索インターフェース1k1上のフリーワード設定部1k7でユーザーが設定したフリーワードデータは、MBPRTFRという変数名を持つ。
【００８１】
また、図１２に示すように、ユーザーが求人情報検索インターフェース1k1を設定し終え、決定ボタン1k8を押した場合の携帯端末１内部にある中央演算処理部1qのデータ処理を示したフローチャートを図１３に示し、以下に説明する。
【００８２】
ユーザーが求人情報検索インターフェース1k1上にある決定ボタン1k8を押すと、携帯端末１内部の中央演算処理部1qは、ユーザーが求人情報検索インターフェース1k1で設定した職種データと、雇用形態データを呼び出し、雇用形態データを職種データの後ろに加える。
【００８３】
続いて、給与データを呼び出し、雇用形態データの後ろに加える。続いて、勤務時間データを呼び出し、給与データの後ろに加える。続いて、待遇データを呼び出し、勤務時間データの後ろに加える。続いて、フリーワードデータを呼び出し、待遇データの後ろに加える。続いて、携帯端末１の中央演算処理部1qが、上記のように職種データと、雇用形態データと、給与データと、勤務時間データと、待遇データと、フリーワードデータを一まとまりにしたシーケンシャルデータを作ると、携帯端末１内部の検索データ保持部1mに保持させる。
【００８４】
次に、キーワード検索インターフェース保持部1lは、図１４に示すユーザーがキーワードを利用して情報を検索する場合にそのキーワードを設定するキーワード検索インターフェースをデータとして保持する部分である。キーワード検索インターフェース保持部1lに保持されたキーワード検索インターフェースデータは、MBKYIという変数名を持つ。また、キーワード検索インターフェース1l1の入力例を図１５に示す。
【００８５】
キーワード検索インターフェース1l1は、キーワード設定部1l2と、決定ボタン1l3で構成される。
【００８６】
キーワード設定部1l2は、ユーザーが任意のキーワードを入力することのできる部分である。例えば、ユーザーが「ハリーポッター」と設定すると、同じく、キーワード設定インターフェース5l1（後に述べる。）で情報提供者が「ハリーポッター」と設定してある情報を入手できる。
【００８７】
キーワード検索インターフェース1l1上にあるキーワード設定部1l2で、ユーザーが設定したキーワードデータは、MBKYWKYという変数名を持つ。
【００８８】
また、図１５のように、ユーザーがキーワード検索インターフェース1l1を設定し終え、決定ボタン1l3を押した場合の携帯端末１内部にある中央演算処理部1qのデータ処理を示したフローチャートを図１６に示し、以下に説明する。
【００８９】
ユーザーがキーワード検索インターフェース1l1上にある決定ボタン1l3を押すと、携帯端末１内部の中央演算処理部1qは、ユーザーがキーワード検索インターフェース1l1で設定したキーワードデータを呼び出す。続いて、携帯端末１の中央演算処理部1qは、そのキーワードデータをシーケンシャルデータとし、携帯端末１内部の検索データ保持部1mに保持させる。
【００９０】
検索データ保持部1mは、ユーザーが飲食情報、賃貸情報、求人情報、キーワード検索など各種情報検索インターフェースを利用して設定したデータを保持する部分である。検索データ保持部1mに保持されるシーケンシャルデータは、MBTRNという変数名を持つ。
【００９１】
受信データ保持部1nは、携帯端末１が受信した、情報提供者が提供情報設定インターフェース5e1（後に述べる。）を用いて設定したデータを保持する部分である。受信データ保持部1nは、時刻情報データ、受信データ属性データ、受信データ名データ、連絡先データ、メールアドレスデータ、地図データ、写真データ、メッセージデータを一まとまりにし、シーケンシャルデータとして保持する。
【００９２】
受信データ保持部1nに保持される時刻情報データ、受信データ属性データ、受信データ名データ、連絡先データ、メールアドレスデータ、地図データ、写真データ、メッセージデータを一まとまりにしたシーケンシャルデータである受信データは、MBRCVという変数名を持つ。
【００９３】
受信データ選択インターフェース保持部1oは、図１７に示すユーザーが携帯端末１に保持する受信データを選択するための受信データ選択インターフェース1o1をデータとして保持する部分である。
【００９４】
受信データ選択インターフェース1o1は、携帯端末１がデータを受信した際に時刻情報保持部1eから呼び出した時刻のデータである時刻情報データ、及びユーザーが受信した提供情報データが持つ、提供情報属性データ、提供情報名データ、連絡先データ、ホームページデータ、地図データ、写真データ、メッセージデータの中から、時刻情報データ、提供情報属性データ、提供情報名データの３つを呼び出し表示する。また、その受信データ選択インターフェース1o1の表示例を図１８に示す。
【００９５】
ユーザーは、受信データ選択インターフェース1o1に表示されたデータを選択することで、受信データ保持部1nに保持された時刻情報データと提供情報属性データ、提供情報名データ、連絡先データ、ホームページデータ、地図データ、写真データ、メッセージデータが一まとまりになったシーケンシャルデータを呼び出す。受信データ選択インターフェース保持部1oに保持された受信データ選択インターフェースデータは、MBRCSという変数名を持つ。
【００９６】
受信時刻表示部1o2は、携帯端末１が、情報提供者が設定した提供情報データを受信した時刻を表示する部分である。例えば、データを受信した年、日付、曜日、時刻を表示することによってそのデータがいつ受信されたものなのかをユーザーが容易に知ることができる。受信データ選択インターフェース1o1の受信時刻表示部1o2に表示される受信時刻データは、MBRCSHRという変数名を持つ。
【００９７】
受信データ名表示部1o3は、情報提供者が提供情報設定インターフェース5e1（後に述べる。）を用いて設定したデータの名前を表示する部分である。例えば、その条件にあった情報を配信する飲食店が「カフェ○○」という名前であり、情報提供者が設定した提供情報にその名前をつけたとすると、受信データ選択インターフェース1o1上の受信データ名表示部1o3には、「カフェ○○」と表示されるため、ユーザーはそれを見て受信データを判断することができる。受信データ表示インターフェース1p1の受信データ名表示部1p4に表示される受信データ名データは、MBRCDNMという変数名を持つ。
【００９８】
受信データ属性表示部1o4は、ユーザーが飲食情報、賃貸情報、求人情報、キーワードのなかのどの情報を検索していたかを、ユーザーがそれらの中のどの属性の情報検索インターフェースを利用したかで判別し、受信データ表示インターフェース1p1に表示する部分である。例えば、ユーザーが飲食情報を検索し、その検索条件にあった情報を受信した場合、「飲食」と表示される。受信データ選択インターフェース1o1の受信データ属性表示部1o4に表示される受信属性データは、MBRCSTYという変数名を持つ
【００９９】
受信データ表示インターフェース保持部1pは、図１９に示す受信データ選択インターフェース1o1でユーザーが選択した受信データを表示する受信データ表示インターフェース1p1をデータとして保持する部分である。
【０１００】
受信データ表示インターフェース1p1は、データを受信した時刻を表示する受信時刻表示部1p2と、受信したデータの属性を表示する受信データ属性表示部1p3と、受信した提供情報の提供情報名を表示する受信データ名表示部1p4と、ユーザーが受信したデータを設定した情報提供者の連絡先を表示する連絡先表示部1p5と、ユーザーが受信したデータを設定した情報提供者のホームページのアドレスを表示するホームページアドレス表示部1p6と、ユーザーが受信したデータを設定した情報提供者が提供しようとする店や、場所までへの行き方を記した地図を表示する地図表示部1p7と、ユーザーが受信したデータを設定した情報提供者が載せた写真を表示する写真表示部1p8と、ユーザーが受信したデータを設定した情報提供者から受信したユーザーに対して任意に設定することができるメッセージを表示するメッセージ表示部1p9で構成される。受信データ表示インターフェース保持部1pに保持された受信データ表示インターフェース1p1は、MBRCDという変数名を持つ。
また、その受信データ表示インターフェースの表示例を図２０に示す。
【０１０１】
受信時刻表示部1p2は、携帯端末１が、情報提供者が設定した提供情報データを受信した時刻を表示する部分である。例えば、データを受信した年、日付、曜日、時刻を表示することによってそのデータがいつ受信されたものなのかをユーザーが容易に知ることができる。受信データ表示インターフェース1p1の受信時刻表示部1p2に表示される受信時刻データは、MBRCDHRという変数名を持つ。
【０１０２】
受信データ属性表示部1p3は、ユーザーが飲食情報、賃貸情報、求人情報、キーワードのなかのどの情報を検索していたかを、ユーザーがそれらの中のどの属性の情報検索インターフェースを利用したかで判別し、受信データ表示インターフェース1p1に表示する部分である。例えば、ユーザーが飲食情報を検索し、その検索条件にあった情報を受信した場合、飲食情報、賃貸情報、求人情報、キーワードの中から、飲食情報のところにチェックが入る。受信データ表示インターフェース1p1の受信データ属性表示部1p3に表示される受信属性データは、MBRCDTYという変数名を持つ。
【０１０３】
受信データ名表示部1p4は、情報提供者が提供情報設定インターフェース5e1（後に述べる。）を用いて設定したデータの名前を表示する部分である。例えば、その条件にあった情報を配信する飲食店が「カフェ○○」という名前であり、情報提供者が設定した提供情報にその名前をつけたとすると、受信データ選択インターフェース1o1上の受信データ名表示部1o3には、「カフェ○○」と表示されるため、ユーザーはそれを見て受信データを判断することができる。受信データ表示インターフェース1p1の受信データ名表示部1p4に表示される受信データ名データは、MBRCDNMという変数名を持つ。
【０１０４】
連絡先表示部1p5は、情報提供者が提供情報設定インターフェース5e1（後に述べる。）を用いて設定した情報提供者への連絡先などを表示する部分である。例えば、情報提供者が提供情報設定インターフェース5e1（後に述べる。）の連絡先入力部で設定した電話番号をユーザーが選択すると自動的にインターネット7回線を介して電話を掛けることができる。受信データ表示インターフェース1p1の連絡先表示部1p5に表示される連絡先データは、MBRCDADという変数名を持つ。
【０１０５】
ホームページアドレス表示部1p6は、情報提供者が提供情報設定インターフェース5e1(後の述べる。)を用いて設定した情報提供者のホームページのアドレスを設定する。例えば、情報提供者が提供情報設定インターフェース5e1（後に述べる。）のホームページアドレス入力部で設定したホームページアドレスをユーザーが選択すると、ユーザーの持つ携帯端末１で閲覧可能なフォーマットで構成されたホームページが保持されているインターネット7上のサーバーへ接続し、ホームページをダウンロードし、携帯端末１に表示することができる。受信データ表示インターフェース1p1のホームページアドレス表示部1p6に表示されるホームページアドレスデータは、MBRCDHPという変数名を持つ。
【０１０６】
地図表示部1p7は、情報提供者が提供情報設定インターフェース5e1（後に述べる。）を用いて設定した情報提供者が提供しようとする場所付近の地図などを表示する部分である。例えば、無線データ通信装置３が持つ無線データ通信装置設置位置情報保持部3b（後に述べる。）に保持された無線データ通信装置３の設置位置データと連動させることにより、携帯端末１がデータを受信した位置から情報提供者の飲食店までの道筋を表示することができる。受信データ表示インターフェース1p1の地図表示部1p7に表示される地図データは、MBRCDMPという変数名を持つ。
【０１０７】
写真表示部1p8は、情報提供者が提供情報設定インターフェース5e1（後に述べる。）を用いて設定した情報提供者が提供しようとする情報を写真映像で表示する部分である。例えば、飲食情報を検索するユーザーが、店内の従業員の写真を見ることによって飲食店の雰囲気がよりわかりやすくなる。受信データ表示インターフェース1p1の写真表示部1p8に表示される写真データは、MBRCDPCという変数名を持つ。
【０１０８】
メッセージ表示部1p9は、情報提供者が提供情報設定インターフェース5e1（後に述べる。）を用いて設定したユーザーに対するメッセージなどを表示する部分である。例えば、飲食情報を検索しているユーザーが、“くつろぎのオープンスペース”など、情報検索の条件では設定できなかったような情報を見ることができる。受信データ表示インターフェース1p1のメッセージ表示部1p9は、MBRCDMSという変数名を持つ。
【０１０９】
本自動情報配信システムを構成する通信端末２は、インターネット7に接続が可能な一般的なPC（パーソナルコンピューター）である。通信端末２は、本自動情報配信システムにおいて、情報提供者が配信する情報やどのユーザーを対象にその情報を配信するかの条件を設定するのに利用される。通信端末２は、中央演算処理部、本自動情報配信システムに必要なソフトウェアを保持するメモリ、及びネットワークインターフェース、電源供給部を持ち合わせる一般的なPC（パーソナルコンピューター）を利用することができる。通信端末２は、情報提供者ＩＤ・パスワード入力インターフェースデータを保持する。情報提供者は、本自動情報配信システムを利用する際に取得した情報提供者ＩＤとパスワードをその情報提供者ID・パスワード入力インターフェース5d1に入力し、本自動情報配信システムにログインし、各種設定に必要なインターフェースをダウンロードし、情報を配信するための設定を行う。
【０１１０】
図２１は、本自動情報配信システムを構成する無線データ通信装置３の構成を示す。無線データ通信装置３は、本自動情報配信システムにおいて、携帯端末１から送信されたデータの受信、及び携帯電話へのデータの送信を行う部分である。無線データ通信装置３は、無線データ通信装置３固有の識別番号を保持する無線データ通信装置識別番号保持部3aと、設置位置データを保持する無線データ通信装置設置位置情報保持部3b、及び中央演算処理部3cと、携帯端末１との無線通信を行う無線データ通信装置通信モジュール部3dと、ネットワークインターフェース3eと、電源供給部3fで構成される。上記に述べた各種データ保持部は、無線データ通信装置３以外の別メモリに保持されてあってもかまわない。
【０１１１】
尚、ここでは無線データ通信装置３は、無線データ通信装置通信モジュール3ｄを含むが、携帯電話やPHSなどの基地局と組み合わせる場合、無線データ通信装置通信モジュール3dがその基地局と同等の役割をするものである。また、仮に無線データ通信装置の人口カバー率100％となった場合、無線データ通信装置３の通信範囲が狭ければ、各ユーザーからおくられてくる情報を細かく分析できるが、装置をいたるところに設置しなくてはならないという手間もある。逆に通信範囲が広ければ、装置の設置は少なくて済むが、ユーザーから送られてくる情報を細かく分析できない。さらには、商品が置いてあるところには非常に遠いところにいるユーザーにまで商品情報が送られてしまうため、無駄もある。好ましくは、技術的に問題がない限りの狭い範囲かつ容量の大きい通信方式がよい。
【０１１２】
無線データ通信装置識別番号保持部3aは、各無線データ通信装置３が固有に持つ無線データ通信装置識別番号データを保持する部分である。例えば、無線データ通信装置識別番号は、携帯端末１から受信したデータなどとともに、ユーザー情報蓄積部６に蓄積される。情報提供者は、自分の設定した配信情報を配信する無線データ通信装置３を選択する際に、無線データ通信装置識別番号を特定する必要があるため、この無線データ通信装置識別番号を選択し、無線データ通信装置３を特定する。
【０１１３】
また、無線データ通信装置識別番号は、既存のシステムに組み込まれているデバイス固有のネットワーク上のアドレスもしくは、番号ではなく符号であってもよい。無線データ通信装置識別番号保持部3aが保持する無線データ通信装置識別番号データは、DTIDという変数名を持つ。
【０１１４】
無線データ通信装置設置位置情報保持部3bは、無線データ通信装置３の設置位置情報を保持する部分である。例えば、無線データ通信装置設置位置情報保持部3bは、全地球位置測定システム（GPS）と組み合わせることにより、無線データ通信装置３の設置位置の情報データを保持することも考えられるし、無線データ通信装置３の位置情報を予め調べておき、その位置データをメモリに保持させることなども可能である。また、必ずしもその位置データは無線データ通信装置３の内部に保持させてある必要はなく、別メモリに保持させておいてもよい。無線データ通信装置設置位置情報保持部3bに保持された無線データ通信装置設置位置情報データは、DTGPSという変数名を持つ。
【０１１５】
図２２は、本自動情報配信システムを構成するユーザー管理部４の構成を示す図である。ユーザー管理部４は、本自動情報配信システムにおいて、ユーザーが本自動情報配信システムを利用できるかを判断するのに利用される。また、ユーザー登録を済ませたユーザーの携帯端末１に対し、ユーザーID（アイディー）とユーザーパスワードを渡す。ユーザー管理部４は、ユーザー登録を行っているユーザーに対し、ユーザーIDとユーザーパスワードを選び出すユーザーID（アイディー）・パスワード付与部4aと、ユーザーがユーザー登録の際に、ユーザー登録フォーム1c1に入力した内容と、ユーザーID・パスワード付与部4aにより選ばれたユーザーID（アイディー）とユーザーパスワードを一まとまりにしたシーケンシャルデータを保持するユーザー情報保持部4b、及び中央演算処理部4cと、ネットワークインターフェース4d、電源4eを持ち合わせる。上記に述べた各種データ保持部は、ユーザー管理部４内の別メモリに保持されてあってもかまわない。
【０１１６】
ユーザーID・パスワード付与部4aは、ユーザーがユーザー登録フォーム1c1を入力し終え、携帯端末１を用いて、そのユーザー登録フォーム1c1で設定したデータをユーザー管理部４に送信すると、そのユーザーに対し、固有のユーザーIDとユーザーパスワードを発行する部分である。
【０１１７】
ユーザー情報保持部4bは、ユーザーがユーザー登録フォーム1c1を利用し入力した氏名データ、生年月日データ、性別データ、及びユーザーID・パスワード付与部4aから発行されたユーザーIDデータとユーザーパスワードデータを一まとまりにしたシーケンシャルデータを保持する部分である。特にユーザーIDデータは、UAUIDという変数を持ち、パスワードデータは、UAPSWという変数を持つ。
【０１１８】
図２３は、本自動情報配信システムを構成する情報提供者管理部５を示す図である。情報提供者管理部５は、本自動情報配信システムにおいて、情報提供者が、利用登録をしているかを判断するシステムと、情報提供者が、配信する情報を設定するソフトウェアと、その情報を配信するユーザーを絞り込むための条件を設定するソフトウェア、及び設定された情報を配信するのに最適な無線データ通信装置３を通信端末２上で検索するシステムを情報提供者に提供する部分である。
【０１１９】
情報提供者管理部５は、情報提供者が本自動情報配信システムを利用する際に、その利用登録をする情報提供者登録フォーム5a1を保持する情報提供者登録フォーム保持部5aと、利用登録を済ませた際に情報提供者が取得するユーザーID（アイディー）とパスワードを決定する情報提供者ID・パスワード付与部5bと決定したその情報提供者ID（アイディー）とパスワードを保持する情報提供者ID・パスワード保持部5cと、情報提供者が本自動情報配信システムを利用可能か判断するために利用する情報提供者IDとパスワードを入力する情報提供者ID・パスワード入力インターフェース5d1を保持する情報提供者ID・パスワード入力インターフェース保持部5dなど、情報提供者の登録状況を把握するのに必要なシステムを持つ。
【０１２０】
また、情報提供者が設定した条件に当てはまるユーザーに対し配信する情報を設定する提供情報設定インターフェース5e1を保持する提供情報設定インターフェース保持部5eと、配信する場所の範囲を設定する配信範囲設定インターフェース5f1を保持する配信範囲設定インターフェース保持部5fと、情報を配信する日にちや曜日、時間帯を設定する配信時間帯設定インターフェース5g1を保持する配信時間帯設定インターフェース保持部5gと、情報を配信するユーザーの年齢や性別を設定するユーザー条件設定インターフェース5h1を保持するユーザー条件設定インターフェース保持部5hなど、情報を自動的に配信するための場所、時間、ユーザー個人情報に関する条件などを設定するインターフェース及び、配信する情報を設定するインターフェースを保持する。
【０１２１】
また、情報提供者が飲食情報を検索しているユーザーに対して情報を配信しようとする際にその条件を設定する飲食情報設定インターフェース5i1を保持する飲食情報設定インターフェース保持部5iと、情報提供者が賃貸情報を検索しているユーザーに対して情報を配信しようとする際にその条件を設定する賃貸情報設定インターフェース5j1を保持する賃貸情報設定インターフェース保持部5jと、情報提供者が求人情報を検索しているユーザーに対して情報を配信しようとする際にその条件を設定する求人情報設定インターフェース5k1を保持する求人情報設定インターフェース保持部5kと、情報提供者が任意のキーワードで情報を検索しているユーザーに対して情報を配信しようとする際にその条件を設定するキーワード設定インターフェース5l1を保持するキーワード設定インターフェース保持部5lと、情報提供者が設定しようとする情報により、飲食情報、求人情報、賃貸情報、キーワードのいずれでかを選択する情報設定インターフェース選択インターフェース5m1を保持する情報設定インターフェース選択インターフェース保持部5mなど、情報提供者が配信しようとする情報の種類に分けて設定するインターフェースを保持する。
【０１２２】
また、情報提供者が設定したそれらの条件をもとにユーザーの情報を蓄積しているデータベースであるユーザー情報蓄積部６（後に述べる。）を参照して、情報提供者がその情報を配信するのに設定した条件にあったユーザーが多く利用する最適な無線データ通信装置３と条件に当てはまったユーザーの人数を表示し、さらに情報提供者は表示された無線データ通信装置３を表示された中から選択し、情報を配信する無線データ通信装置３を決定する無線データ通信装置検索結果表示インターフェース5n1を保持する無線データ通信装置検索結果表示インターフェース保持部5nと、各種条件設定インターフェースで設定されたデータとそれら条件に合致したユーザーに対し配信する情報のデータを一まとまりにしたシーケンシャルデータを保持する参照データ保持部5o、及び中央演算処理部5pと、ネットワークインターフェース5qと、電源供給部5rで構成される。上記に述べた各種データ保持部は、情報提供者管理部５以外の別メモリに保持されてあってもかまわない。
【０１２３】
情報提供者は、配信範囲設定インターフェース5f1で設定される配信範囲データと、配信時間帯設定で設定される配信時間帯データと、ユーザー条件設定インターフェース5h1で設定されるユーザー条件データ、及び各種情報設定インターフェースで設定したデータを基に、過去に本自動情報配信システムを利用したユーザーの情報やユーザーの検索内容や無線データ通信装置３の位置情報を蓄積するユーザー情報蓄積部６に蓄積されたデータを参照することで、自分の提供したい情報を配信するのに最適な無線データ通信装置３を選び出し、情報配信を効率よく行うことができる。
【０１２４】
情報提供者登録フォーム保持部5aは、情報提供者が本自動情報配信システムを利用する際に必要な情報提供者の情報を入力する情報提供者登録フォーム5a1を保持する部分である。また、その情報提供者登録フォーム5a1の構成例を図２４に示す。
【０１２５】
情報提供者登録フォーム5a1は、情報提供者の氏名を入力する氏名入力部5a2と、情報提供者の生年月日を入力する生年月日入力部5a3と、情報提供者の性別を入力する性別入力部5a4、及び決定ボタン5a5で構成される。情報提供者登録フォーム保持部5aに保持される情報提供者登録フォームデータは、PAFRIという変数名を持つ。情報提供者登録フォーム5a1の入力例を図２５に示す。
【０１２６】
また、情報提供者登録フォーム5a1で情報提供者が設定した氏名データ、生年月日データ、性別データが一まとまりになったシーケンシャルデータは、PAFRMという変数名を持つ。
【０１２７】
氏名入力部5a2は、情報提供者登録フォーム5a1上にある情報提供者の氏名を入力する部分である。例えば、ユーザーの名前が、○山○郎であった場合、○山○郎と入力する。氏名入力部5a2で設定した氏名データは、PAFRMNMという変数名を持つ。
【０１２８】
生年月日入力部5a3は、情報提供者登録フォーム5a1上にある情報提供者の生年月日を入力する部分である。例えば、情報提供者の生年月日が1980年08月17日であった場合、19800817と入力する。生年月日入力部5a3で設定した生年月日データは、PAFRMBRという変数名を持つ。
【０１２９】
性別入力部5a4は、情報提供者登録フォーム5a1上にある情報提供者の性別を入力する部分である。例えば、情報提供者の年齢が、男性である場合、男にチェックを入れる。性別入力部5a4で設定した性別データは、PAFRMSXという変数名を持つ。
【０１３０】
また、図２５に示すように設定をし終え、決定ボタン5a5を押すと、通信端末２の中央演算処理部は、情報提供者登録フォーム5a1上にある氏名入力部5a2、生年月日入力部5a3、性別入力部5a4で設定したデータを一まとまりにしたシーケンシャルデータを作り、情報提供者管理部５に送信する。
【０１３１】
情報提供者管理部５が、それら情報提供者が情報提供者登録フォーム5a1上にある氏名入力部5a2、生年月日入力部5a3、性別入力部5a4で設定したデータを一まとまりにしたシーケンシャルデータを受け取ると、中央演算処理部5pは、そのシーケンシャルデータを情報提供者ID・パスワード保持部5cに保持する。情報提供者登録フォーム5a1上にある決定ボタン5a5は、PAFRMBTという名称を持つ。
【０１３２】
情報提供者ID・パスワード付与部5bは、情報提供者登録フォーム5a1を入力し、そのフォームで設定したデータを情報提供者管理部５に送信すると、その情報提供者に対し、固有の情報提供者IDとパスワードを発行する部分である。
【０１３３】
情報提供者ID・パスワード保持部5cは、情報提供者ID・パスワード付与部5bから発行された情報提供者IDとパスワードを保持する部分である。情報提供者IDは、PAPIDという変数を持ち、パスワードは、PAPSWという変数を持つ。
【０１３４】
情報提供者ID・パスワード入力インターフェース保持部5dは、情報提供者が本自動情報システムの利用登録の際に取得した情報提供者IDとパスワードを入力することで、情報提供者の登録状況を把握するために用いられる情報提供者ID・パスワード入力インターフェース5d1を保持する部分である。また、その構成例を図２６に示す。
【０１３５】
情報提供者ID・パスワード入力インターフェース5d1は、情報提供者IDを入力する情報提供者ID入力部5d2と、パスワードを入力するパスワード入力部5d3と、決定ボタン5d4から構成される。図２７にその入力例を示す。
【０１３６】
情報提供者ID・パスワード入力インターフェース保持部5dに保持された情報提供者ID・パスワード入力インターフェースデータは、PAIPIという変数名を持つ。
【０１３７】
情報提供者ID入力部5d2は、情報提供者が本自動情報配信システムの利用登録の際に取得した情報提供者IDを入力する部分である。情報提供者ID入力部5d2に入力された情報提供者IDデータは、PAPIDという変数名を持つ。
【０１３８】
パスワード入力部5d3は、情報提供者が本自動情報配信システムの利用登録の際に取得したパスワードを入力する部分である。パスワード入力部5d3に入力されたパスワードデータは、PAPSWという変数名を持つ。
【０１３９】
決定ボタン5d4は、情報提供者が、情報提供者ID・パスワード入力インターフェース5d1上にある情報提供者ID入力部5d2と、パスワード入力部5d3を入力し終わった後で押すボタンである。情報提供者ID・パスワード入力インターフェースPAIPI上にある決定ボタン5d4は、PAPBTという変数名を持つ。
【０１４０】
提供情報設定インターフェース保持部5eは、情報提供者がユーザーに配信する情報を設定する提供情報設定インターフェース5e1を保持する部分である。また、その提供情報設定インターフェース5e1の構成例を図２８に示す。
【０１４１】
提供情報設定インターフェース5e1は、配信情報の属性を設定する提供情報属性設定部5e2と、配信情報の名前を設定する提供情報名設定部5e3と、情報提供者の連絡先を設定する連絡先設定部5e4と、情報提供者のホームページのアドレスを設定するホームページアドレス設定部5e5と、情報提供者が提供しようとする店や、場所までへの行き方を記した地図を設定する地図設定部5e6と、写真を設定する写真設定部5e7と、ユーザーに対するメッセージを設定するメッセージ設定部5e8から構成される。提供情報設定インターフェース保持部5eに保持された提供情報設定インターフェースデータは、PATRIという変数名を持つ。また、これら配信情報属性データ、配信情報名データ、連絡先データ、ホームページアドレスデータ、地図データ、写真データ、メッセージデータが一まとまりになったシーケンシャルデータである提供情報データはPATRNという変数名を持つ。また、提供情報設定インターフェース5e1の設定例を図２９に示す。
【０１４２】
提供情報属性設定部5e2は、情報提供者が配信しようとする情報が飲食情報、賃貸情報、求人情報、キーワードのなかのどの情報なのかを設定する部分である。例えば、情報提供者が飲食情報を探しているユーザーを対象に情報を配信しようと思った場合は、配信情報属性は、飲食情報を設定する。提供情報設定インターフェース5e1の提供情報属性設定部5e2に設定される配信情報属性データは、PATRNTYという変数名を持つ。
【０１４３】
提供情報名設定部5e3は、情報提供者が配信する配信情報の名前を設定する部分である。例えば、情報提供者が設定した配信情報名は、先にも述べた携帯端末１でユーザーが利用する受信データ選択インターフェース1o1に表示されるため、情報提供者が「カフェ○○」という名前の飲食店を経営している場合、その飲食店の名称を設定することにより、ユーザーにその名前をアピールすることができる。提供情報設定インターフェース5e1の提供情報名設定部5e3に設定される配信情報名データは、PATRNNMという変数名を持つ。
【０１４４】
連絡先設定部5e4はユーザーが情報提供者に連絡を取る際の連絡先を入力する部分である。例えば、情報提供者が飲食店を経営している場合、その飲食店の電話番号を設定することにより、ユーザーが飲食店に連絡を取る場合に、その連絡をとり易くすることができる。提供情報設定インターフェース5e1の連絡先設定部5e4に設定される連絡先データは、PATRNADという変数名を持つ。
【０１４５】
ホームページアドレス設定部5e5は、情報提供者が、自分のホームページアドレスを設定する部分である。例えば、情報提供者が飲食店を経営している場合、その飲食店のホームページのアドレスを設定することにより、ユーザーが受信した提供情報に記載されていない情報を入手し易くすることができる。提供情報設定インターフェース5e1のホームページアドレス設定部5e5に設定されるホームページアドレスデータは、PATRNHPという変数名を持つ。
【０１４６】
地図設定部5e6は、情報提供者が自分の店の位置などを地図上に設定する部分である。例えば、情報提供者が飲食店を経営している場合、その飲食店のある位置を地図上に設定することにより、その飲食店までの位置情報を入手することができる。提供情報設定インターフェース5e1の地図設定部5e6に設定される地図データは、PATRNMPという変数名を持つ。
【０１４７】
写真設定部5e7は、情報提供者が提供する情報を写真で設定する部分である。例情報提供者の保有する通信端末２に保存した写真データがあるフォルダーと連動させることにより、情報提供者が飲食店を経営している場合、情報提供者は、通信端末２のフォルダーの中から適当な写真を選択し、その飲食店の雰囲気をユーザーに把握し易くすることができる。提供情報設定インターフェース5e1の写真設定部5e7に設定される写真データは、PATRNPCという変数を持つ。
【０１４８】
メッセージ設定部5e8は、情報提供者がユーザーに対するメッセージを設定する部分である。例えば、情報提供者が飲食店を経営している場合、「くつろぎのオープンスペース」など、情報検索の条件では、設定できないような情報を設定することができる。また、本自動情報配信システムのキーワード検索や、フリーワードでの検索と連動させることにより、例えば、ユーザーが設定した「オープンスペース」などの単語でも検索できるようにすることができる。提供情報設定インターフェース5e1のメッセージ設定部5e8に設定されるメッセージデータは、PATRNMSという変数名を持つ。
【０１４９】
配信範囲設定インターフェース保持部5fは、情報提供者が提供する情報を配信する無線データ通信装置３を決定する際に、地理的範囲を設定する配信範囲設定インターフェース5f1保持する部分である。また、その配信範囲設定インターフェース5f1の構成例を図３０に示す。
【０１５０】
配信範囲設定インターフェース5f1は、住所を指定し配信範囲を設定する住所設定部5f2と、地図データを用いて直接地図データ上で範囲を設定する地図設定部5f3で構成される。配信範囲設定インターフェース保持部5fに保持された配信範囲設定インターフェースデータはPALCIという変数名を持つ。また、配信範囲設定インターフェース5f1で設定された配信範囲データは、PALCTという変数名を持つ。配信範囲設定インターフェース5f1の設定例を図３１に示す。
【０１５１】
住所設定部5f2は、情報提供者が住所を設定しその周辺を範囲に設定する部分である。例えば、情報提供者が飲食店を経営している場合、その飲食店の住所を入力することにより、その飲食店の周囲を配信範囲として設定することができる。
【０１５２】
地図設定部5f3は、情報提供者が地図上で直接範囲を設定する部分である。例えば、情報提供者が住所設定部5f2で設定した範囲から、さらに狭い範囲を設定する場合などに利用することが出きる。
【０１５３】
配信時間帯設定インターフェース保持部5gは、情報提供者が提供する情報を配信する時間帯を設定する配信時間帯設定インターフェース5g1を保持する部分である。また、その配信時間帯設定インターフェース5g1の構成例を図３２に示す。
【０１５４】
例えば、情報提供者が提供情報を設定すると共に、配信時間帯を午前10時から午後12時と設定した場合、午前10時から午後12時の間に条件に合致したユーザーに対してだけ提供情報を配信する。配信時間帯設定インターフェース5g1は、日付を設定する日付設定部5g2と、曜日を設定する曜日設定部5g3と、時間帯を設定する時間帯設定部5g4で構成される。また、配信時間帯設定インターフェース5g1の設定例を図３３に示す。
【０１５５】
配信時間帯設定インターフェース保持部5gに保持された配信時間帯設定インターフェースデータは、PAHRIという変数名を持つ。また、日付設定部5g2で設定した日付データと、曜日設定部5g3で設定した曜日データと、時間帯設定部5g4で設定した時間帯データを一まとまりにしたシーケンシャルデータは、PAHORという変数を持つ。
【０１５６】
日付設定部5g2は、配信時間帯設定インターフェース5g1上にあり、情報提供者が設定した提供情報を配信する日付を設定する部分である。日付設定部5g2は、情報提供者が設定した提供情報を配信する年を設定する年設定部と、月を設定する月設定部と、日を設定する日設定部で構成される。それら年設定部と、月設定部と、日設定部は、それぞれチェックボックスを持つ。
【０１５７】
情報提供者がチェックをいれたものは、情報提供者が、無線データ通信装置検索結果表示インターフェース5n1上の実行ボタン5n5を押すと、配信時間帯データの一部としてユーザー情報蓄積部６に送信され、蓄積された時刻情報データと参照される。配信時間帯設定インターフェース5g1の日付設定部5g2で設定された日付データは、PAHORDTという変数名を持つ。
【０１５８】
曜日設定部5g3は、配信時間帯設定インターフェース5g1上にあり、情報提供者が設定した提供情報を配信する曜日を設定する部分である。曜日設定部5g3は一つのチェックボックスを持ち、情報提供者がチェックを入れ、無線データ通信装置検索結果表示インターフェース5n1上の実行ボタン5n5を押すと、配信時間帯データの一部として曜日データをユーザー情報蓄積部６に送信し、時刻情報データと参照される。配信時間帯設定インターフェース5g1の曜日設定部5g3で設定された曜日データは、PAHORDYという変数名を持つ。
【０１５９】
時間帯設定部5g4は、配信時間帯設定インターフェース5g1上にあり、情報提供者が設定した提供情報を配信する時間帯を設定する部分である。時間帯設定部5g4は、一つのチェックボックスを持ち、情報提供者がそこでチェックを入れたものは、情報提供者が、無線データ通信装置検索結果表示インターフェース5n1上の実行ボタン5n5を押すと、配信時間帯データの一部としてユーザー情報蓄積部６に送信し、時刻情報データと参照させる。配信時間帯設定インターフェース5g1の時間帯設定部5g4で設定された時間帯データは、PAHORHRという変数名を持つ。
【０１６０】
ユーザー条件設定インターフェース保持部5hは、情報提供者が提供する情報を配信するユーザーの個人情報を設定するユーザー条件設定インターフェース5h1を保持する部分である。また、そのユーザー条件設定インターフェース5h1の構成例を図３４に示す。
【０１６１】
ユーザー条件設定インターフェース5h1は、ユーザーの年齢を設定する年齢設定部5h2とユーザーの性別を設定する性別設定部5h3で構成される。ユーザー条件設定インターフェース5h1に保持されたユーザー条件設定インターフェースデータは、PAUAIという変数名を持つ。また、情報提供者がユーザー条件設定インターフェース5h1で設定したユーザーの年齢データと性別データを一まとまりにしたシーケンシャルデータは、PAUSRという変数名を持つ。また、ユーザー条件設定インターフェース5h1の設定例を図３５に示す。
【０１６２】
年齢設定部5h2は、ユーザー条件設定インターフェース5h1上にある、情報提供者が設定した提供情報を配信するユーザーの年齢を設定する部分である。例えば、20歳から25歳と設定した場合、年齢が20歳から25歳のユーザーに対して提供情報を配信する。ユーザー条件設定インターフェース5h1上にある年齢設定部5h2で情報提供者が設定した年齢データは、PAUSRAGという変数名を持つ。
【０１６３】
性別設定部5h3は、ユーザー条件設定インターフェース5h1上にある、情報提供者が設定した提供情報を配信するユーザーの性別を設定する部分である。例えば、男と設定した場合、性別が男のユーザーに対して情報を配信する。ユーザー条件設定インターフェース5h1上にある性別設定部5h3で情報提供者が設定した性別データは、PAUSRSXという変数名を持つ。
【０１６４】
情報設定インターフェース選択インターフェース保持部5mは、情報提供者が設定しようとする情報が、飲食情報、求人情報、賃貸情報、キーワードのいずれであるかを選択し、そのボタンを押すことにより目的の情報設定インターフェースをダウンロードする情報設定インターフェース選択インターフェース5m1を保持する部分である。また、その情報設定インターフェース選択インターフェース5m1の構成例を図３６に示す。
【０１６５】
情報設定インターフェース選択インターフェース5m1は、飲食情報設定インターフェース選択ボタン5m2と、賃貸情報設定インターフェース選択ボタン5m3と、求人情報設定インターフェース選択ボタン5m4と、キーワード設定インターフェース選択ボタン5m5で構成される。情報設定インターフェース選択インターフェース保持部5mに保持される情報設定インターフェース選択インターフェースデータは、PABTIという変数名を持つ。飲食情報設定インターフェース選択ボタン5m2は、PABTIFDという変数名を持ち、賃貸情報設定インターフェース選択ボタン5m3は、PABTIRNという変数名を持ち、求人情報設定インターフェース選択ボタン5m4は、PABTIPRという変数名を持ち、キーワード設定インターフェース選択ボタン5m5は、PABTIKYという変数名を持つ。
【０１６６】
飲食情報設定インターフェース保持部5iは、情報提供者が飲食店の情報を配信しようとする場合に、その情報提供者が経営する飲食店の情報を設定する飲食情報設定インターフェース5i1を保持する部分である。また、その飲食情報設定インターフェース5i1の構成例を図３７に示す。
【０１６７】
飲食情報設定インターフェース5i1は、情報提供者の経営する店で客が使う平均的な費用を設定する予算設定部5i2と、情報提供者がその店の食事の業態を設定する食事の業態設定部5i3と、情報提供者がその店の提供できるサービスを設定するサービス設定部5i4と、情報提供者が自由に自分の店をアピール文章や情報提供者がサービス設定部5i4で設定できなかったサービスなどを入力するフリーワード設定部5i5で構成される。飲食情報設定インターフェース保持部5iに保持される飲食情報設定インターフェースデータは、PAFDIという変数名を持つ。
【０１６８】
また、飲食情報設定インターフェース5i1で情報提供者が設定した予算データ、食事の業態データ、サービスデータ、フリーワードデータを一まとまりにしたシーケンシャルデータは、PAFODという変数名を持つ。飲食情報設定インターフェース5i1の設定例を図３８に示す。
【０１６９】
予算設定部5i2は、情報提供者の経営する店で客が使う平均的な費用を設定する部分である。例えば、情報提供者が、「2000円」と設定した場合、飲食情報検索インターフェース1i1を利用し、「1000円から3000円」の間と選択したユーザーに対し、提供情報設定インターフェース5e1で情報提供者が設定した情報を携帯端末１に配信する。飲食情報設定インターフェース5i1上にある予算設定部5i2で情報提供者が設定した予算データは、PAFODBDという変数名を持つ。
【０１７０】
食事の業態設定部5i3は、情報提供者がその店の食事の業態を設定する部分である。例えば、情報提供者が、和食、中華、洋食のいずれかの食事の業態の中から「和食」を選択した場合、飲食情報検索インターフェース1i1を利用し、「和食」を選択したユーザーに対し、提供情報設定インターフェース5e1で情報提供者が設定した情報を携帯端末１に配信する。飲食情報設定インターフェース5i1上にある食事の業態設定部5i3で情報提供者が設定した食事の業態データは、PAFODTYという変数名を持つ。
【０１７１】
サービス設定部5i4は、情報提供者がその店の提供できるサービスを設定する部分である。例えば、情報提供者が、個室用意、ペットOK、クーポン、食べ放題、禁煙室、子連れOKのいずれかのサービスの中から「個室用意」を選択した場合、飲食情報検索インターフェース1i1を利用し、「個室用意」を設定したユーザーに対し、提供情報設定インターフェース5e1で情報提供者が設定した情報を携帯端末１に配信する。飲食情報設定インターフェース5i1上にあるサービス設定部5i4で情報提供者が設定したサービスデータは、PAFODOPという変数名を持つ。
【０１７２】
フリーワード設定部5i5は、情報提供者が自由に自分の店をアピール文章や情報提供者がサービス設定部5i4で設定できなかったサービスなどを入力する。例えば、「誕生日」というフレーズを入力した場合、飲食情報検索インターフェース1i1を利用し、「誕生日」と入力したユーザーに対し、提供情報設定インターフェース5e1で情報提供者が設定した情報を携帯端末１に配信する飲食情報設定インターフェース5i1上にあるフリーワード設定部5i5で情報提供者が設定したフリーワードデータは、PAFODFRという変数名を持つ。
【０１７３】
賃貸情報設定インターフェース保持部5jは、情報提供者が賃貸情報を配信しようとする場合に、その情報を設定する賃貸情報設定インターフェース5j1を保持する部分である。また、その賃貸情報設定インターフェース5j1の構成例を図３９に示す。
【０１７４】
賃貸情報設定インターフェース5j1は、情報提供者が情報を配信しようとする建物の家賃を設定する家賃設定部5j2と、情報提供者が情報を配信しようとする建物の築年数を設定する築年数設定部5j3と、情報提供者が情報を配信しようとする建物の間取りを設定する間取り設定部5j5と、情報提供者が情報を配信しようとする建物の種別を設定する建物種別設定部5j4と、情報提供者が情報を配信しようとする建物に付属する条件を設定する付属条件設定部5j6と、情報提供者が情報を配信しようとする建物をアピールする文章や情報提供者が付属条件設定部5j6で設定できなかった付属条件などを入力するのに利用するフリーワード設定部5j7から構成される。賃貸情報設定インターフェース保持部5jが保持する賃貸情報設定インターフェースデータは、PARNIという変数名を持つ。
【０１７５】
また、賃貸情報設定インターフェース5j1で情報提供者が設定した家賃データ、築年数データ、間取りデータ、建物種別データ、付属条件データ、フリーワードデータを一まとまりにしたシーケンシャルデータは、PARNTという変数名を持つ。賃貸情報設定インターフェース5j1の設定例を図４０に示す。
【０１７６】
家賃設定部5j2は、情報提供者が情報を配信しようとする建物の家賃を設定する部分である。例えば、情報提供者が「55,000円」と設定した場合、賃貸情報検索インターフェース1j1を利用し、「上限50,000円、上限60,000円」と選択したユーザーに対し、提供情報設定インターフェース5e1で情報提供者が設定した情報を携帯端末１に配信する。賃貸情報設定インターフェース5j1上で情報提供者が設定した家賃データは、PARNTRNという変数名を持つ。
【０１７７】
築年数設定部5j3は、情報提供者が情報を配信しようとする建物の築年数を設定する部分である。例えば、情報提供者が「3年以内」と設定した場合、賃貸情報検索インターフェース1j1を利用し、「3年以内」を選択したユーザーに対し、提供情報設定インターフェース5e1で情報提供者が設定した情報を携帯端末１に配信する。賃貸情報設定インターフェース5j1上で、情報提供者が設定した築年数データは、PARNTAGという変数名を持つ。
【０１７８】
建物種別設定部5j4は、情報提供者が情報を配信しようとする建物の種別を設定する部分である。例えば、情報提供者がマンション、アパート、一戸建ての中から、“アパート”を選択した場合、賃貸情報検索インターフェース1j1を利用し、同じく「アパート」を選択したユーザーに対し、提供情報設定インターフェース5e1で情報提供者が設定した情報を携帯端末１に配信する。賃貸情報設定インターフェース5j1上で、情報提供者が設定した建物種別データは、PARNTTYという変数名を持つ。
【０１７９】
間取り設定部5j5は、情報提供者が情報を配信しようとする建物の間取りを設定する部分である。例えば、情報提供者が１R、１K／１DK、１LDK、2K／2DK、2LDK、3k／3DK、3LDK  、4K以上の中から「1LDK」と設定した場合、賃貸情報検索インターフェース1j1を利用し、同じく「１LDK」を選択したユーザーに対し、提供情報設定インターフェース5e1で情報提供者が設定した情報を携帯端末１に配信する。賃貸情報設定インターフェース5j1上で、情報提供者が設定した間取りデータは、PARNTLYという変数名を持つ。
【０１８０】
付属条件設定部5j6は、情報提供者が情報を配信しようとする建物に付属する条件を設定する部分である。例えば、情報提供者が1階、2階以上、南部屋、エアコンつき、角部屋、バス・トイレ別の中から「エアコンつき」を選択した場合、賃貸情報検索インターフェース1j1を利用し、同じく「エアコンつき」を選択したユーザーに対し、提供情報設定インターフェース5e1上で、情報提供者が設定した情報を携帯端末１に配信する。賃貸情報設定インターフェース5j1上で、情報提供者が設定した付属条件データは、PAPRTOPという変数名を持つ。
【０１８１】
フリーワード設定部5j7は、情報提供者が情報を配信しようとする建物をアピールする文章や情報提供者が付属条件設定部5j6で設定できなかった付属条件などを入力するのに利用する。例えば、「オートロック」というフレーズを入力した場合、賃貸情報検索インターフェース1j1を利用し、「オートロック」と入力したユーザーに対し、提供情報設定インターフェース5e1で情報提供者が設定した情報を携帯端末１に配信する。賃貸情報設定インターフェース5j1上で、情報提供者が設定したフリーワードデータは、PAPRTFRという変数名を持つ。
【０１８２】
求人情報設定インターフェース保持部5kは、情報提供者が求人情報を配信しようとする場合に、提供する情報を設定する求人情報設定インターフェース5k1を保持する部分である。また、その求人情報設定インターフェース5k1の構成例を図４１に示す。
【０１８３】
求人情報設定インターフェース5k1は、情報提供者が募集する求人の職種を設定する職種設定部5k2と、情報提供者が雇用の形態を設定する雇用形態設定部5k3と、情報提供者が求人の給与を設定する給与設定部5k4と、情報提供者が募集する求人の勤務時間を設定する勤務時間設定部5k5と、情報提供者が求人の待遇を設定する待遇設定部5k6と、情報提供者が情報を配信しようとする求人情報をアピールする文章や情報提供者が待遇設定部5k6で設定できなかった付属条件などを入力するのに利用するフリーワード設定部5k7から構成される。求人情報設定インターフェース保持部5kに保持される求人情報設定インターフェースデータは、PAPRIという変数名を持つ。
【０１８４】
また、求人情報設定インターフェース5k1で情報提供者が設定した職種データ、雇用形態データ、給与データ、勤務時間データ、待遇データ、フリーワードデータが一まとまりになったシーケンシャルデータは、PAPRTという変数名を持つ。また、求人情報設定インターフェース5k1の設定例を図４２に示す。
【０１８５】
職種設定部5k2は、情報提供者が配信しようとする求人情報に載せる職種を設定する部分である。例えば、情報提供者が営業系、事務系、フード系、販売系の中から「フード系」を選択した場合、求人情報検索インターフェース1k1を利用し、同じく「フード系」を選択したユーザーに対し、提供情報設定インターフェース5e1で情報提供者が設定した情報を携帯端末１に配信する。求人情報設定インターフェース5k1上の職種設定部5k2で情報提供者が設定した職種データは、PAPRTJBという変数名を持つ。
【０１８６】
雇用形態設定部5k3は、情報提供者が配信しようとする求人情報に載せる求人の雇用形態を設定する部分である。例えば、情報提供者がアルバイト、正社員、契約社員から“アルバイト”を設定した場合、求人情報検索インターフェース1k1を利用し、同じく「アルバイト」を選択したユーザーに対し、提供情報設定インターフェース5e1で情報提供者が設定した情報を携帯端末１に配信する。求人情報設定インターフェース5k1上の雇用形態他設定部で情報提供者が設定した雇用形態データは、PAPRTTYという変数名を持つ。
【０１８７】
給与設定部5k4は、情報提供者が配信しようとする求人情報に載せる求人の給与を設定する部分である。例えば、情報提供者が時給を「1200円」と設定した場合、求人情報検索インターフェース1k1を利用し、「下限1000円、上限1500円」と設定したユーザーに対し、提供情報設定インターフェース5e1で情報提供者が設定した情報を携帯端末１に配信する。求人情報設定インターフェース5k1上の給与設定部5k4で情報提供者が設定した給与データは、PAPRTWGという変数名を持つ。
【０１８８】
勤務時間設定部5k5は、情報提供者が配信しようとする求人情報に載せる求人の勤務の曜日と時間を設定する部分である。例えば、情報提供者が月、火、水、木、金、土、日のなかから「月、火、水、木」の「19時から23時」と設定した場合、求人情報検索インターフェース1k1を利用し、「火、水、木」の「18時から24時」と設定したユーザーに対し、提供情報設定インターフェース5e1で情報提供者が設定した情報を携帯端末１に配信する。求人情報設定インターフェース5k1上で、情報提供者が設定した勤務時間データは、PAPRTWKという変数名を持つ。
【０１８９】
待遇設定部5k6は、情報提供者が配信しようとする求人情報に載せる求人に対する待遇を設定する部分である。例えば、情報提供者が制服支給、食事付き、歩合制の中から「制服支給」を設定した場合、求人情報検索インターフェース1k1を利用し、同じく「制服支給」と設定したユーザーに対し、提供情報設定インターフェース5e1で情報提供者が設定した情報を携帯端末１に配信する。求人情報設定インターフェース5k1上で、情報提供者が設定した待遇データは、PAPRTOPという変数名を持つ。
【０１９０】
フリーワード設定部5k7は、情報提供者が求人情報を配信しようとする職場などをアピールする文章や情報提供者が待遇設定部5k6で設定できなかった求人の待遇などを入力するのに利用する。例えば、情報提供者が「週払い」というフレーズを入力した場合、求人情報検索インターフェース1k1を利用し、「週払い」と入力したユーザーに対し、提供情報設定インターフェース5e1で情報提供者が設定した情報を携帯端末１に配信する。求人情報設定インターフェース5k1上で、情報提供者が設定したフリーワードデータは、PAPRTFRという変数名を持つ。
【０１９１】
キーワード設定インターフェース保持部5lは、情報提供者が任意のキーワードを設定し、そのキーワードを検索するユーザーに対して、情報を配信する場合に利用するキーワード設定インターフェース5l1を保持する部分である。また、そのキーワード設定インターフェース5l1の構成例を図４３に示す。
【０１９２】
キーワード設定インターフェース5l1は、キーワード設定部5l2で構成される。キーワード設定部5l2は、情報提供者が任意のキーワードや文章を入力することのできる部分である。例えば、情報提供者が「ハリーポッター」という単語を入力した場合、キーワード検索インターフェース1l1を利用し、「ハリーポッター」を入力したユーザーに対し、提供情報設定インターフェース5e1で情報提供者が設定した情報を携帯端末１に配信する。キーワード設定インターフェース保持部5lに保持されたキーワード設定インターフェースデータは、PAKYIという変数名を持つ。
【０１９３】
また、キーワード設定インターフェース5l1で設定されたキーワードデータは、PAKYWという変数名を持つ。キーワード設定インターフェース5l1の設定例を図４４に示す。
【０１９４】
無線データ通信装置検索結果表示インターフェース保持部5nは、情報提供者が、ユーザー条件設定インターフェース5h1や、配信範囲設定インターフェース5f1や、配信時間帯設定インターフェース5g1や、各種情報設定インターフェースで設定したデータを基に、過去に本自動情報配信システムを利用したユーザーの情報やユーザーの検索内容や無線データ通信装置３の位置情報を蓄積するユーザー情報蓄積部６に蓄積されたデータを参照し、無線データ通信装置３の設置位置とユーザーの人数を結果として表示する無線データ通信装置検索結果表示インターフェース5n1を保持する部分である。また、その無線データ通信装置検索結果表示インターフェース5n1の構成例を図４５に示す。
【０１９５】
情報提供者は、自分の提供したい情報を配信するのに最適な無線データ通信装置３を選び出すことで、情報配信を効率よく行うことができる。情報提供者は無線データ通信装置検索結果表示インターフェース5n1から提供する情報を配信する無線データ通信装置３をひとつもしくは複数選択する。
【０１９６】
無線データ通信装置検索結果表示インターフェース5n1は、ユーザーの人数を表示するユーザー人数表示部5n2と、検索結果である無線データ通信装置識別番号を表示する無線データ通信装置識別番号表示部5n3と、無線データ通信装置３の位置を地図上に表示する無線データ通信装置設置位置表示部5n4、及び情報提供者に最適な無線データ通信装置３をユーザー情報蓄積部６に蓄積されたデータの中から検索する際に押される実行ボタン5n5と、その結果から最終的に情報提供者が利用する無線データ通信装置３を決定する際に押される決定ボタン5n6で構成される。無線データ通信装置検索結果表示インターフェース保持部5nに保持された無線データ通信装置検索結果表示インターフェースデータは、PARSIという変数名を持つ。また、実行ボタン5n5は、PARSIEXという変数名を持ち、決定ボタン5n6は、PARSISLという変数名を持つ。また、無線データ通信装置検索結果表示インターフェース5n1の表示例を図４６に示す。
【０１９７】
ユーザー人数表示部5n2は、受信した無線データ通信装置識別番号データと、無線データ通信装置設置位置情報データが一まとまりになったシーケンシャルデータの中の無線データ通信装置識別番号データを基に、情報提供者が設定した情報に合致したユーザーが利用したことがある無線データ通信装置３の無線データ通信装置識別番号の数を数えることによりその数を表示する部分である。その数は、無線データ通信装置３ごとの情報提供者が設定した条件に合ったユーザーの人数に相当する。無線データ通信装置検索結果表示インターフェース5n1上にあるユーザー人数表示部5n2が持つユーザー人数データはPARSINMという変数名を持つ。
【０１９８】
無線データ通信装置識別番号表示部5n3は、受信した無線データ通信装置識別番号データと、無線データ通信装置設置位置情報データが一まとまりになったシーケンシャルデータの中の無線データ通信装置識別番号データを基に、情報提供者が設定した情報に合致したユーザーが利用したことがある無線データ通信装置３の無線データ通信装置識別番号を表示する部分である。無線データ通信装置検索結果表示インターフェース5n1上にある無線データ通信装置識別番号表示部5n3が持つ無線データ通信装置識別番号データはPARSIIDという変数名を持つ。
【０１９９】
無線データ通信装置設置位置表示部5n4は、受信した無線データ通信装置識別番号データと、無線データ通信装置設置位置情報データが一まとまりになったシーケンシャルデータの中の無線データ通信装置設置位置情報データを基に、情報提供者が設定した情報に合致したユーザーが利用したことがある無線データ通信装置３の設置位置を表示する部分である。無線データ通信装置検索結果表示インターフェース5n1上にある無線データ通信装置設置位置表示部5n4が持つ無線データ装置設置位置データは、PARSIMPという変数名を持つ。
【０２００】
図４７は、本自動情報配信システムを構成するユーザー情報蓄積部６の構成例を示す。ユーザー情報蓄積部６は、携帯端末１や無線データ通信装置３から得られたデータを蓄積し、情報提供者が情報を配信しようとする際に設定された各種条件に最適な無線データ通信装置３を検索する際に参照するデータをシーケンシャルデータとして保持する。ユーザー情報蓄積部６は、携帯端末１と無線データ通信装置３から得られたデータを蓄積するユーザー情報蓄積データ保持部6aと、中央演算処理部6bと、ネットワークインターフェース6cと、電源供給部6dで構成される。上記に述べた各種データ保持部は、ユーザー情報蓄積部６以外の別メモリに保持されてあってもかまわない。
【０２０１】
ユーザー情報蓄積データ保持部6aは、携帯端末１から配信されるユーザーの年齢データ、性別データ、携帯端末識別番号データ、時刻情報データ、情報検索インターフェースで設定された各種データ、及び通信端末２を介して得られた無線データ通信装置設置位置データ、無線データ通信装置識別番号データが一まとまりになったシーケンシャルデータを保持する部分である。ユーザー情報蓄積データ保持部6aに保持されるデータは、DBUSRという変数名を持つ。
【０２０２】
情報提供者とユーザーは、本自動情報配信システムを利用する際に利用登録を行う必要がある。続いては、情報提供者の利用登録と、ユーザーの利用登録におけるデータの流れを説明する。
【０２０３】
情報提供者は、通信端末２を用いて、情報提供者管理部５にある情報提供者登録フォーム保持部5aより、情報提供者登録フォーム5a1をダウンロードし、登録を行う。登録が終わると、情報提供者管理部５から情報提供者固有に割り当てられる情報提供者IDとパスワードを受信し、設定は完了する。
【０２０４】
ユーザーは、携帯端末１内部にあるユーザー登録フォーム保持部1cに保持されたユーザー登録フォーム1c1を呼び出し、登録を行う。登録が終わると、ユーザー管理部４からユーザー固有に割り当てられるユーザーIDとユーザーパスワードを受信し、設定は完了する。
【０２０５】
図４８は、情報提供者が本自動情報配信システムを利用する際、必要な情報提供者登録のフローチャートを示す。
【０２０６】
情報提供者は、通信端末2を利用し、インターネット7を介して情報提供者管理部5  にアクセスし、情報提供者登録フォーム5a1をダウンロードし、情報提供者登録フォーム5a1の各項目に入力を行う。入力が終了したら、決定ボタン5a5を押す。
【０２０７】
決定ボタン5a5を押すと、通信端末２の中央演算処理部は、情報提供者登録フォーム5a1上の氏名入力部5a2から氏名データを呼び出し、続いて、生年月日入力部5a3から生年月日データを呼び出し、氏名データの後ろに加える。続いて、性別データを呼び出し、生年月日データの後ろに加え、出来上がった氏名データ、生年月日データ、性別データを一まとまりにしたシーケンシャルデータを情報提供者管理部５に送信する。
【０２０８】
情報提供者管理部５が、それら氏名データ、生年月日データ、性別データを一まとまりにしたシーケンシャルデータを受信すると、情報提供者管理部５の中央演算処理部5pは、情報提供者ID・パスワード付与部5bから新しい情報提供者IDデータと、パスワードデータを呼び出し、それら氏名データ、生年月日データ、性別データが一まとまりになったシーケンシャルデータの後に加え、氏名データ、生年月日データ、性別データ、情報提供者IDデータ、パスワードデータが一まとまりになったシーケンシャルデータを作り、情報提供者ID・パスワード保持部5cに保持させる。
【０２０９】
続いて、情報提供者管理部5の中央演算処理部5pは、情報提供者ID・パスワード保持部5cに保持された情報提供者IDデータ、パスワードデータを呼び出し、続いて、情報提供者ID・パスワード入力インターフェース保持部5dに保持された情報提供者ID・パスワード入力インターフェースデータを呼び出し、それらを情報提供者IDデータ、パスワードデータのあとに加える。続いて、情報提供者IDデータ、パスワードデータ、情報提供者ID・パスワード入力インターフェースデータを一まとまりとするシーケンシャルデータを通信端末2に送信し、情報提供者IDと、パスワードが情報提供者に通知され、情報提供者登録は終了する。情報提供者ID・パスワード入力インターフェース5d1は、情報提供者が通信端末２内部に保持させる必要がある。
【０２１０】
図４９は、ユーザーが本自動情報配信システムを利用する際、必要なユーザー登録のフローチャートを示す。
【０２１１】
ユーザーは、携帯端末１内部にあるユーザー登録フォーム保持部1cからユーザー登録フォーム1c1を開き、ユーザー登録フォーム1c1の各項目に入力を行う。入力が終了したら、決定ボタン1c5を押す。
【０２１２】
決定ボタン1c5を押すと、携帯端末1の中央演算処理部1qは、ユーザー登録フォーム1c1上の氏名入力部1c2から氏名データを呼び出し、続いて、生年月日入力部1c3から生年月日データを呼び出し、氏名データの後ろに加える。続いて、性別データを呼び出し、生年月日データの後ろに加え、続いて、携帯端末識別番号保持部1hから携帯端末識別番号データを呼び出し、性別データの後ろに加え、出来上がった氏名データ、生年月日データ、性別データ、携帯端末識別番号データを一まとまりにしたシーケンシャルデータを携帯端末１の通信範囲にある無線データ通信装置3に送信する。
【０２１３】
無線データ通信装置3が、その氏名データ、生年月日データ、性別データ、携帯端末識別番号データを一まとまりにしたシーケンシャルデータを受信すると、無線データ通信装置3の中央演算処理部3cは、無線データ通信装置識別番号保持部3aから無線データ通信装置識別番号データを呼び出し、氏名データ、生年月日データ、性別データ、携帯端末識別番号データを一まとまりにしたシーケンシャルデータの後ろに加え、氏名データ、生年月日データ、性別データ、携帯端末識別番号データ、無線データ通信装置識別番号データを一まとまりにしたシーケンシャルデータをユーザー管理部4に送信する。
【０２１４】
ユーザー管理部4が、それら氏名データ、生年月日データ、性別データ、携帯端末識別番号データ、無線データ通信装置識別番号データを一まとまりにしたシーケンシャルデータを受信すると、ユーザー管理部4の中央演算処理部4cは、ユーザーID・パスワード付与部4aから新しいユーザーIDデータとユーザーパスワードデータを呼び出し、氏名データ、生年月日データ、性別データ、携帯端末識別番号データ、無線データ通信装置識別番号データを一まとまりにしたシーケンシャルデータの後ろに加え、氏名データ、生年月日データ、性別データ、携帯端末識別番号データ、無線データ通信装置識別番号データ、ユーザーIDデータ、ユーザーパスワードデータを一まとまりにしたシーケンシャルデータを作る。
【０２１５】
続いて、氏名データ、生年月日データ、性別データ、携帯端末識別番号データ、無線データ通信装置識別番号データ、ユーザーIDデータ、ユーザーパスワードデータを一まとまりにしたシーケンシャルデータの中から、氏名データ、生年月日データ、性別データ、ユーザーIDデータ、ユーザーパスワードデータを呼び出し、氏名データ、生年月日データ、性別データ、ユーザーIDデータ、ユーザーパスワードデータで構成されるシーケンシャルデータを作り、ユーザー情報保持部4bに保持させる。
【０２１６】
続いて、同じく氏名データ、生年月日データ、性別データ、携帯端末識別番号データ、無線データ通信装置識別番号データ、ユーザーIDデータ、ユーザーパスワードデータを一まとまりにしたシーケンシャルデータの中から、生年月日データ、性別データ、携帯端末識別番号データ、無線データ通信装置識別番号データ、ユーザーIDデータ、ユーザーパスワードデータを呼び出し、生年月日データ、性別データ、携帯端末識別番号データ、無線データ通信装置識別番号データ、ユーザーIDデータ、ユーザーパスワードデータで構成されるシーケンシャルデータを作り、無線データ通信装置識別番号を基に、ユーザーが始めに送信した氏名データ、生年月日データ、性別データ、携帯端末識別番号データを一まとまりにしたシーケンシャルデータを受信した無線データ通信装置3に送信する。
【０２１７】
その無線データ通信装置3が、生年月日データ、性別データ、携帯端末識別番号データ、無線データ通信装置識別番号データ、ユーザーIDデータ、ユーザーパスワードデータで構成されるシーケンシャルデータを受信すると、無線データ通信装置3の中央演算処理部3cは、携帯端末識別番号データを基に、生年月日データ、性別データ、携帯端末識別番号データ、ユーザーIDデータ、ユーザーパスワードデータが一まとまりになったシーケンシャルデータをユーザーの携帯端末1に送信する。
【０２１８】
携帯端末1が、それら生年月日データ、性別データ、携帯端末識別番号データ、ユーザーIDデータ、ユーザーパスワードデータが一まとまりになったシーケンシャルデータを受信すると、携帯端末1の中央演算処理部1qは、生年月日データを携帯端末１内部のユーザー生年月日保持部1dに保持させ、性別データをユーザー性別保持部1gに保持させ、ユーザーIDデータをユーザーID保持部1aに保持させ、ユーザーパスワードデータをユーザーパスワード保持部1bに保持させ、ユーザー登録を終了する。
【０２１９】
続いて、ユーザーが欲する飲食情報を検索する際の流れをデータの流れにより説明する。
【０２２０】
ユーザー登録をすませたユーザーは、携帯端末１に保持された飲食情報検索インターフェース1i1を利用し、自身の欲する飲食店に関する情報の条件を設定する。
【０２２１】
ユーザーが携帯端末１内部に保持されたユーザーが設定したそれらの条件は、携帯端末１内部の検索データ保持部1mに保持されるが、ここでは、ユーザーが設定したそれらの条件は、上記ですでに設定されており、そのデータは、検索データ保持部1mに保持されているものとする。
【０２２２】
ユーザーが欲する飲食情報を検索する際、携帯端末１内部で作られたシーケンシャルデータが無線データ通信装置3に送信されるまでの、携帯端末１の中央演算処理部1qのデータ処理を示したフローチャートを図５０に示す。尚、携帯端末１から無線データ通信装置３へデータが送信されるとき、ユーザーが一時的に情報を検索したいと考えている場合には、ユーザーが指示を掛けたときだけ次の処理をし、継続的に検索をしたいと考えるときには、自動的に一定間隔や無線データ通信装置３の通信範囲毎で次のデータ処理を行う場合に分けて設定することもできる。
【０２２３】
携帯端末１の中央演算処理部1qは、ユーザー年齢保持部1fより、ユーザー年齢データを呼び出し、続いて、携帯端末１の中央演算処理部1qは、ユーザー性別保持部1gよりユーザー性別データを呼び出し、ユーザー年齢データの後ろにユーザー性別データを加える。続いて、携帯端末１の中央演算処理部1qは、携帯端末識別番号保持部1hより、携帯端末識別番号データを呼び出し、ユーザー年齢データの後ろに加える。続いて、携帯端末１の中央演算処理部1qは、送信データ保持部より、飲食情報検索インターフェース1i1にてユーザーが設定した予算データ、食事の業態データ、サービスデータ、フリーワードデータが一つにまとまったシーケンシャルデータを呼び出し、携帯端末識別番号データの後ろに加える。続いて、携帯端末１の中央演算処理部1qは、ユーザーID保持部1aより、ユーザーIDデータを呼び出し、フリーワードデータの後ろに付け加える。続いて、携帯端末１の中央演算処理部1qは、ユーザーパスワード保持部1bより、ユーザーパスワードデータを呼び出し、ユーザーIDデータの後ろに付け加える。続いて、携帯端末１の中央演算処理部1qは、時刻情報保持部1eより、時刻情報データを呼び出し、ユーザーパスワードデータの後ろに加える。続いて、携帯端末１の中央演算処理部1qは、それらユーザー年齢データ、ユーザー性別データ、携帯端末識別番号データ、予算データ、食事の業態データ、サービスデータ、フリーワードデータ、ユーザーIDデータ、ユーザーパスワードデータ、時刻情報データが一まとまりになったシーケンシャルデータを無線データ通信装置3に送信する。
【０２２４】
次に、ユーザーが欲する飲食情報を検索する際、携帯端末１から発信されたシーケンシャルデータが、無線データ通信装置3を介してユーザー管理部4に送信されるまでの、無線データ通信装置3の中央演算処理部3cのデータ処理を示したフローチャートを図５１に示す。
【０２２５】
無線データ通信装置3に送信されたユーザー年齢データ、ユーザー性別データ、携帯端末識別番号データ、予算データ、食事の業態データ、サービスデータ、フリーワードデータ、ユーザーIDデータ、ユーザーパスワードデータ、時刻情報データが一まとまりになったシーケンシャルデータは、無線データ通信装置3の中央演算処理部3cに渡され、無線データ通信装置3の中央演算処理部3cは、無線データ通信装置識別番号保持部3aより、無線データ通信装置識別番号データを呼び出し、時刻情報データの後ろに加える。続いて、無線データ通信装置3の中央演算処理部3cは、無線データ通信装置設置位置情報保持部3bより、無線データ通信装置設置位置情報データを呼び出し、無線データ通信装置識別番号データの後ろに加える。続いて、無線データ通信装置3の中央演算処理部3cは、それら、ユーザー年齢データ、ユーザー性別データ、携帯端末識別番号データ、予算データ、食事の業態データ、サービスデータ、フリーワードデータ、ユーザーIDデータ、ユーザーパスワードデータ、時刻情報データ、及び無線データ通信装置識別番号データ、無線データ通信装置設置位置情報データが一まとまりになったシーケンシャルデータをユーザー管理部4に送信する。
【０２２６】
次に、ユーザーが欲する飲食情報を検索する際、携帯端末１から、無線データ通信装置3と、ユーザー管理部4を介して作られたシーケンシャルデータが情報提供者管理部5、及びユーザー情報蓄積部6に送信されるまでの、ユーザー管理部4の中央演算処理部4cのデータ処理を示したフローチャートを図５２に示す。
【０２２７】
ユーザー管理部4に送信されたユーザー年齢データ、ユーザー性別データ、携帯端末識別番号データ、予算データ、食事の業態データ、サービスデータ、フリーワードデータ、ユーザーIDデータ、ユーザーパスワードデータ、時刻情報データ、及び無線データ通信装置識別番号データ、無線データ通信装置設置位置情報データが一まとまりになったシーケンシャルデータは、ユーザー管理部４の中央演算処理部4cに渡され、ユーザー管理部４の中央演算処理部4cは、ユーザー情報保持部4bにあるユーザーIDデータを呼び出し、送信されてきたユーザーIDデータと照合する。
【０２２８】
ユーザー情報保持部4bに保持されたユーザーIDと送信されてきたユーザーIDが適合した場合、ユーザー管理部4中央演算処理4cは、ユーザー情報保持部4bに保持されたユーザーパスワードデータを呼び出し、送信されてきたユーザーパスワードデータと照合する。
【０２２９】
ユーザー情報保持部4bに保持されたユーザーパスワードと送信されてきたユーザーパスワードが適合した場合、ユーザー管理部4の中央演算処理部4cは、ユーザー年齢データ、ユーザー性別データ、予算データ、食事の業態データ、サービスデータ、フリーワードデータ、時刻情報データ、及び無線データ通信装置識別番号データ、無線データ通信装置設置位置情報データをユーザー情報蓄積部6に送信する。
【０２３０】
また、ユーザー年齢データ、ユーザー性別データ、携帯端末識別番号データ、予算データ、食事の業態データ、サービスデータ、フリーワードデータ、時刻情報データ及び、無線データ通信装置識別番号データ、無線データ通信装置設置位置情報データが一まとまりになったシーケンシャルデータを情報提供者管理部5に送信する。
【０２３１】
次に、ユーザーが欲する飲食情報を検索する際、携帯端末１から、無線データ通信装置3と、ユーザー管理部4を介して作られたシーケンシャルデータが情報提供者管理部5で、情報提供者が設定したシーケンシャルデータと照会され、合致した場合、同じく情報提供者が設定した提供情報データが、無線データ通信装置3を介し、携帯端末１に送信され、保持されるまでの、情報提供者管理部5、無線データ通信装置3、及び携帯端末１の中の、のデータ処理を示したフローチャートを図５３に示す。
【０２３２】
情報提供者管理部5に送信されたユーザー年齢データ、ユーザー性別データ、携帯端末識別番号データ、予算データ、食事の業態データ、サービスデータ、フリーワードデータ、時刻情報データ及び、無線データ通信装置識別番号データ、無線データ通信装置設置位置情報データが一まとまりになったシーケンシャルデータは、情報提供者管理部5の中央演算処理部5pに渡され、情報提供者管理部5の中央演算処理部5pは、参照データ保持部5oから、情報提供者がユーザー条件設定インターフェース5h1の年齢設定部5h2で設定したユーザー年齢に当てはまるユーザー年齢データを呼び出し、その情報提供者がユーザー条件設定インターフェース5h1の年齢設定部5h2で設定したユーザー年齢に当てはまるユーザー年齢データと携帯端末１の送信されてきたユーザー年齢データを照会し、それらが合致した参照データの中から、情報提供者がユーザー条件設定インターフェース5h1の性別設定部5h3で設定したユーザー性別に当てはまるユーザー性別データを呼び出し、その情報提供者がユーザー条件設定インターフェース5h1の性別設定部5h3で設定したユーザーの性別に当てはまるユーザー性別データと、送信されてきたユーザー性別データを照会しする。
【０２３３】
続いて、それらが合致した参照データの中から、情報提供者が飲食情報設定インターフェース5i1で設定した予算に当てはまる予算データを呼び出し、その情報提供者が飲食情報設定インターフェース5i1で設定した予算に当てはまる予算データと、送信されてきた予算データを照会し、それらが合致した参照データの中から、情報提供者が飲食情報設定インターフェース5i1で設定した食事の業態に当てはまる食事の業態データを呼び出し、その情報提供者が飲食情報設定インターフェース5i1で設定した食事の業態に当てはまる食事の業態データと、送信されてきた食事の業態データを照会する。
【０２３４】
続いて、それらが合致した参照データの中から、情報提供者が飲食情報設定インターフェース5i1で設定したサービスに当てはまるサービスデータを呼び出し、その情報提供者が飲食情報設定インターフェース5i1で設定したサービスに当てはまるサービスデータと、送信されてきたサービスデータを照会し、それらが合致した参照データの中から、情報提供者が飲食情報設定インターフェース5i1で設定したフリーワードに当てはまるフリーワードデータを呼び出し、その情報提供者が飲食情報設定インターフェース5i1で設定したフリーワードに当てはまるフリーワードデータと、送信されてきたフリーワードデータを照会する。
【０２３５】
続いて、それらが合致した参照データの中から、情報提供者が配信時間帯設定インターフェース5g1で設定した配信時間帯に当てはまる配信時間帯データを呼び出し、情報提供者が配信時間帯設定インターフェース5g1で設定した配信時間帯に当てはまる配信時間帯データと、送信されてきた携帯端末１がデータを配信した時刻に当てはまる時刻情報データを照会し、それらが合致した参照データの中から、情報提供者が配信範囲設定インターフェース5f1で設定した配信場所の範囲に当てはまる配信範囲データを呼び出し、その情報提供者が配信範囲設定インターフェース5f1で設定した配信場所の範囲に当てはまる配信範囲データと、送信されてきた無線データ通信装置設置位置情報データを照会し、それらが合致した参照データの中から、情報提供者が無線データ通信装置検索結果表示インターフェース5n1で設定した無線データ通信装置3に当てはまる無線データ通信装置識別番号データを呼び出し、その情報提供者が無線データ通信装置検索結果表示インターフェース5n1で設定した無線データ通信装置3に当てはまる無線データ通信装置識別番号データと、送信されてきた無線データ通信装置識別番号データを参照する。
【０２３６】
続いて、それらが合致した参照データのなかから、情報提供者が提供情報設定インターフェース5e1で設定した提供情報データと、携帯端末識別番号データ、無線データ通信装置識別番号データを呼び出し、それらを一まとまりにしたシーケンシャルデータを作り、無線データ通信装置識別番号を基に無線データ通信装置3に送信する。
【０２３７】
続いて、無線データ通信装置3が、それら携帯端末識別番号データ、無線データ通信装置識別番号データ、提供情報データが一まとまりになったシーケンシャルデータを受信すると、無線データ通信装置3の中央演算処理部3cは、携帯端末識別番号データと提供情報データを、携帯端末識別番号を基に携帯端末１に送信する。
【０２３８】
続いて、携帯端末１は、受信した提供情報データに、携帯端末１がデータを受信した時刻を示す時刻情報データを加え、提供情報データ、時刻情報データを一まとまりにしたシーケンシャルデータを受信データ保持部1nに保持する。
【０２３９】
次に、ユーザーが欲する飲食情報を検索する際、携帯端末１から、無線データ通信装置3と、ユーザー管理部4を介して作られたシーケンシャルデータがユーザー情報蓄積部6に蓄積されるまでのユーザー情報蓄積部6の中央演算処理部6bのデータ処理を示したフローチャートを図５４に示す。
【０２４０】
ユーザー情報蓄積部6に送信されたユーザー年齢データ、ユーザー性別データ、予算データ、食事の業態データ、サービスデータ、フリーワードデータ、時刻情報データ及び、無線データ通信装置識別番号データ、無線データ通信装置設置位置情報データが一まとまりになったシーケンシャルデータは、ユーザー情報蓄積部6の中央演算処理部6bに渡され、ユーザー情報蓄積部6の中央演算処理部6bは、それらユーザー年齢データ、ユーザー性別データ、予算データ、食事の業態データ、サービスデータ、フリーワードデータ、時刻情報データ及び、無線データ通信装置識別番号データ、無線データ通信装置設置位置情報データが一まとまりになったシーケンシャルデータをユーザー情報蓄積データ保持部6aに保持させる。
【０２４１】
次は、ユーザーが欲する賃貸情報を検索する際のデータの流れを説明する。
【０２４２】
ユーザー登録をすませたユーザーは、携帯端末１に保持された賃貸情報検索インターフェース1j1を利用し、自身の欲する賃貸情報の条件を設定する。
【０２４３】
ユーザーが携帯端末１内部に保持されたユーザーが設定したそれらの条件は、携帯端末１内部の検索データ保持部1mに保持されるが、ここでは、ユーザーが設定したそれらの条件は、すでに設定されており、そのデータは、検索データ保持部1mに保持されているものとする。
【０２４４】
ユーザーが欲する賃貸情報を検索する際、携帯端末１内部で作られたシーケンシャルデータが無線データ通信装置3に送信されるまでの、携帯端末１の中央演算処理部1qのデータ処理を示したフローチャートを図５５に示す。尚、携帯端末１から無線データ通信装置３へデータが送信されるとき、ユーザーが一時的に情報を検索したいと考えている場合には、ユーザーが指示を掛けたときだけ次の処理をし、継続的に検索をしたいと考えるときには、自動的に一定間隔や無線データ通信装置３の通信範囲毎で次のデータ処理を行う場合に分けて設定することもできる。
【０２４５】
携帯端末１の中央演算処理部1qは、ユーザー年齢保持部1fより、ユーザー年齢データを呼び出し、続いて、携帯端末１の中央演算処理部1qは、ユーザー性別保持部1gよりユーザー性別データを呼び出し、ユーザー年齢データの後ろにユーザー性別データを加える。続いて、携帯端末１の中央演算処理部1qは、携帯端末識別番号保持部1hより、携帯端末識別番号データを呼び出し、ユーザー年齢データの後ろに加える。
【０２４６】
続いて、携帯端末１の中央演算処理部1qは、携帯端末１の送信データ保持部より、賃貸情報検索インターフェース1j1にてユーザーが設定した家賃データ、築年数データ、建物種別データ、間取りデータ、付属条件データ、フリーワードデータが一つにまとまったシーケンシャルデータを呼び出し、携帯端末識別番号データの後ろに加える。
【０２４７】
続いて、携帯端末１の中央演算処理部1qは、ユーザーID保持部1aより、ユーザーIDデータを呼び出し、キーワードデータの後ろに付け加える。続いて、携帯端末１の中央演算処理部1qは、ユーザーパスワード保持部1bより、ユーザーパスワードデータを呼び出し、ユーザーIDデータの後ろに付け加える。続いて、携帯端末１の中央演算処理部1qは、時刻情報保持部1eより、時刻情報データを呼び出し、ユーザーパスワードデータの後ろに加える。
【０２４８】
続いて、携帯端末１の中央演算処理部1qは、それらユーザー年齢データ、ユーザー性別データ、携帯端末識別番号データ、家賃データ、築年数データ、建物種別データ、間取りデータ、付属条件データ、フリーワードデータ、ユーザーIDデータ、ユーザーパスワードデータ、時刻情報データが一まとまりになったシーケンシャルデータを無線データ通信装置３に送信する。
【０２４９】
次に、ユーザーが欲する賃貸情報を検索する際、携帯端末１内部から、無線データ通信装置3を介して作られたシーケンシャルデータがユーザー管理部4に送信されるまでの、無線データ通信装置3の中央演算処理部3cのデータ処理を示したフローチャートを図５６に示す。
【０２５０】
無線データ通信装置3に送信されたユーザー年齢データ、ユーザー性別データ、携帯端末識別番号データ、家賃データ、築年数データ、建物種別データ、間取りデータ、付属条件データ、フリーワードデータ、ユーザーIDデータ、ユーザーパスワードデータ、時刻情報データが一まとまりになったシーケンシャルデータは、無線データ通信装置３の中央演算処理部3cに渡され、無線データ通信装置3の中央演算処理部3cは、無線データ通信装置識別番号保持部3aより、無線データ通信装置識別番号データを呼び出し、時刻情報データの後ろに加える。
【０２５１】
続いて、無線データ通信装置3の中央演算処理部3cは、無線データ通信装置設置位置情報保持部3bより、無線データ通信装置設置位置情報データを呼び出し、無線データ通信装置識別番号データの後ろに加える。
【０２５２】
続いて、無線データ通信装置3の中央演算処理部3cは、それら、ユーザー年齢データ、ユーザー性別データ、携帯端末識別番号データ、家賃データ、築年数データ、建物種別データ、間取りデータ、付属条件データ、フリーワードデータ、ユーザーIDデータ、ユーザーパスワードデータ、時刻情報データ及び、無線データ通信装置識別番号データ、無線データ通信装置設置位置情報データが一まとまりになったシーケンシャルデータをユーザー情報蓄積部６に送信する。
【０２５３】
次に、ユーザーが欲する賃貸情報を検索する際、携帯端末１から、無線データ通信装置3と、ユーザー管理部4を介して作られたシーケンシャルデータが情報提供者管理部5、及びユーザー情報蓄積部6に送信されるまでの、ユーザー管理部4の中央演算処理部4cのデータ処理を示したフローチャートを図５７に示す。
【０２５４】
ユーザー管理部4に送信されたユーザー年齢データ、ユーザー性別データ、携帯端末識別番号データ、家賃データ、築年数データ、建物種別データ、間取りデータ、付属条件データ、フリーワードデータ、ユーザーIDデータ、ユーザーパスワードデータ、時刻情報データ及び、無線データ通信装置識別番号データ、無線データ通信装置設置位置情報データ、が一まとまりになったシーケンシャルデータは、ユーザー管理部4の中央演算処理部4cに渡され、ユーザー管理部4の中央演算処理部4cは、ユーザー情報保持部4bにあるユーザーIDデータを呼び出し、送信されてきたユーザーIDデータと照合する。
【０２５５】
ユーザー情報保持部4bに保持されたユーザーIDと送信されてきたユーザーIDが適合した場合、ユーザー管理部4の中央演算処理部4cは、ユーザー情報保持部4bに保持されたユーザーパスワードデータを呼び出し、送信されてきたユーザーパスワードデータと照合する。
【０２５６】
ユーザー情報保持部4bに保持されたユーザーパスワードと送信されてきたユーザーパスワードが適合した場合、ユーザー管理部4の中央演算処理部4cは、ユーザー年齢データ、ユーザー性別データ、家賃データ、築年数データ、建物種別データ、間取りデータ、付属条件データ、フリーワードデータ、時刻情報データ及び無線データ通信装置識別番号データ、無線データ通信装置設置位置情報データが一まとまりになったシーケンシャルデータをユーザー情報蓄積部6に送信する。
【０２５７】
また、ユーザー年齢データ、ユーザー性別データ、携帯端末識別番号データ、家賃データ、築年数データ、建物種別データ、間取りデータ、付属条件データ、フリーワードデータ、時刻情報データ及び、無線データ通信装置識別番号データ、無線データ通信装置設置位置情報データが一まとまりになったシーケンシャルデータを情報提供者管理部5に送信する。
【０２５８】
次に、ユーザーが欲する賃貸情報を検索する際、携帯端末１から、無線データ通信装置3と、ユーザー管理部4を介して作られたシーケンシャルデータが情報提供者管理部5で、情報提供者が設定したシーケンシャルデータと、照会され、合致した場合、同じく情報提供者が設定した提供情報データが、無線データ通信装置3を介し、携帯端末１に送信され、保持されるまでの、情報提供者管理部5、無線データ通信装置3、及び携帯端末１の中央演算処理部1qのデータ処理を示したフローチャートを図５８に示す。
【０２５９】
情報提供者管理部5に送信されたユーザー年齢データ、ユーザー性別データ、携帯端末識別番号データ、家賃データ、築年数データ、建物種別データ、間取りデータ、付属条件データ、フリーワードデータ、時刻情報データ及び、無線データ通信装置識別番号データ、無線データ通信装置設置位置情報データが一まとまりになったシーケンシャルデータは、情報提供者管理部5の中央演算処理部5pに渡され、情報提供者管理部5の中央演算処理部5pは、参照データ保持部5oから、情報提供者がユーザー条件設定インターフェース5h1の年齢設定部5h2で設定したユーザー年齢に当てはまるユーザー年齢データを呼び出し、その情報提供者がユーザー条件設定インターフェース5h1の年齢設定部5h2で設定したユーザー年齢に当てはまるユーザー年齢データと携帯端末１の送信されてきたユーザー年齢データを照会し、それらが合致した参照データの中から、情報提供者がユーザー条件設定インターフェース5h1の性別設定部5h3で設定したユーザー性別に当てはまるユーザー性別データを呼び出し、その情報提供者がユーザー条件設定インターフェース5h1の性別設定部5h3で設定したユーザー性別に当てはまるユーザー性別データと、送信されてきたユーザー性別データを照会する。
【０２６０】
続いて、それらが合致した参照データの中から、情報提供者が賃貸情報設定インターフェース5j1で設定した家賃に当てはまる家賃データを呼び出し、その情報提供者が賃貸情報設定インターフェース5j1で設定した家賃に当てはまる家賃データと、送信されてきた家賃データを照会し、それらが合致した参照データの中から、情報提供者が賃貸情報設定インターフェース5j1で設定した築年数に当てはまる築年数データを呼び出し、その情報提供者が賃貸情報設定インターフェース5j1で設定した築年数に当てはまる築年数データと、送信されてきた築年数データを照会し、それらが合致した参照データの中から、情報提供者が賃貸情報設定インターフェース5j1で設定した建物種別に当てはまる建物種別データを呼び出し、その情報提供者が賃貸情報設定インターフェース5j1で設定した建物種別に当てはまる建物種別データと、送信されてきた建物種別データを照会する。
【０２６１】
続いて、それらが合致した参照データの中から、情報提供者が賃貸情報設定インターフェース5j1で設定した間取りに当てはまる間取りデータを呼び出し、その情報提供者が賃貸情報設定インターフェース5j1で設定した間取りに当てはまる間取りデータと、送信されてきた間取りデータを照会し、それらが合致した参照データの中から、情報提供者が賃貸情報設定インターフェース5j1で設定した付属条件に当てはまる付属条件データを呼び出し、その情報提供者が賃貸情報設定インターフェース5j1で設定した付属条件に当てはまる付属条件データと、送信されてきた付属条件データを照会し、それらが合致した参照データの中から、情報提供者が賃貸情報設定インターフェース5j1で設定したフリーワードに当てはまるフリーワードデータを呼び出し、その情報提供者が賃貸情報設定インターフェース5j1で設定したフリーワードに当てはまるフリーワードデータと、送信されてきたフリーワードデータを照会する。
【０２６２】
続いて、それらが合致した参照データの中から、情報提供者が配信時間帯設定インターフェース5g1で設定した配信時間帯に当てはまる配信時間帯データを呼び出し、情報提供者が配信時間帯設定インターフェース5g1で設定した配信時間帯に当てはまる時刻情報データと、送信されてきた携帯端末１がデータを発信した時刻に当てはまる時刻情報データを照会し、それらが合致した参照データの中から、情報提供者が配信範囲設定インターフェース5f1で設定した配信場所の範囲に当てはまる配信範囲データを呼び出し、その情報提供者が配信範囲設定インターフェース5f1で設定した配信場所の範囲に当てはまる配信範囲データと、送信されてきた無線データ通信装置設置位置情報データを照会し、それらが合致した参照データの中から、情報提供者が無線データ通信装置検索結果表示インターフェース5n1で設定した無線データ通信装置3に当てはまる無線データ通信装置識別番号データを呼び出し、その情報提供者が無線データ通信装置検索結果表示インターフェース5n1で設定した無線データ通信装置3に当てはまる無線データ通信装置識別番号データと、送信されてきた無線データ通信装置識別番号データを参照する。
【０２６３】
続いて、それらが合致した条件のなかから、情報提供者が提供情報設定インターフェース5e1で設定した提供情報データと、携帯端末識別番号データ、無線データ通信装置識別番号データを呼び出し、それらを一まとまりにしたシーケンシャルデータを作り、無線データ通信装置識別番号データを基に無線データ通信装置3に送信する。
【０２６４】
続いて、無線データ通信装置3が、それら携帯端末識別番号データ、無線データ通信装置識別番号データ、提供情報データが一まとまりになったシーケンシャルデータを受信すると、無線データ通信装置3の中央演算処理部3cは、携帯端末識別番号データ、提供情報データが一まとまりになったシーケンシャルデータを、携帯端末識別番号を基に携帯端末１に送信する。
【０２６５】
携帯端末１は、受信した提供情報データに、携帯端末１がデータを受信した時刻を示す時刻情報データを加え、受信データ保持部1nに保持する。
【０２６６】
次に、ユーザーが欲する賃貸情報を検索する際、携帯端末１内部で作られ、無線データ通信装置3と、ユーザー管理部4を介して作られたシーケンシャルデータがユーザー情報蓄積部6に蓄積されるまでのユーザー情報蓄積部6の中央演算処理部6bのデータ処理を示したフローチャートを図５９に示す。
【０２６７】
ユーザー情報蓄積部6に送信されたユーザー年齢データ、ユーザー性別データ、家賃データ、築年数データ、建物種別データ、間取りデータ、付属条件データ、フリーワードデータ、時刻情報データ及び、無線データ通信装置識別番号データ、無線データ通信装置設置位置情報データが一まとまりになったシーケンシャルデータは、ユーザー情報蓄積部６の中央演算処理部6bに渡され、ユーザー情報蓄積部6の中央演算処理部6bは、それらユーザー年齢データ、ユーザー性別データ、家賃データ、築年数データ、建物種別データ、間取りデータ、付属条件データ、フリーワードデータ、時刻情報データ及び、無線データ通信装置識別番号データ、無線データ通信装置設置位置情報データが一まとまりになったシーケンシャルデータをユーザー情報蓄積データ保持部6aに保持させる。
【０２６８】
次は、ユーザーが欲する求人情報を検索する際のデータの流れを説明する。
【０２６９】
ユーザー登録をすませたユーザーは、携帯端末１に保持された求人情報検索インターフェース1k1を利用し、自身の欲する求人情報の条件を設定する。
【０２７０】
ユーザーが携帯端末１内部に保持されたユーザーが設定したそれらの条件は、携帯端末１内部の検索データ保持部1mに保持されるが、ここでは、ユーザーが設定したそれらの条件は、すでに設定されており、そのデータは、検索データ保持部1mに保持されているものとする。
【０２７１】
ユーザーが欲する求人情報を検索する際、携帯端末１内部で作られたシーケンシャルデータが無線データ通信装置３に送信されるまでの、携帯端末１の中央演算処理部1qのデータ処理を示したフローチャートを図６０に示す。尚、携帯端末１から無線データ通信装置３へデータが送信されるとき、ユーザーが一時的に情報を検索したいと考えている場合には、ユーザーが指示を掛けたときだけ次の処理をし、継続的に検索をしたいと考えるときには、自動的に一定間隔や無線データ通信装置３の通信範囲毎で次のデータ処理を行う場合に分けて設定することもできる。
【０２７２】
携帯端末１の中央演算処理部1qは、ユーザー年齢保持部1fより、ユーザー年齢データを呼び出し、続いて、携帯端末１の中央演算処理部1qは、ユーザー性別保持部1gよりユーザー性別データを呼び出し、ユーザー年齢データの後ろにユーザー性別データを加える。続いて、携帯端末１の中央演算処理部1qは、携帯端末識別番号保持部1hより、携帯端末識別番号データを呼び出し、ユーザー性別データの後ろに加える。
【０２７３】
続いて、携帯端末１の中央演算処理部1qは、携帯端末１の送信データ保持部より、求人情報検索インターフェース1k1にてユーザーが設定した職種データ、雇用形態データ、給与データ、勤務時間データ、待遇データ、フリーワードデータが一つにまとまったシーケンシャルデータを呼び出し、携帯端末識別番号データの後ろに加える。
【０２７４】
続いて、携帯端末１の中央演算処理部1qは、ユーザーID保持部1aより、ユーザーIDデータを呼び出し、フリーワードデータの後ろに付け加える。続いて、携帯端末１の中央演算処理部1qは、ユーザーパスワード保持部1bより、ユーザーパスワードデータを呼び出し、ユーザーIDデータの後ろに付け加える。
【０２７５】
続いて、携帯端末１の中央演算処理部1qは、時刻情報保持部1eより、時刻情報データを呼び出し、ユーザーパスワードデータの後ろに加える。
【０２７６】
続いて、携帯端末１の中央演算処理部1qは、それらユーザー年齢データ、ユーザー性別データ、携帯端末識別番号データ、職種データ、雇用形態データ、給与データ、勤務時間データ、待遇データ、フリーワードデータ、ユーザーIDデータ、ユーザーパスワードデータ、時刻情報データが一まとまりになったシーケンシャルデータを無線データ通信装置3に送信する。
【０２７７】
次に、ユーザーが欲する求人情報を検索する際、携帯端末１から、無線データ通信装置3を介して作られたシーケンシャルデータがユーザー管理部4に送信されるまでの、無線データ通信装置3の中央演算処理部3cのデータ処理を示したフローチャートを図６１に示す。
【０２７８】
無線データ通信装置3に送信されたユーザー年齢データ、ユーザー性別データ、携帯端末識別番号データ、職種データ、雇用形態データ、給与データ、勤務時間データ、待遇データ、フリーワードデータ、ユーザーIDデータ、ユーザーパスワードデータ、時刻情報データが一まとまりになったシーケンシャルデータは、無線データ通信装置3の中央演算処理部3cに渡され、無線データ通信装置3の中央演算処理部3cは、無線データ通信装置識別番号保持部3aより、無線データ通信装置識別番号データを呼び出し、時刻情報データの後ろに加える。
【０２７９】
続いて、無線データ通信装置3の中央演算処理部3cは、無線データ通信装置設置位置情報保持部3bより、無線データ通信装置設置位置情報データを呼び出し、無線データ通信装置識別番号データの後ろに加える。
【０２８０】
続いて、無線データ通信装置3の中央演算処理部3cは、それら、ユーザー年齢データ、ユーザー性別データ、携帯端末識別番号データ、職種データ、雇用形態データ、給与データ、勤務時間データ、待遇データ、フリーワードデータ、ユーザーIDデータ、ユーザーパスワードデータ、時刻情報データ及び、無線データ通信装置識別番号データ、無線データ通信装置設置位置情報データが一まとまりになったシーケンシャルデータをユーザー管理部４に送信する。
【０２８１】
次に、ユーザーが欲する求人情報を検索する際、携帯端末１から、無線データ通信装置3と、ユーザー管理部4を介して作られたシーケンシャルデータが情報提供者管理部5、及びユーザー情報蓄積部6に送信されるまでの、ユーザー管理部4の中央演算処理部4cのデータ処理を示したフローチャートを図６２に示す。
【０２８２】
ユーザー管理部4に送信されたユーザー年齢データ、ユーザー性別データ、携帯端末識別番号データ、職種データ、雇用形態データ、給与データ、勤務時間データ、待遇データ、フリーワードデータ、ユーザーIDデータ、ユーザーパスワードデータ、時刻情報データ及び、無線データ通信装置識別番号データ、無線データ通信装置設置位置情報データが一まとまりになったシーケンシャルデータは、ユーザー管理部4の中央演算処理部4cに渡され、ユーザー管理部4の中央演算処理部4cは、ユーザー情報保持部4bにあるユーザーIDデータを呼び出し、送信されてきたユーザーIDデータと照合する。
【０２８３】
続いて、ユーザー情報保持部4bに保持されたユーザーIDと送信されてきたユーザーIDが適合した場合、ユーザー管理部4の中央演算処理部4cは、ユーザー情報保持部4bに保持されたユーザーパスワードデータを呼び出し、送信されてきたユーザーパスワードデータと照合する。
【０２８４】
続いて、ユーザー情報保持部4bに保持されたユーザーパスワードと送信されてきたユーザーパスワードが適合した場合、ユーザー管理部4の中央演算処理部4cは、ユーザー年齢データ、ユーザー性別データ、職種データ、雇用形態データ、給与データ、勤務時間データ、待遇データ、フリーワードデータ、時刻情報データ、及び無線データ通信装置識別番号データ、無線データ通信装置設置位置情報データが一まとまりになったシーケンシャルデータをユーザー情報蓄積部6に送信する。
【０２８５】
また、ユーザー年齢データ、ユーザー性別データ、携帯端末識別番号データ、職種データ、雇用形態データ、給与データ、勤務時間データ、待遇データ、フリーワードデータ、時刻情報データ及び、無線データ通信装置識別番号データ、無線データ通信装置設置位置情報データが一まとまりになったシーケンシャルデータを情報提供者管理部5に送信する。
【０２８６】
次に、ユーザーが欲する求人情報を検索する際、携帯端末１から、無線データ通信装置3と、ユーザー管理部4を介して作られたシーケンシャルデータが情報提供者管理部5で、情報提供者が設定したシーケンシャルデータと照会され、合致した場合、同じく情報提供者が設定した提供情報データが、無線データ通信装置3を介し、携帯端末１に送信され、保持されるまでの、情報提供者管理部5、無線データ通信装置3、及び携帯端末１の中央演算処理部1qのデータ処理を示したフローチャートを図６３に示す。
【０２８７】
情報提供者管理部5に送信されたユーザー年齢データ、ユーザー性別データ、携帯端末識別番号データ、職種データ、雇用形態データ、給与データ、勤務時間データ、待遇データ、フリーワードデータ、時刻情報データ及び、無線データ通信装置識別番号データ、無線データ通信装置設置位置情報データが一まとまりになったシーケンシャルデータは、情報提供者管理部5の中央演算処理部5pに渡され、情報提供者管理部5の中央演算処理部5pは、参照データ保持部5oから、情報提供者がユーザー条件設定インターフェース5h1の年齢設定部5h2で設定したユーザー年齢に当てはまるユーザー年齢データを呼び出し、その情報提供者がユーザー条件設定インターフェース5h1の年齢設定部5h2で設定したユーザー年齢に当てはまるユーザー年齢データと携帯端末１の送信されてきたユーザー年齢データを照会する。
【０２８８】
続いて、それらが合致した参照データの中から、情報提供者がユーザー条件設定インターフェース5h1の性別設定部5h3で設定したユーザー性別に当てはまるユーザー性別データを呼び出し、その情報提供者がユーザー条件設定インターフェース5h1の性別設定部5h3で設定したユーザー性別に当てはまるユーザー性別データと、送信されてきたユーザー性別データを照会する。
【０２８９】
続いて、それらが合致した参照データの中から、情報提供者が求人情報設定インターフェース5k1で設定した家賃に当てはまる職種データを呼び出し、その情報提供者が求人情報設定インターフェース5k1で設定した職種に当てはまる職種データと、送信されてきた職種データを照会し、それらが合致した参照データの中から、情報提供者が求人情報設定インターフェース5k1で設定した雇用形態に当てはまる雇用形態データを呼び出し、その情報提供者が求人情報設定インターフェース5k1で設定した雇用形態に当てはまる雇用形態データと、送信されてきた雇用形態データを照会し、それらが合致した参照データの中から、情報提供者が求人情報設定インターフェース5k1で設定した給与に当てはまる給与データを呼び出し、その情報提供者が求人情報設定インターフェース5k1で設定した給与に当てはまる給与データと、送信されてきた給与データを照会する。
【０２９０】
続いて、それらが合致した参照データの中から、情報提供者が求人情報設定インターフェース5k1で設定した勤務時間に当てはまる勤務時間データを呼び出し、その情報提供者が求人情報設定インターフェース5k1で設定した勤務時間に当てはまる勤務時間データと、送信されてきた勤務時間データを照会し、それらが合致した参照データの中から、情報提供者が求人情報設定インターフェース5k1で設定した待遇に当てはまる待遇データを呼び出し、その情報提供者が求人情報設定インターフェース5k1で設定した待遇に当てはまる待遇データと、送信されてきた待遇データを照会し、それらが合致した参照データの中から、情報提供者が求人情報設定インターフェース5k1で設定したフリーワードに当てはまるフリーワードデータを呼び出し、その情報提供者が求人情報設定インターフェース5k1で設定したフリーワードに当てはまるフリーワードデータと、送信されてきたフリーワードデータを照会する。
【０２９１】
続いて、それらが合致した参照データの中から、情報提供者が配信時間帯設定インターフェース5g1で設定した配信時間帯に当てはまる配信時間帯データを呼び出し、情報提供者が配信時間帯設定インターフェース5g1で設定した配信時間帯に当てはまる配信時間帯データと、送信されてきた携帯端末１がデータを発信した時刻に当てはまる時刻情報データを照会し、それらが合致した参照データの中から、情報提供者が配信範囲設定インターフェース5f1で設定した配信場所の範囲に当てはまる配信範囲データを呼び出し、その情報提供者が配信範囲設定インターフェース5f1で設定した配信場所の範囲に当てはまる配信範囲データと、送信されてきた無線データ通信装置設置位置情報データを照会し、それらが合致した参照データの中から、情報提供者が無線データ通信装置検索結果表示インターフェース5n1で設定した無線データ通信装置3に当てはまる無線データ通信装置識別番号データを呼び出し、その情報提供者が無線データ通信装置検索結果表示インターフェース5n1で設定した無線データ通信装置3に当てはまる無線データ通信装置識別番号データと、送信されてきた無線データ通信装置識別番号データを参照する。
【０２９２】
続いて、それらが合致した参照データの中から、情報提供者が提供情報設定インターフェース5e1で設定した提供情報と、携帯端末識別番号データ、無線データ通信装置識別番号データを呼び出し、それらを一まとまりにしたシーケンシャルデータを作り、無線データ通信装置識別番号データを基に無線データ通信装置3に送信する。
【０２９３】
続いて、無線データ通信装置3が、それら携帯端末識別番号データ、無線データ通信装置識別番号データ、提供情報データが一まとまりになったシーケンシャルデータを受信すると、無線データ通信装置3の中央演算処理部3cは、携帯端末識別番号データ、提供情報データが一まとまりになったシーケンシャルデータを、携帯端末識別番号を基に携帯端末１に送信する。携帯端末１は、受信した提供情報データに、携帯端末１がデータを受信した時刻を示す時刻情報データを加え、受信データ保持部1nに保持する。
【０２９４】
次に、ユーザーが欲する求人情報を検索する際、携帯端末１から、無線データ通信装置３と、ユーザー管理部4を介して作られたシーケンシャルデータがユーザー情報蓄積部6に蓄積されるまでのユーザー情報蓄積部6の中央演算処理部6bのデータ処理を示したフローチャートを図６４に示す。
【０２９５】
ユーザー情報蓄積部6に送信されたユーザー年齢データ、ユーザー性別データ、職種デ―タ、雇用形態データ、給与データ、勤務時間データ、待遇データ、フリーワードデータ時刻情報データ及び、無線データ通信装置識別番号データ、無線データ通信装置設置位置情報データが一まとまりになったシーケンシャルデータは、ユーザー情報蓄積部６の中央演算処理部6bに渡され、ユーザー情報蓄積部6の中央演算処理部6bは、それらユーザー年齢データ、ユーザー性別データ、職種データ、雇用形態データ、給与データ、勤務時間データ、待遇データ、フリーワードデータ、時刻情報データ及び、無線データ通信装置識別番号データ、無線データ通信装置設置位置情報データが一まとまりになったシーケンシャルデータをユーザー情報蓄積データ保持部6aに保持させる。
【０２９６】
ユーザーが欲するキーワードに関する情報を検索する際のデータの流れを説明する。
【０２９７】
ユーザー登録をすませたユーザーは、携帯端末１に保持されたキーワード情報検索インターフェースを利用し、自身の欲する情報のキーワードを設定する。
【０２９８】
ユーザーが携帯端末１内部に保持されたユーザーが設定したそれらの条件は、携帯端末１内部の検索データ保持部1mに保持されるが、ここでは、ユーザーが設定したそれらの条件は、すでに設定されており、そのデータは、検索データ保持部1mに保持されているものとする。
【０２９９】
ユーザーが欲するキーワードに関する情報を検索する際、携帯端末１内部で作られたシーケンシャルデータが無線データ通信装置3に送信されるまでの、携帯端末１の中央演算処理部1qのデータ処理を示したフローチャートを図６５に示す。尚、携帯端末１から無線データ通信装置３へデータが送信されるとき、ユーザーが一時的に情報を検索したいと考えている場合には、ユーザーが指示を掛けたときだけ次の処理をし、継続的に検索をしたいと考えるときには、自動的に一定間隔や無線データ通信装置３の通信範囲毎で次のデータ処理を行う場合に分けて設定することもできる。
【０３００】
携帯端末１の中央演算処理部1qは、ユーザー年齢保持部1fより、ユーザー年齢データを呼び出し、続いて、携帯端末１の中央演算処理部1qは、ユーザー性別保持部1gよりユーザー性別データを呼び出し、ユーザー年齢データの後ろにユーザー性別データを加える。続いて、携帯端末１の中央演算処理部1qは、携帯端末識別番号保持部1hより、携帯端末識別番号データを呼び出し、ユーザー性別データの後ろに加える。
【０３０１】
続いて、携帯端末１の中央演算処理部1qは、携帯端末１の送信データ保持部より、キーワード検索インターフェース1l1にてユーザーが設定したキーワードデータを呼び出し、携帯端末識別番号データの後ろに加える。続いて、携帯端末１の中央演算処理部1qは、ユーザーID保持部1aより、ユーザーIDデータを呼び出し、キーワードデータの後ろに付け加える。続いて、携帯端末１の中央演算処理部1qは、ユーザーパスワード保持部1bより、ユーザーパスワードデータを呼び出し、ユーザーIDデータの後ろに付け加える。続いて、携帯端末１の中央演算処理部1qは、時刻情報保持部1eより、時刻情報データを呼び出し、ユーザーパスワードデータの後ろに付け加える。
【０３０２】
携帯端末１の中央演算処理部1qは、それらユーザー年齢データ、ユーザー性別データ、携帯端末識別番号データ、キーワードデータ、ユーザーIDデータ、ユーザーパスワードデータ、時刻情報データが一まとまりになったシーケンシャルデータを無線データ通信装置3に送信する。
【０３０３】
次に、ユーザーが欲するキーワードに関する情報を検索する際、携帯端末１から、無線データ通信装置3を介して作られたシーケンシャルデータがユーザー管理部4に送信されるまでの、無線データ通信装置3の中央演算処理部3cのデータ処理を示したフローチャートを図６６に示す。
【０３０４】
無線データ通信装置3に送信されたユーザー年齢データ、ユーザー性別データ、携帯端末識別番号データ、キーワードデータ、ユーザーIDデータ、ユーザーパスワードデータ、時刻情報データが一まとまりになったシーケンシャルデータは、無線データ通信装置３の中央演算処理部3cに渡され、無線データ通信装置3の中央演算処理部3cは、無線データ通信装置識別番号保持部3aより、無線データ通信装置識別番号データを呼び出し、時刻情報データの後ろに加える。
【０３０５】
続いて、無線データ通信装置3の中央演算処理部3cは、無線データ通信装置設置位置情報保持部3bより、無線データ通信装置設置位置情報データを呼び出し、無線データ通信装置識別番号データの後ろに加える。続いて、無線データ通信装置3の中央演算処理部3cは、それら、ユーザー年齢データ、ユーザー性別データ、携帯端末識別番号データ、キーワードデータ、ユーザーIDデータ、ユーザーパスワードデータ、時刻情報データ及び、無線データ通信装置識別番号データ、無線データ通信装置設置位置情報データが一まとまりになったシーケンシャルデータをユーザー情報蓄積部6に送信する。
【０３０６】
次に、ユーザーが欲するキーワードに関する情報を検索する場合、携帯端末１から、無線データ通信装置３と、ユーザー管理部4を介して作られたシーケンシャルデータが情報提供者管理部５、及びユーザー情報蓄積部6に送信されるまでの、ユーザー管理部4の中央演算処理部4cのデータ処理を示したフローチャートを図６７に示す。
【０３０７】
ユーザー管理部4に送信されたユーザー年齢データ、ユーザー性別データ、携帯端末識別番号データ、キーワードデータ、ユーザーIDデータ、ユーザーパスワードデータ、時刻情報データ及び、無線データ通信装置識別番号データ、無線データ通信装置設置位置情報データが一まとまりになったシーケンシャルデータは、ユーザー管理部４の中央演算処理部4cに渡され、ユーザー管理部4の中央演算処理部4cは、ユーザー情報保持部4bにあるユーザーIDデータを呼び出し、送信されてきたユーザーIDデータと照合する。
【０３０８】
続いて、ユーザー情報保持部4bに保持されたユーザーIDと送信されてきたユーザーIDが適合した場合、ユーザー管理部4の中央演算処理部4cは、ユーザー情報保持部4bに保持されたユーザーパスワードデータを呼び出し、送信されてきたユーザーパスワードデータと照合する。
【０３０９】
続いて、ユーザー情報保持部4bに保持されたユーザーパスワードと送信されてきたユーザーパスワードが適合した場合、ユーザー管理部4の中央演算処理部4cは、ユーザー年齢データ、ユーザー性別データ、キーワードデータ、時刻情報データ及び無線データ通信装置識別番号データ、無線データ通信装置設置位置情報データが一まとまりになったシーケンシャルデータをユーザー情報蓄積部6に送信する。
【０３１０】
また、ユーザー年齢データ、ユーザー性別データ、携帯端末識別番号データ、キーワードデータ、時刻情報データ及び、無線データ通信装置識別番号データ、無線データ通信装置設置位置情報データが一まとまりになったシーケンシャルデータを情報提供者管理部5に送信する。
【０３１１】
次に、ユーザーが欲するキーワードに関する情報を検索する際、携帯端末１から、無線データ通信装置3と、ユーザー管理部4を介して作られたシーケンシャルデータが情報提供者管理部5で、情報提供者が設定したシーケンシャルデータと照会され、合致した場合、同じく情報提供者が設定した提供情報データが、無線データ通信装置3を介し、携帯端末１に送信され、保持されるまでの、情報提供者管理部5、無線データ通信装置3、及び携帯端末１の中の、中央演算処理部のデータ処理を示したフローチャートを図６８に示す。
【０３１２】
情報提供者管理部5に送信されたユーザー年齢データ、ユーザー性別データ、携帯端末識別番号データ、キーワードデータ、時刻情報データ及び、無線データ通信装置識別番号データ、無線データ通信装置設置位置情報データが一まとまりになったシーケンシャルデータは、情報提供者管理部5の中央演算処理部5pに渡され、情報提供者管理部5の中央演算処理部5pは、参照データ保持部5oから、情報提供者がユーザー条件設定インターフェース5h1の年齢設定部5h2で設定したユーザー年齢に当てはまるユーザー年齢データを呼び出し、その情報提供者がユーザー条件設定インターフェース5h1の年齢設定部5h2で設定したユーザー年齢に当てはまるユーザー年齢データと携帯端末１の送信されてきたユーザー年齢データを照会する。
【０３１３】
続いて、それらが合致した参照データの中から、情報提供者がユーザー条件設定インターフェース5h1の性別設定部5h3で設定したユーザー性別に当てはまるユーザー性別データを呼び出し、その情報提供者がユーザー条件設定インターフェース5h1の性別設定部5h3で設定したユーザー性別に当てはまるユーザー性別データと、送信されてきたユーザー性別データを照会する。
【０３１４】
続いて、それらが合致した参照データの中から、情報提供者がキーワード設定インターフェース5l1で設定したキーワードに当てはまるキーワードデータを呼び出し、その情報提供者がキーワード設定インターフェース5l1で設定したキーワードに当てはまるキーワードデータと、送信されてきたキーワードデータを照会する。
【０３１５】
続いて、それらが合致した参照データの中から、情報提供者が配信時間帯設定インターフェース5g1で設定した配信時間帯に当てはまる配信時間帯データを呼び出し、情報提供者が配信時間帯設定インターフェース5g1で設定した配信時間帯に当てはまる配信時間帯データと、送信されてきた携帯端末１がデータを発信した時刻に当てはまる時刻情報データを照会する。
【０３１６】
続いて、それらが合致した参照データの中から、情報提供者が配信範囲設定インターフェース5f1で設定した配信場所の範囲に当てはまる配信範囲データを呼び出し、その情報提供者が配信範囲設定インターフェース5f1で設定した配信場所の範囲に当てはまる配信範囲データと、送信されてきた無線データ通信装置設置位置情報データを照会する。
【０３１７】
続いて、それらが合致した参照データの中から、情報提供者が無線データ通信装置検索結果表示インターフェース5n1で設定した無線データ通信装置3に当てはまる無線データ通信装置識別番号データを呼び出し、その情報提供者が無線データ通信装置検索結果表示インターフェース5n1で設定した無線データ通信装置3に当てはまる無線データ通信装置識別番号データと、送信されてきた無線データ通信装置識別番号データを照会する。
【０３１８】
続いて、それらが合致した参照データの中から、情報提供者が提供情報設定インターフェース5e1で設定した提供情報データを呼び出し、携帯端末識別番号データ、無線データ通信装置識別番号データの後に加える。
【０３１９】
続いて、それら、携帯端末識別番号データ、無線データ通信装置識別番号データ、提供情報データが一まとまりになったシーケンシャルデータを、無線データ通信装置識別番号を基に無線データ通信装置3に送信する。
【０３２０】
続いて、無線データ通信装置3が、それら携帯端末識別番号データ、無線データ通信装置識別番号データ、提供情報データが一まとまりになったシーケンシャルデータを受信すると、無線データ通信装置3の中央演算処理部3cは、携帯端末識別番号データ、提供情報データが一まとまりになったシーケンシャルデータを、携帯端末識別番号を基に携帯端末１に送信する。携帯端末１は、受信した提供情報データに、携帯端末１がデータを受信した時刻を示す時刻情報データを加え、受信データ保持部1nに保持する。
【０３２１】
次に、ユーザーが欲するキーワードに関する情報を検索する際、携帯端末１から、無線データ通信装置3と、ユーザー管理部4を介して作られたシーケンシャルデータがユーザー情報蓄積部6に蓄積されるまでのユーザー情報蓄積部6の中央演算処理部6bのデータ処理を示したフローチャートを図６９に示す。
【０３２２】
ユーザー情報蓄積部6に送信されたユーザー年齢データ、ユーザー性別データ、キーワードデータ、時刻情報データ及び、無線データ通信装置識別番号データ、無線データ通信装置設置位置情報データが一まとまりになったシーケンシャルデータは、ユーザー情報蓄積部6の中央演算処理部6bに渡され、ユーザー情報蓄積部6の中央演算処理部6bは、それらユーザー年齢データ、ユーザー性別データ、キーワードデータ、時刻情報データ及び、無線データ通信装置識別番号データ、無線データ通信装置設置位置情報データが一まとまりになったシーケンシャルデータをユーザー情報蓄積データ保持部6aに保持させる。
【０３２３】
次に、ユーザーが携帯端末１で受信した提供情報の中から自分の見たい情報を選択する際、携帯端末１の中央演算処理部1qが、受信データ保持部1nに保持された時刻情報データ、提供情報名データ、提供情報属性データを呼び出し、受信データ選択インターフェース1o1に表示するまでのデータ処理のフローチャートを図７０に示す。また、受信データ選択インターフェース1o1の表示例は図１８を参照する。
【０３２４】
携帯端末１の中央演算処理部1qは、受信データ保持部1nに保持された提供情報名データ、時刻情報データが一まとまりになったシーケンシャルデータの中から、時刻情報データを呼び出し、受信データ選択インターフェース1o1上の受信時刻表示部1o2に表示する。続いて、受信データ保持部1nに保持された提供情報名データ、時刻情報データが一まとまりになったシーケンシャルデータの中から提供情報名データを呼び出し、受信データ名表示部1o3に表示する。続いて、受信データ保持部1nに保持された提供情報名データ、時刻情報データが一まとまりになったシーケンシャルデータの中から提供情報属性データを呼び出し、受信データ属性表示部1o4に表示する。
【０３２５】
次に、ユーザーが受信データ選択インターフェース1o1で選択した提供情報を表示する際、受信データ保持部1nに保持された時刻情報データ、提供情報属性データ、提供情報名データ、連絡先データ、ホームページアドレスデータ、地図データ、写真データ、メッセージデータを呼び出し、受信データ表示インターフェース1p1に表示するまでのデータ処理のフローチャートを図７１に示す。受信データ表示インターフェース1p1の表示例を図２０に示す。
【０３２６】
携帯端末１の中央演算処理部1qは、ユーザーが受信データ選択インターフェース1o1で選択した提供情報名データ、時刻情報データが一まとまりになったシーケンシャルデータの中から、時刻情報データを呼び出し、受信データ表示インターフェース1p1上の受信時刻表示部1p2に表示する。続いて、ユーザーが受信データ選択インターフェース1o1で選択した提供情報名データ、時刻情報データが一まとまりになったシーケンシャルデータの中から、提供情報属性データを呼び出し、受信データ表示インターフェース1p1上の受信データ属性表示部1p3に表示する。
【０３２７】
続いて、ユーザーが受信データ選択インターフェース1o1で選択した提供情報名データ、時刻情報データが一まとまりになったシーケンシャルデータの中から、受信データ名データを呼び出し、受信データ表示イーフェース1p1上の受信データ名表示部1p4に表示する。続いて、ユーザーが受信データ選択インターフェース1o1で選択した提供情報名データ、時刻情報データが一まとまりになったシーケンシャルデータの中から、連絡先データを呼び出し、受信データ表示インターフェース1p1上の連絡先表示部1p5に表示する。続いて、ユーザーが受信データ選択インターフェース1o1で選択した提供情報名データ、時刻情報データが一まとまりになったシーケンシャルデータの中から、ホームページアドレスデータを呼び出し、受信データ表示インターフェース1p1上のホームページアドレス表示部1p6に表示する。続いて、ユーザーが受信データ選択インターフェース1o1で選択した提供情報名データ、時刻情報データが一まとまりになったシーケンシャルデータの中から、地図データを呼び出し、受信データ表示インターフェース1p1上の地図表示部1p7に表示する。
【０３２８】
続いて、ユーザーが受信データ選択インターフェース1o1で選択した提供情報名データ、時刻情報データが一まとまりになったシーケンシャルデータの中から、写真データを呼び出し、受信データ表示インターフェース1p1上の写真表示部1p8に表示する。続いて、ユーザーが受信データ選択インターフェース1o1で選択した提供情報名データ、時刻情報データが一まとまりになったシーケンシャルデータの中から、メッセージデータを呼び出し、受信データ表示インターフェース1p1上のメッセージ表示部1p9に表示する。
【０３２９】
続いて、情報提供者が情報を配信する際の、データの流れを説明する。
【０３３０】
情報提供者が、情報提供者ID・パスワード入力インターフェース5d1に情報提供者ＩＤとパスワードを入力し、情報提供者が提供しようとする情報を設定する情報設定インターフェース選択インターフェースデータ、ユーザー条件設定インターフェースデータ、配信範囲設定インターフェースデータ、配信時間帯設定インターフェースデータ、無線データ通信装置検索結果表示インターフェースデータ、提供情報設定インターフェースデータを通信端末にダウンロードする際のフローチャートを図７２、図７３に示す。
【０３３１】
また、情報提供者が、通信端末で情報設定インターフェース選択インターフェースデータ、ユーザー条件設定インターフェースデータ、配信範囲設定インターフェースデータ、配信時間帯設定インターフェースデータ、無線データ通信装置検索結果表示インターフェースデータ、提供情報設定インターフェースデータをダウンロードした際の表示例を図７４に示す。
【０３３２】
情報提供者が情報提供者ID・パスワード入力インターフェース5d1に、情報提供者登録の際に取得した情報提供者IDとパスワードを入力し、決定ボタン5d4を押すと、通信端末２の中央演算処理部は、情報提供者が情報提供者ID・パスワード入力インターフェース5d1に入力した情報提供者IDデータと、パスワードデータを呼び出し、それらを一まとまりにしたシーケンシャルデータを、インターネット7を介し、情報提供者管理部5に送信する。
【０３３３】
続いて、情報提供者管理部5は、その情報提供者IDデータとパスワードデータが一まとまりになったシーケンシャルデータを受信すると、情報提供者管理部5の中央演算処理部5pは、情報提供者ID・パスワード保持部5cより、情報提供者IDデータとパスワードが一まとまりになったシーケンシャルデータを呼び出し、そのなかの情報提供者IDデータと、送信されてきたシーケンシャルデータの情報提供者IDデータを照会する。それらが合致すると、続いて、情報提供者ID・パスワード保持部5cから呼び出したシーケンシャルデータの中のパスワードデータと、送信されてきたシーケンシャルデータのパスワードデータを照会する。
【０３３４】
続いて、それらが合致すると、情報提供者管理部５の中央演算処理部5pは、情報設定インターフェース選択インターフェースデータ、ユーザー条件設定インターフェースデータ、配信範囲設定インターフェースデータ、配信時間帯設定インターフェースデータ、無線データ通信装置検索結果表示インターフェースデータ、提供情報設定インターフェースデータを呼び出し、それらを一まとまりにしたシーケンシャルデータを通信端末２に送信する。通信端末２は、受信した各種インターフェースデータを画面に表示する。
【０３３５】
情報提供者が飲食情報を配信しようとする場合、情報設定インターフェース選択インターフェース5m1で飲食情報設定インターフェース選択ボタン5m2を選択すると、情報提供者管理部5の飲食情報設定インターフェース保持部5iに保持された飲食情報設定インターフェースデータをダウンロードする。
【０３３６】
続いて、情報提供者が、情報設定インターフェース選択インターフェース5m1で、飲食情報設定インターフェース選択ボタン5m2を選択した場合、通信端末2の表示例を図７５に示す。
【０３３７】
また、情報提供者が賃貸情報を配信しようとする場合、情報設定インターフェース選択インターフェース5m1で賃貸情報設定インターフェース選択ボタン5m3を選択すると、情報提供者管理部5の賃貸情報設定インターフェース保持部5jに保持された賃貸情報設定インターフェースデータをダウンロードする。
【０３３８】
情報提供者が、情報設定インターフェース選択インターフェース5m1で、賃貸情報設定インターフェース選択ボタン5m3を選択した場合、通信端末2の表示例を図７６に示す。
【０３３９】
また、情報提供者が求人情報を配信しようとする場合、情報設定インターフェース選択インターフェース5m1で求人情報設定インターフェース選択ボタン5m4を選択すると、情報提供者管理部5の求人情報設定インターフェース保持部5kに保持された求人情報設定インターフェースデータをダウンロードする。
【０３４０】
情報提供者が、情報設定インターフェース選択インターフェース5m1で、求人情報設定インターフェース選択ボタン5m4を選択した場合、通信端末2の表示例を図７７に示す。
【０３４１】
また、情報提供者が設定したキーワードに関する情報を配信しようとする場合、情報設定インターフェース選択インターフェース5m1でキーワード設定インターフェース選択ボタン5m5を選択すると、情報提供者管理部5のキーワード設定インターフェース保持部5lに保持されたキーワード設定インターフェースデータをダウンロードする。
【０３４２】
情報提供者が、情報設定インターフェース選択インターフェース5m1で、キーワード設定インターフェース選択ボタン5m5を選択した場合、通信端末2の表示例を図７８に示す。
【０３４３】
情報提供者は、上記の通信端末2に表示された各種インターフェースを入力することにより、情報を配信する設定を行う。
【０３４４】
例えば、情報提供者は、飲食店を経営しており、ユーザーに対し、情報提供者が経営する店の情報を配信しようとする場合、通信端末2、ユーザー管理部4、情報提供者管理部5の内部にある各中央演算処理部は、下記のデータ処理を行う。
【０３４５】
また、情報提供者は、提供する情報、及びターゲットとするユーザーの年齢、性別、情報を配信する時間帯、情報を配信する地理的範囲、飲食情報の設定を図７９のように設定してあるものとする。
【０３４６】
情報提供者が通信端末2を利用し図７９のように設定したユーザーの年齢や性別、情報配信する時間帯、情報配信する地理的範囲、及び情報提供者の飲食店の情報を基に、ユーザー情報蓄積部6に保持されたデータを参照し、その提供する情報を配信する無線データ通信装置3を決定する際、通信端末2で作られたシーケンシャルデータが、インターネット7を介してユーザー情報蓄積部6に送信されるまでの通信端末2の中央演算処理部のデータ処理を示したフローチャートを図８０に示す。
【０３４７】
無線データ通信装置検索結果表示インターフェース5n1上にある実行ボタン5n5が押されると、通信端末2の中央演算処理部は、情報提供者がユーザー条件設定インターフェース5h1の年齢設定部5h2で設定したユーザー年齢データを呼び出し、続いて、情報提供者がユーザー条件設定インターフェース5h1の性別設定部5h3で設定したユーザー性別データを呼び出し、ユーザー年齢データの後ろに加える。
【０３４８】
続いて、情報提供者が飲食情報設定インターフェース5i1の予算設定部5i2で設定した予算データを呼び出し、ユーザー性別データの後ろに加える。続いて、情報提供者が飲食情報設定インターフェース5i1の食事の業態設定部5i3で設定した食事の業態データを呼び出し、予算データの後ろに加える。続いて、情報提供者が飲食情報設定インターフェース5i1のサービス設定部5i4で設定したサービスデータを呼びだし、食事の業態データの後ろに加える。続いて、情報提供者が飲食情報設定インターフェース5i1のフリーワード設定部5i5で設定したフリーワードデータを呼びだし、サービスデータの後ろに加える。
【０３４９】
続いて、情報提供者が配信時間帯設定インターフェース5g1で設定した配信時間帯データを呼び出し、フリーワードデータの後ろに加える。続いて、情報提供者が配信範囲設定インターフェース5f1にて設定した配信範囲データを呼び出し、配信時間帯データの後ろに加える。
【０３５０】
続いて、ユーザー年齢データ、ユーザー性別データ、予算データ、食事の業態データ、サービスデータ、フリーワードデータ、配信時間帯データ、配信範囲データが一まとまりになったシーケンシャルデータをユーザー情報蓄積部6に送信する。
【０３５１】
次に、ユーザー情報蓄積部6は、受信したユーザーの年齢や性別、情報を配信する時間帯、情報を配信する地理的範囲、及び情報提供者の飲食店の情報が一まとまりになったシーケンシャルデータを基に、ユーザー情報蓄積部6に保持されたデータを参照し、その提供する情報を配信する無線データ通信装置3を決定する際、通信端末2で作られたシーケンシャルデータが、ユーザー情報蓄積部6に保持されたデータと参照され、その結果得られた無線データ通信装置識別番号データとその無線データ通信装置3の無線データ通信装置設置位置情報データが通信端末2に送信されるまでの、ユーザー情報蓄積部6の中央演算処理部6bのデータ処理を示したフローチャートを図８１に示す。
【０３５２】
ユーザー情報蓄積部6に送信されたユーザー年齢データ、ユーザー性別データ、予算データ、食事の業態データ、サービスデータ、フリーワードデータ、配信時間帯データ、配信範囲データが一まとまりになったシーケンシャルデータは、ユーザー情報蓄積部6の中央演算処理部6bに渡される。
【０３５３】
ユーザー情報蓄積部6の中央演算処理部6bは、ユーザー情報蓄積データ保持部6aに蓄積してある携帯端末１から無線データ通信装置3を介して作られたシーケンシャルデータを一ずつ呼び出し、下記の処理を行う。
【０３５４】
続いて、ユーザー情報蓄積部6の中央演算処理部6bは、そのユーザー情報蓄積データ保持部6aから呼び出されたシーケンシャルデータの中から、ユーザー年齢データを呼び出し、送信されてきたシーケンシャルデータのユーザー年齢データと照会し、それらが合致した場合、そのユーザー情報蓄積データ保持部6aから呼び出されたシーケンシャルデータの中から、ユーザー性別データを呼び出し、送信されてきたシーケンシャルデータのユーザー性別データと照会する。
【０３５５】
続いて、それらが合致した場合、そのユーザー情報蓄積データ保持部6aから呼び出されたシーケンシャルデータの中から、予算データを呼び出し、送信されてきたシーケンシャルデータの予算データと照会し、それらが合致した場合、そのユーザー情報蓄積データ保持部6aから呼び出されたシーケンシャルデータの中から、食事の業態データを呼び出し、送信されてきたシーケンシャルデータの食事の業態データと照会し、それらが合致した場合、そのユーザー情報蓄積データ保持部6aから呼び出されたシーケンシャルデータの中から、サービスデータを呼び出し、送信されてきたシーケンシャルデータのサービスデータと照会し、それらが合致した場合、そのユーザー情報蓄積データ保持部6aから呼び出されたシーケンシャルデータの中から、フリーワードデータを呼び出し、送信されてきたシーケンシャルデータのフリーワードデータと照会する。
【０３５６】
続いて、それらが合致した場合、そのユーザー情報蓄積データ保持部6aから呼び出されたシーケンシャルデータの中から、時刻情報データを呼び出し、送信されてきたシーケンシャルデータの配信時間帯データと照会し、それらが合致した場合、そのユーザー情報蓄積データ保持部6aから呼び出されたシーケンシャルデータの中から、無線データ通信装置設置位置情報データを呼び出し、送信されてきたシーケンシャルデータの配信範囲データと照会する。
【０３５７】
続いて、それらが合致した場合、そのユーザー情報蓄積データ保持部6aから呼び出されたシーケンシャルデータの中から、無線データ通信装置識別番号データと無線データ通信装置設置位置情報データを呼び出し、それらを一まとまりにしたシーケンシャルデータを作り、そのシーケンシャルデータを通信端末2に送信する。
【０３５８】
次に、通信端末2が、無線データ通信装置識別番号と、無線データ通信装置設置位置情報データが一まとまりになったシーケンシャルデータを受信し、その結果を無線データ通信装置検索結果表示インターフェース5n1に表示する。また、その結果を通信端末２に表示した際の表示例を図８２に示す。また、その際の、通信端末2の中央演算処理部のデータ処理を示すフローチャートを図８３に示す。
【０３５９】
通信端末２の中央演算処理部は、受信した無線データ通信装置識別番号データの数を基に、条件にあったユーザーの数を数え、その結果を無線データ通信装置検索結果表示インターフェース5n1のユーザー人数表示部5n2に表示する。通信端末２が数えた無線データ通信装置識別番号の数は、情報提供者が図７９のように設定した条件に当てはまるユーザーの数に相当するため、情報提供者が設定した情報を配信するのに適した無線データ通信装置3を決定する際の目安にすることができる。
【０３６０】
続いて、通信端末2の中央演算処理部は、無線データ通信装置識別番号データと無線データ通信装置設置位置情報データを一まとまりにしたシーケンシャルデータを受信すると、無線データ通信装置識別番号の数を数える。続いて、それらシーケンシャルデータの中から、無線データ通信装置識別番号データを呼び出し、無線データ通信装置識別番号表示部5n3に表示する。
【０３６１】
また、受信した無線データ通信装置識別番号データと、無線データ通信装置設置位置情報データが一まとまりになったシーケンシャルデータから無線データ通信装置識別番号データを呼び出し、同じく、無線データ通信装置検索結果表示インターフェース5n1上の、無線データ通信装置識別番号表示部5n3に表示する。続いて、無線データ通信装置設置位置情報データを呼び出し、そのデータを基に情報提供者が設定した条件にあった無線データ通信装置の設置位置を無線データ通信装置設置位置表示部5n4に表示する。
【０３６２】
続いて、情報提供者は、その無線データ通信装置検索結果表示インターフェース5n1上の、無線データ通信装置識別番号表示部5n3に表示された無線データ通信装置識別番号を選択することにより提供する情報を配信するのに利用する無線データ通信装置3を選択し、決定ボタン5n6を押すことにより決定する。
【０３６３】
情報提供者が、無線データ通信装置検索結果表示インターフェース5n1の無線データ通信装置識別番号表示部5n3に表示された無線データ通信装置識別番号を情報提供者の任意で選択し、決定ボタン5n6を押すと、情報提供者が通信端末2を利用し設定した提供情報、及びユーザーの年齢や性別、情報を配信する時間帯、情報を配信する地理的範囲、飲食情報のデータ、情報提供者が選択した無線データ通信装置識別番号のデータを一まとまりにしたシーケンシャルデータを情報提供者管理部5に送信する。その際の、通信端末2の中央演算処理部のデータ処理を示したフローチャートを図８４に示す。
【０３６４】
無線データ通信装置検索結果表示インターフェース5n1上にある決定ボタン5n6が押されると、通信端末2の中央演算処理部は、情報提供者がユーザー条件設定インターフェース5h1の年齢設定部5h2で設定したユーザー年齢データを呼び出し、続いて、情報提供者がユーザー条件設定インターフェース5h1の性別設定部5h3で設定したユーザー性別データを呼び出し、ユーザー年齢データの後ろに加える。
【０３６５】
続いて、情報提供者が飲食情報設定インターフェース5i1の予算設定部5i2で設定した予算データを呼び出し、ユーザー性別データの後ろに加える。続いて、情報提供者が飲食情報設定インターフェース5i1の食事の業態設定部5i3で設定した食事の業態データを呼び出し、予算データの後ろに加える。続いて、情報提供者が飲食情報設定インターフェース5i1のサービス設定部5i4で設定したサービスデータを呼びだし、食事の業態データの後ろに加える。続いて、情報提供者が飲食情報設定インターフェース5i1のフリーワード設定部5i5で設定したフリーワードデータを呼びだし、サービスデータの後ろに加える。
【０３６６】
続いて、情報提供者が配信時間帯設定インターフェース5g1で設定した配信時間帯データを呼び出し、フリーワードデータの後ろに加える。続いて、情報提供者が配信範囲設定インターフェース5f1にて設定した配信範囲データを呼び出し、配信時間帯データの後ろに加える。続いて、情報提供者が無線データ通信装置検索結果表示インターフェース5n1の無線データ通信装置識別番号表示部5n2で選択した無線データ通信装置３の無線データ通信装置識別番号データを呼び出し、配信範囲データの後ろに加える。続いて、通信端末２の中央演算処理部は、情報提供者が提供情報設定インターフェース5e1で設定した提供情報データを呼び出し、ユーザー年齢データ、ユーザー性別データ、予算データ、食事の業態データ、サービスデータ、フリーワードデータ、配信時間帯データ、配信範囲データ、無線データ通信装置識別番号データが一まとまりとなったシーケンシャルデータの後ろに加える。
【０３６７】
続いて、通信端末2の中央演算処理部は、ユーザー年齢データ、ユーザー性別データ、予算データ、食事の業態データ、サービスデータ、フリーワードデータ、配信時間帯データ、配信範囲データ、無線データ通信装置識別番号データ及び、提供情報データが一まとまりになったシーケンシャルデータを情報提供者管理部5に送信する。
【０３６８】
情報提供者管理部5が、ユーザー年齢データ、ユーザー性別データ、予算データ、食事の業態データ、サービスデータ、フリーワードデータ、配信時間帯データ、配信範囲データ、無線データ通信装置識別番号データ及び、提供情報データが一まとまりになったシーケンシャルデータを受信すると、情報提供者管理部5の中央演算処理部5pは、そのシーケンシャルデータを参照データ保持部5oに保持させる。その際の、情報提供者管理部5の中央演算処理部5pのデータ処理を示したフローチャートを図８５に示す。
【０３６９】
情報提供者管理部5が、通信端末2から送信されてきたユーザー年齢データ、ユーザー性別データ、予算データ、食事の業態データ、サービスデータ、フリーワードデータ、配信時間帯データ、配信範囲データ、無線データ通信装置識別番号データ及び、提供情報データが一まとまりになったシーケンシャルデータを受信すると、情報提供者管理部5の中央演算処理部5pは、そのシーケンシャルデータを呼び出し、参照データ保持部5oに保持させ、情報提供者が飲食情報を配信する際の設定を終了する。
【０３７０】
次に、情報提供者が、賃貸物件を所有しており、ユーザーに対し、情報提供者が所有する賃貸物件の情報を配信しようとする場合、通信端末2、ユーザー管理部4、情報提供者管理部5の内部にある各中央演算処理部は、下記のデータ処理を行う。
【０３７１】
また、情報提供者は、提供する情報、及びターゲットとするユーザーの年齢、性別、情報を配信する時間帯、情報を配信する地理的範囲、賃貸情報設定インターフェース5j1を図８６のように設定してあるものとする。
【０３７２】
情報提供者が通信端末2を利用し図８６のように設定したユーザーの年齢や性別、情報配信する時間帯、情報配信する地理的範囲、及び情報提供者の所有する物件の情報を基に、ユーザー情報蓄積部6に保持されたデータを参照し、その提供する情報を配信する無線データ通信装置3を決定する際、通信端末2で作られたシーケンシャルデータが、インターネット7を介してユーザー情報蓄積部6に送信されるまでの通信端末2の中央演算処理部のデータ処理を示したフローチャートを図８７に示す。
【０３７３】
無線データ通信装置検索結果表示インターフェース5n1上にある実行ボタン5n5が押されると、通信端末2の中央演算処理部は、情報提供者がユーザー条件設定インターフェース5h1の年齢設定部5h2で設定したユーザー年齢データを呼び出し、続いて、情報提供者がユーザー条件設定インターフェース5h1の性別設定部5h3で設定したユーザー性別データを呼び出し、ユーザー年齢データの後ろに加える。
【０３７４】
続いて、情報提供者が賃貸情報設定インターフェース5j1の家賃設定部5j2で設定した家賃データを呼び出し、ユーザー性別データの後ろに加える。続いて、情報提供者が賃貸情報設定インターフェース5j1の築年数設定部5j3で設定した築年数データを呼び出し、家賃データの後ろに加える。続いて、情報提供者が賃貸情報設定インターフェース5j1の建物種別設定部5j4で設定した建物種別データを呼びだし、築年数データの後ろに加える。
【０３７５】
続いて、情報提供者が賃貸情報設定インターフェース5j1の間取り設定部5j5で設定した間取りデータを呼びだし、建物種別データの後ろに加える。情報提供者が賃貸情報設定インターフェース5j1の付属条件設定部5j6で設定した付属条件データを呼びだし、間取りデータの後ろに加える。情報提供者が賃貸情報設定インターフェース5j1のフリーワード設定部5i7で設定したフリーワードデータを呼びだし、付属条件データの後ろに加える。
【０３７６】
続いて、情報提供者が配信時間帯設定インターフェース5g1で設定した配信時間帯データを呼び出し、フリーワードデータの後ろに加える。続いて、情報提供者が配信範囲設定インターフェース5f1にて設定した配信範囲データを呼び出し、配信時間帯データの後ろに加える。
【０３７７】
続いて、ユーザー年齢データ、ユーザー性別データ、家賃データ、築年数データ、給与間取りデータ、付属条件データ、フリーワードデータ、配信時間帯データ、配信範囲データが一まとまりになったシーケンシャルデータをユーザー情報蓄積部6に送信する。
【０３７８】
次に、ユーザー情報蓄積部6は、受信したユーザーの年齢や性別、情報を配信する時間帯、情報を配信する地理的範囲、及び情報提供者の所有する賃貸部件の情報が一まとまりになったシーケンシャルデータを基に、ユーザー情報蓄積部6に保持されたデータを参照し、その提供する情報を配信する無線データ通信装置3を決定する際、通信端末2で作られたシーケンシャルデータが、ユーザー情報蓄積部6に保持されたデータと参照され、その結果得られた無線データ通信装置識別番号データとその無線データ通信装置3の無線データ通信装置設置位置情報データが通信端末2に送信されるまでの、ユーザー情報蓄積部６の中央演算処理部6bのデータ処理を示したフローチャートを図８８に示す。
【０３７９】
ユーザー情報蓄積部6に送信されたユーザー年齢データ、ユーザー性別データ、家賃データ、築年数データ、建物種別データ、間取りデータ、付属条件データ、フリーワードデータ、配信時間帯データ及び、配信範囲データが一まとまりになったシーケンシャルデータは、ユーザー情報蓄積部6の中央演算処理部6bに渡される。
【０３８０】
続いて、ユーザー情報蓄積部6の中央演算処理部6bは、蓄積してある携帯端末１から無線データ通信装置3を介して作られたシーケンシャルデータを一ずつ呼び出し、下記の処理を行う。
【０３８１】
続いて、ユーザー情報蓄積部6の中央演算処理部6bは、そのユーザー情報蓄積データ保持部6aから呼び出されたシーケンシャルデータの中から、ユーザー年齢データを呼び出し、送信されてきたシーケンシャルデータのユーザー年齢データと照会し、それらが合致した場合、そのユーザー情報蓄積データ保持部6aから呼び出されたシーケンシャルデータの中から、ユーザー性別データを呼び出し、送信されてきたシーケンシャルデータのユーザー性別データと照会する。
【０３８２】
続いて、それらが合致した場合、そのユーザー情報蓄積データ保持部6aから呼び出されたシーケンシャルデータの中から、家賃データを呼び出し、送信されてきたシーケンシャルデータの家賃データと照会し、それらが合致した場合、そのユーザー情報蓄積データ保持部6aから呼び出されたシーケンシャルデータの中から、築年数データを呼び出し、送信されてきたシーケンシャルデータの築年数データと照会し、それらが合致した場合、そのユーザー情報蓄積データ保持部6aから呼び出されたシーケンシャルデータの中から、建物種別データを呼び出し、送信されてきたシーケンシャルデータの建物種別データと照会する。
【０３８３】
続いて、それらが合致した場合、そのユーザー情報蓄積データ保持部6aから呼び出されたシーケンシャルデータの中から、間取りデータを呼び出し、送信されてきたシーケンシャルデータの間取りデータと照会し、それらが合致した場合、そのユーザー情報蓄積データ保持部6aから呼び出されたシーケンシャルデータの中から、付属条件データを呼び出し、送信されてきたシーケンシャルデータの付属条件データと照会し、それらが合致した場合、そのユーザー情報蓄積データ保持部6aから呼び出されたシーケンシャルデータの中から、フリーワードデータを呼び出し、送信されてきたシーケンシャルデータのフリーワードデータと照会する。
【０３８４】
続いて、それらが合致した場合、そのユーザー情報蓄積データ保持部6aから呼び出されたシーケンシャルデータの中から、時刻情報データを呼び出し、送信されてきたシーケンシャルデータの配信時間帯データと照会し、それらが合致した場合、そのユーザー情報蓄積データ保持部6aから呼び出されたシーケンシャルデータの中から、無線データ通信装置設置位置情報データを呼び出し、送信されてきたシーケンシャルデータの配信範囲データと照会する。
【０３８５】
続いて、それらが合致した場合、そのユーザー情報蓄積データ保持部6aから呼び出されたシーケンシャルデータの中から、無線データ通信装置識別番号データと、無線データ通信装置設置位置情報データを呼び出し、それらを一まとまりにしたシーケンシャルデータを作り、その無線データ通信装置識別番号データと無線データ通信装置設置位置情報データが一まとまりになったシーケンシャルデータを通信端末2に送信する。
【０３８６】
次に、通信端末2が、無線データ通信装置識別番号と、無線データ通信装置設置位置情報データが一まとまりになったシーケンシャルデータを受信し、その結果を無線データ通信装置検索結果表示インターフェース5n1に表示する。また、その結果を通信端末２に表示した際の表示例を図８９に示す。また、その際の、通信端末２の中央演算処理部のデータ処理を示すフローチャートを図９０に示す。
【０３８７】
通信端末2の中央演算処理部は、受信した無線データ通信装置識別番号データの数を基に、条件にあったユーザーの数を数え、その結果を無線データ通信装置検索結果表示インターフェース5n1のユーザー人数表示部5n2に表示する。通信端末2が数えた無線データ通信装置識別番号の数は、情報提供者が図８６のように設定した条件に当てはまるユーザーの数に相当するため、情報提供者が設定した情報を配信するのに適した無線データ通信装置3を決定する際の目安にすることができる。
【０３８８】
続いて、通信端末2の中央演算処理部は、無線データ通信装置識別番号データと無線データ通信装置設置位置情報データを一まとまりにしたシーケンシャルデータを受信すると、無線データ通信装置識別番号の数を数える。続いて、それらシーケンシャルデータの中から、無線データ通信装置識別番号データを呼び出し、無線データ通信装置識別番号表示部5n3に表示する。
【０３８９】
また、受信した無線データ通信装置識別番号データと、無線データ通信装置設置位置情報データが一まとまりになったシーケンシャルデータから無線データ通信装置識別番号データを呼び出し、同じく、無線データ通信装置検索結果表示インターフェース5n1上の、無線データ通信装置識別番号表示部5n3に表示し、続いて、無線データ通信装置設置位置情報データを呼び出し、そのデータを基に情報提供者が設定した条件にあった無線データ通信装置の設置位置を無線データ通信装置設置位置表示部5n4に表示する。その表示例を図９１に示す。
【０３９０】
情報提供者は、その無線データ通信装置検索結果表示インターフェース5n1上の、無線データ通信装置識別番号表示部5n3に表示された無線データ通信装置識別番号を選択することにより提供する情報を配信するのに利用する無線データ通信装置３を選択し、決定ボタン5n6を押すことにより決定する。
【０３９１】
情報提供者が無線データ通信装置検索結果表示インターフェース5n1の無線データ通信装置識別番号表示部5n3に表示された無線データ通信装置識別番号を情報提供者の任意で選択し、決定ボタン5n6を押すと、情報提供者が通信端末2を利用し設定した提供情報、及びユーザーの年齢や性別、情報を配信する時間帯、情報を配信する地理的範囲、賃貸情報のデータ、情報提供者が選択した無線データ通信装置識別番号のデータを一まとまりにしたシーケンシャルデータを情報提供者管理部5に送信する。その際の、通信端末2の中央演算処理部のデータ処理を示したフローチャートを図９２に示す。
【０３９２】
無線データ通信装置検索結果表示インターフェース5n1上にある決定ボタン5n6が押されると、通信端末２の中央演算処理部は、情報提供者がユーザー条件設定インターフェース5h1の年齢設定部5h2で設定したユーザー年齢データを呼び出し、続いて、情報提供者がユーザー条件設定インターフェース5h1の性別設定部5h3で設定したユーザー性別データを呼び出し、ユーザー年齢データの後ろに加える。
【０３９３】
続いて、情報提供者が賃貸情報設定インターフェース5j1の家賃設定部5j2で設定した家賃データを呼び出し、ユーザー性別データの後ろに加える。続いて、情報提供者が賃貸情報設定インターフェース5j1の築年数設定部5j3で設定した築年数データを呼び出し、家賃データの後ろに加える。続いて、情報提供者が賃貸情報設定インターフェース5j1の建物種別設定部5j4で設定した建物種別データを呼びだし、築年数データの後ろに加える。続いて、情報提供者が賃貸情報設定インターフェース5j1の間取り設定部5j5で設定した間取りデータを呼びだし、建物種別データの後ろに加える。情報提供者が賃貸情報設定インターフェース5j1の付属条件設定部5j6で設定した付属条件データを呼びだし、間取りデータの後ろに加える。情報提供者が賃貸情報設定インターフェース5j1のフリーワード設定部5i7で設定したフリーワードデータを呼びだし、付属条件データの後ろに加える。
【０３９４】
続いて、情報提供者が配信時間帯設定インターフェース5g1にて設定した配信時間帯データを呼び出し、フリーワードデータの後ろに加える。続いて、情報提供者が配信範囲インターフェースで設定した配信範囲データを呼び出し、配信時間帯データの後ろに加える。続いて、情報提供者が無線データ通信装置検索結果表示インターフェース5n1の無線データ通信装置識別番号表示部5n3で選択した無線データ通信装置3の無線データ通信装置識別番号データを呼び出し、配信範囲データの後ろに加える。続いて、通信端末２の中央演算処理部は、情報提供者が提供情報設定インターフェース5e1で設定した提供情報データを呼び出し、無線データ通信装置識別番号データの後ろに加える。
【０３９５】
続いて、通信端末2の中央演算処理部は、情報提供者が提供情報設定インターフェース5e1で設定した提供情報データを呼び出し、ユーザー年齢データ、ユーザー性別データ、予算データ、食事の業態データ、サービスデータ、フリーワードデータ、配信時間帯データ、配信範囲データ、無線データ通信装置識別番号データが一まとまりとなったシーケンシャルデータの後ろに加える。
【０３９６】
続いて、通信端末2の中央演算処理部は、それらユーザー年齢データ、ユーザー性別データ、職種データ、雇用形態データ、給与データ、勤務時間データ、待遇データ、フリーワードデータ、配信時間帯データ、配信範囲データ、無線データ通信装置識別番号データ及び、提供情報データが一まとまりになったシーケンシャルデータを情報提供者管理部5に送信する。
【０３９７】
情報提供者管理部5が、ユーザー年齢データ、ユーザー性別データ、家賃データ、築年数データ、建物種別データ、間取りデータ、付属条件データ、フリーワードデータ、配信時間帯データ、配信範囲データ、無線データ通信装置識別番号データ及び、提供情報データが一まとまりになったシーケンシャルデータを受信すると、情報提供者管理部5の中央演算処理部5pは、そのシーケンシャルデータを参照データ保持部5oに保持させる。その際の、情報提供者管理部5の中央演算処理部5pのデータ処理を示したフローチャートを図９３に示す。
【０３９８】
情報提供者管理部5が、通信端末２から送信されてきたユーザー年齢データ、ユーザー性別データ、家賃データ、築年数データ、建物種別データ、間取りデータ、付属条件データ、フリーワードデータ、配信時間帯データ、配信範囲データ、無線データ通信装置識別番号データ及び、提供情報データが一まとまりになったシーケンシャルデータを受信すると、情報提供者管理部5の中央演算処理部5pは、そのシーケンシャルデータを、参照データ保持部5oに保持させ、情報提供者が賃貸情報を配信する際の設定を終了する。
【０３９９】
次に、情報提供者は、求人を募集しようとしており、ユーザーに対し、情報提供者が求人の情報を配信しようとする場合、通信端末２、ユーザー管理部４、情報提供者管理部５の内部にある各中央演算処理部は、下記のデータ処理を行う。
【０４００】
また、情報提供者は、提供する情報、及びターゲットとするユーザーの年齢、性別、情報を配信する時間帯、情報を配信する地理的範囲、求人情報の設定を図９４のように設定してあるものとする。
【０４０１】
情報提供者が通信端末２を利用し図９４のように設定したユーザーの年齢や性別、情報配信する時間帯、情報配信する地理的範囲、及び情報提供者の求人の情報を基に、ユーザー情報蓄積部６に保持されたデータを参照し、その提供する情報を配信する無線データ通信装置３を決定する際、通信端末２で作られたシーケンシャルデータが、インターネット7を介してユーザー情報蓄積部６に送信されるまでの通信端末２の中央演算処理部のデータ処理を示したフローチャートを図９５に示す。
【０４０２】
無線データ通信装置検索結果表示インターフェース5n1上にある実行ボタン5n5が押されると、通信端末２の中央演算処理部は、情報提供者がユーザー条件設定インターフェース5h1の年齢設定部5h2で設定したユーザー年齢データを呼び出し、続いて、情報提供者がユーザー条件設定インターフェース5h1の性別設定部5h3で設定したユーザー性別データを呼び出し、ユーザー年齢データの後ろに加える。
【０４０３】
続いて、情報提供者が求人情報設定インターフェース5k1の職種設定部5k2で設定した職種データを呼び出し、ユーザー性別データの後ろに加える。続いて、情報提供者が求人情報設定インターフェース5k1の雇用形態設定部5k3で設定した雇用形態データを呼び出し、職種データの後ろに加える。続いて、情報提供者が求人情報設定インターフェース5k1の給与設定部5k4で設定した給与データを呼びだし、雇用形態データの後ろに加える。続いて、情報提供者が求人情報設定インターフェース5k1の勤務時間設定部5k5で設定した勤務時間データを呼びだし、給与データの後ろに加える。情報提供者が求人情報設定インターフェース5k1の待遇設定部5k6で設定した待遇データを呼びだし、勤務時間データの後ろに加える。情報提供者が求人情報設定インターフェース5k1のフリーワード設定部5k7で設定したフリーワードデータを呼びだし、待遇データの後ろに加える。
【０４０４】
続いて、情報提供者が配信時間帯設定インターフェース5g1にて設定した配信時間帯データを呼び出し、フリーワードデータの後ろに加える。続いて、情報提供者が配信範囲設定インターフェース5f1で設定した配信範囲データを呼び出し、配信時間帯データの後ろに加える。
【０４０５】
続いて、ユーザー年齢データ、ユーザー性別データ、職種データ、雇用形態データ、給与データ、勤務時間データ、待遇データ、フリーワードデータ、配信時間帯データ、配信範囲データが一まとまりになったシーケンシャルデータをユーザー情報蓄積部６に送信する。
【０４０６】
次に、ユーザー情報蓄積部６は、受信したユーザーの年齢や性別、情報を配信する時間帯、情報を配信する地理的範囲、及び情報提供者の求人の情報が一まとまりになったシーケンシャルデータを基に、ユーザー情報蓄積部６に保持されたデータを参照し、その提供する情報を配信する無線データ通信装置３を決定する際、通信端末２で作られたシーケンシャルデータが、ユーザー情報蓄積部６に保持されたデータと参照され、その結果得られた無線データ通信装置識別番号データとその無線データ通信装置３の無線データ通信装置設置位置情報データが通信端末２に送信されるまでの、ユーザー情報蓄積部６の中央演算処理部6bのデータ処理を示したフローチャートを図９６に示す。
【０４０７】
ユーザー情報蓄積部６に送信されたユーザー年齢データ、ユーザー性別データ、職種データ、雇用形態データ、給与データ、勤務時間データ、待遇データ、フリーワードデータ及び、配信時間帯データ、配信範囲データが一まとまりになったシーケンシャルデータは、ユーザー情報蓄積部６の中央演算処理部6bに渡される。
【０４０８】
ユーザー情報蓄積部6の中央演算処理部6bは、蓄積してある携帯端末１から無線データ通信装置3を介して作られたシーケンシャルデータを一ずつ呼び出し、下記の処理を行う。
【０４０９】
続いて、ユーザー情報蓄積部６の中央演算処理部6bは、そのユーザー情報蓄積データ保持部6aから呼び出されたシーケンシャルデータの中から、ユーザー年齢データを呼び出し、送信されてきたシーケンシャルデータのユーザー年齢データと照会し、それらが合致した場合、そのユーザー情報蓄積データ保持部6aから呼び出されたシーケンシャルデータの中から、ユーザー性別データを呼び出し、送信されてきたシーケンシャルデータのユーザー性別データと照会する。
【０４１０】
続いて、それらが合致した場合、そのユーザー情報蓄積データ保持部6aから呼び出されたシーケンシャルデータの中から、職種データを呼び出し、送信されてきたシーケンシャルデータの職種データと照会し、それらが合致した場合、そのユーザー情報蓄積データ保持部6aから呼び出されたシーケンシャルデータの中から、雇用形態データを呼び出し、送信されてきたシーケンシャルデータの雇用形態データと照会し、それらが合致した場合、そのユーザー情報蓄積データ保持部6aから呼び出されたシーケンシャルデータの中から、給与データを呼び出し、送信されてきたシーケンシャルデータの給与データと照会し、それらが合致した場合、そのユーザー情報蓄積データ保持部6aから呼び出されたシーケンシャルデータの中から、勤務時間データを呼び出し、送信されてきたシーケンシャルデータの勤務時間データと照会し、それらが合致した場合、そのユーザー情報蓄積データ保持部6aから呼び出されたシーケンシャルデータの中から、待遇データを呼び出し、送信されてきたシーケンシャルデータの待遇データと照会し、それらが合致した場合、そのユーザー情報蓄積データ保持部6aから呼び出されたシーケンシャルデータの中から、フリーワードデータを呼び出し、送信されてきたシーケンシャルデータのフリーワードデータと照会する。
【０４１１】
続いて、それらが合致した場合、そのユーザー情報蓄積データ保持部6aから呼び出されたシーケンシャルデータの中から、時刻情報データを呼び出し、送信されてきたシーケンシャルデータの配信時間帯データと照会し、それらが合致した場合、そのユーザー情報蓄積データ保持部6aから呼び出されたシーケンシャルデータの中から、無線データ通信装置設置位置情報データを呼び出し、送信されてきたシーケンシャルデータの配信範囲データと照会する。
【０４１２】
続いて、それらが合致した場合、そのユーザー情報蓄積データ保持部6aから呼び出されたシーケンシャルデータの中から、無線データ通信装置識別番号データと、無線データ通信装置設置位置情報データを呼び出し、それらを一まとまりにしたシーケンシャルデータを作り、無線データ通信装置識別番号データと、無線データ通信装置設置位置情報データが一まとまりになったシーケンシャルデータを通信端末2に送信する。
【０４１３】
次に、通信端末2が、無線データ通信装置識別番号と、無線データ通信装置設置位置情報データが一まとまりになったシーケンシャルデータを受信し、その結果を無線データ通信装置検索結果表示インターフェース5n1に表示する。また、その結果を通信端末２に表示した際の表示例を図９７に示す。また、その際の、通信端末2の中央演算処理部のデータ処理を示すフローチャートを図９８に示す。
【０４１４】
通信端末2の中央演算処理部は、受信した無線データ通信装置識別番号データの数を基に、条件にあったユーザーの数を数え、その結果を無線データ通信装置検索結果表示インターフェース5n1のユーザー人数表示部5n2に表示する。通信端末２が数えた無線データ通信装置識別番号の数は、情報提供者が図９４のように設定した条件に当てはまるユーザーの数に相当するため、情報提供者が設定した情報を配信するのに適した無線データ通信装置3を決定する際の目安にすることができる。
【０４１５】
また、受信した無線データ通信装置識別番号データと、無線データ通信装置設置位置情報データが一まとまりになったシーケンシャルデータから無線データ通信装置識別番号データを呼び出し、同じく、無線データ通信装置検索結果表示インターフェース5n1上の、無線データ通信装置識別番号表示部5n3に表示し、続いて、無線データ通信装置設置位置情報データを呼び出し、そのデータを基に情報提供者が設定した条件にあった無線データ通信装置の設置位置を無線データ通信装置設置位置表示部5n4に表示する。
【０４１６】
情報提供者は、その無線データ通信装置検索結果表示インターフェース5n1上の、無線データ通信装置識別番号表示部5n3に表示された無線データ通信装置識別番号を選択することにより提供する情報を配信する無線データ通信装置3を選択し、決定ボタン5n6を押すことにより決定する。
【０４１７】
情報提供者が無線データ通信装置検索結果表示インターフェース5n1の無線データ通信装置識別番号表示部5n3に表示された無線データ通信装置識別番号を情報提供者の任意で選択し、決定ボタン5n6を押すと、情報提供者が通信端末２を利用し設定した提供情報、及びユーザーの年齢や性別、情報を配信する時間帯、情報を配信する地理的範囲、求人情報のデータ、情報提供者が選択した無線データ通信装置識別番号のデータを一まとまりにしたシーケンシャルデータを情報提供者管理部5に送信する。その際の、通信端末２の中央演算処理部のデータ処理を示したフローチャートを図９９に示す。
【０４１８】
無線データ通信装置検索結果表示インターフェース5n1上にある決定ボタン5n6が押されると、通信端末２の中央演算処理部は、情報提供者がユーザー条件設定インターフェース5h1の年齢設定部5h2で設定したユーザー年齢データを呼び出し、続いて、情報提供者がユーザー条件設定インターフェース5h1の性別設定部5h3で設定したユーザー性別データを呼び出し、ユーザー年齢データの後ろに加える。
【０４１９】
続いて、情報提供者が求人情報設定インターフェース5k1の職種設定部5k2で設定した職種データを呼び出し、ユーザー性別データの後ろに加える。続いて、情報提供者が求人情報設定インターフェース5k1の雇用形態設定部5k3で設定した雇用形態データを呼び出し、職種データの後ろに加える。続いて、情報提供者が求人情報設定インターフェース5k1の給与設定部5k4で設定した給与データを呼びだし、雇用形態データの後ろに加える。続いて、情報提供者が求人情報設定インターフェース5k1の勤務時間設定部5k5で設定した勤務時間データを呼びだし、給与データの後ろに加える。情報提供者が求人情報設定インターフェース5k1の待遇設定部5k6で設定した待遇データを呼びだし、勤務時間データの後ろに加える。情報提供者が求人情報設定インターフェース5k1のフリーワード設定部5k7で設定したフリーワードデータを呼びだし、待遇データの後ろに加える。
【０４２０】
続いて、情報提供者が配信時間帯設定インターフェース5g1にて設定した配信時間帯データを呼び出し、フリーワードデータの後ろに加える。続いて、情報提供者が配信範囲設定インターフェース5f1にて設定した配信範囲データを呼び出し、配信時間帯データの後ろに加える。続いて、情報提供者が無線データ通信装置検索結果表示インターフェース5n1で選択した無線データ通信装置3の無線データ通信装置識別番号データを呼び出し、配信範囲データの後ろに加える。続いて、通信端末2の中央演算処理部は、情報提供者が提供情報設定インターフェース5e1で設定した提供情報データを呼び出し、無線データ通信装置識別番号データの後ろに加える。
【０４２１】
続いて、こうして出来上がったそれらユーザー年齢データ、ユーザー性別データ、職種データ、雇用形態データ、給与データ、勤務時間データ、待遇データ、フリーワードデータ、配信時間帯データ、配信範囲データ、無線データ通信装置識別番号データ及び、提供情報データが一まとまりになったシーケンシャルデータを情報提供者管理部5に送信する。
【０４２２】
情報提供者管理部5が、ユーザー年齢データ、ユーザー性別データ、職種データ、雇用形態データ、給与データ、勤務時間データ、待遇データ、フリーワードデータ、配信時間帯データ、配信範囲データ、無線データ通信装置識別番号データ及び、提供情報データが一まとまりになったシーケンシャルデータを受信すると、情報提供者管理部５の中央演算処理部5pは、そのシーケンシャルデータを参照データ保持部5oに保持させる。その際の、情報提供者管理部５の中央演算処理部5pのデータ処理を示したフローチャートを図１００に示す。
【０４２３】
情報提供者管理部５が、通信端末２から送信されてきたユーザー年齢データ、ユーザー性別データ、職種データ、雇用形態データ、給与データ、勤務時間データ、待遇データ、フリーワードデータ、配信時間帯データ、配信範囲データ、無線データ通信装置識別番号データ及び、提供情報データが一まとまりになったシーケンシャルデータを受信すると、情報提供者管理部5の中央演算処理部5pは、そのシーケンシャルデータを呼び出し、参照データ保持部5oに保持させ、情報提供者が求人情報を配信する際の設定を終了する。
【０４２４】
次に、情報提供者が、キーワードで検索できる情報を配信しようとする場合、通信端末２、ユーザー管理部4、情報提供者管理部5の内部にある各中央演算処理部は、下記のデータ処理を行う。
【０４２５】
また、情報提供者は、提供する情報、及びターゲットとするユーザーの年齢、性別、情報を配信する時間帯、情報を配信する地理的範囲、キーワード設定インターフェース5l1を図１０１のように設定してあるものとする。
【０４２６】
情報提供者が通信端末２を利用し図１０１のように設定したユーザーの年齢や性別、情報配信する時間帯、情報配信する地理的範囲、及び情報提供者の設定するキーワードを基に、ユーザー情報蓄積部６に保持されたデータを参照し、その提供する情報を配信する無線データ通信装置３を決定する際、通信端末２で作られたシーケンシャルデータが、インターネット7を介してユーザー情報蓄積部６に送信されるまでの通信端末２の中央演算処理部のデータ処理を示したフローチャートを図１０２に示す。
【０４２７】
無線データ通信装置検索結果表示インターフェース5n1上にある実行ボタン5n5が押されると、通信端末２の中央演算処理部は、情報提供者がユーザー条件設定インターフェース5h1の年齢設定部5h2で設定したユーザー年齢データを呼び出し、続いて、情報提供者がユーザー条件設定インターフェース5h1の性別設定部5h3で設定したユーザー性別データを呼び出し、ユーザー年齢データの後ろに加える。
【０４２８】
続いて、情報提供者がキーワード設定インターフェース5l1で設定したキーワードデータを呼び出し、ユーザー性別データの後ろに加える。
【０４２９】
続いて、情報提供者が配信時間帯設定インターフェース5g1にて設定した配信時間帯データを呼び出し、キーワードデータの後ろに加える。続いて、情報提供者が配信範囲設定インターフェース5f1で設定した配信範囲データを呼び出し、配信時間帯データの後ろに加える。続いて、ユーザー年齢データ、ユーザー性別データ、キーワードデータ、配信時間帯データ、配信範囲データが一まとまりになったシーケンシャルデータをユーザー情報蓄積部６に送信する。
【０４３０】
次に、ユーザー情報蓄積部6は、受信したユーザーの年齢や性別、情報を配信する時間帯、情報を配信する地理的範囲、及び情報提供者が設定したキーワードの情報が一まとまりになったシーケンシャルデータを基に、ユーザー情報蓄積部6に保持されたデータを参照し、その提供する情報を配信する無線データ通信装置3を決定する際、通信端末2で作られたシーケンシャルデータが、ユーザー情報蓄積部6に保持されたデータと参照され、その結果得られた無線データ通信装置識別番号データとその無線データ通信装置３の無線データ通信装置設置位置情報データが通信端末2に送信されるまでの、ユーザー情報蓄積部６の中央演算処理部6bのデータ処理を示したフローチャートを図１０３に示す。
【０４３１】
ユーザー情報蓄積部6に送信されたユーザー年齢データ、ユーザー性別データ、キーワードデータ及び、配信時間帯データ、配信範囲データが一まとまりになったシーケンシャルデータは、ユーザー情報蓄積部6の中央演算処理部6bに渡される。
【０４３２】
ユーザー情報蓄積部6の中央演算処理部6bは、ユーザー情報蓄積データ保持部6aに蓄積してある携帯端末１から無線データ通信装置3を介して作られたシーケンシャルデータを一ずつ呼び出し、下記の処理を行う。
【０４３３】
ユーザー情報蓄積部6の中央演算処理部6bは、そのユーザー情報蓄積データ保持部6aから呼び出されたシーケンシャルデータの中から、ユーザー年齢データを呼び出し、送信されてきたシーケンシャルデータのユーザー年齢データと照会し、それらが合致した場合、そのユーザー情報蓄積データ保持部6aから呼び出されたシーケンシャルデータの中から、ユーザー性別データを呼び出し、送信されてきたシーケンシャルデータのユーザー性別データと照会する。
【０４３４】
それらが合致した場合、そのユーザー情報蓄積データ保持部6aから呼び出されたシーケンシャルデータの中から、キーワードデータを呼び出し、送信されてきたシーケンシャルデータのキーワードデータと照会する。
【０４３５】
続いて、それらが合致した場合、そのユーザー情報蓄積データ保持部6aから呼び出されたシーケンシャルデータの中から、時刻情報データを呼び出し、送信されてきたシーケンシャルデータの配信時間帯データと照会し、それらが合致した場合、そのユーザー情報蓄積データ保持部6aから呼び出されたシーケンシャルデータの中から、無線データ通信装置設置位置情報データを呼び出し、送信されてきたシーケンシャルデータの配信範囲データと照会する。
【０４３６】
続いて、それらが合致した場合、そのユーザー情報蓄積データ保持部6aから呼び出されたシーケンシャルデータの中から、無線データ通信装置識別番号データと、無線データ通信装置設置位置情報データを呼び出し、それらを一まとまりにしたシーケンシャルデータを作り、その無線データ通信装置識別番号データと、無線データ通信装置設置位置情報データが一まとまりになったシーケンシャルデータを通信端末２に送信する。
【０４３７】
通信端末2が、無線データ通信装置識別番号と、無線データ通信装置設置位置情報データが一まとまりになったシーケンシャルデータを受信し、その結果を無線データ通信装置検索結果表示インターフェース5n1に表示する。また、その結果を通信端末2に表示した際の表示例を図１０４に示す。また、その際の、通信端末２の中央演算処理部のデータ処理を示すフローチャートを図１０５に示す。
【０４３８】
通信端末2の中央演算処理部は、受信した無線データ通信装置識別番号データの数を基に、条件にあったユーザーの数を数え、その結果を無線データ通信装置検索結果表示インターフェース5n1のユーザー人数表示部5n2に表示する。通信端末2が数えた無線データ通信装置識別番号の数は、情報提供者が図１０１のように設定した条件に当てはまるユーザーの数に相当するため、情報提供者が設定した情報を配信するのに適した無線データ通信装置3を決定する際の目安にすることができる。
【０４３９】
また、受信した無線データ通信装置識別番号データと、無線データ通信装置設置位置情報データが一まとまりになったシーケンシャルデータから無線データ通信装置識別番号を呼び出し、同じく、無線データ通信装置検索結果表示インターフェース5n1上の、無線データ通信装置識別番号表示部5n3に表示し、続いて、無線データ通信装置設置位置情報データを呼び出し、そのデータを基に情報提供者が設定した条件に合った無線データ通信装置の設置位置を無線データ通信装置設置位置表示部5n4に表示する。
【０４４０】
情報提供者は、その無線データ通信装置検索結果表示インターフェース5n1上の、無線データ通信装置識別番号表示部5n3に表示された無線データ通信装置識別番号を選択することにより提供する情報を配信するのに利用する無線データ通信装置3を選択し、決定ボタン5n6を押すことにより決定する。
【０４４１】
情報提供者が無線データ通信装置検索結果表示インターフェース5n1の無線データ通信装置識別番号表示部5n3に表示された無線データ通信装置識別番号を情報提供者の任意で選択し、決定ボタン5n6を押すと、情報提供者が通信端末２を利用し設定した提供情報、及びユーザーの年齢や性別、情報を配信する時間帯、情報を配信する地理的範囲、飲食情報のデータ、情報提供者が選択した無線データ通信装置識別番号のデータを一まとまりにしたシーケンシャルデータを情報提供者管理部５に送信する。その際の、通信端末２の中央演算処理部のデータ処理を示したフローチャートを図１０６に示す。
【０４４２】
無線データ通信装置検索結果表示インターフェース5n1上にある決定ボタン5n6が押されると、通信端末２の中央演算処理部は、情報提供者がユーザー条件設定インターフェース5h1の年齢設定部5h2で設定したユーザー年齢データを呼び出し、続いて、情報提供者がユーザー条件設定インターフェース5h1の性別設定部5h3で設定したユーザー性別データを呼び出し、ユーザー年齢データの後ろに加える。
【０４４３】
続いて、情報提供者がキーワード設定インターフェース5l1で設定したキーワードデータを呼び出し、ユーザー性別データの後ろに加える。
【０４４４】
続いて、情報提供者が配信時間帯設定インターフェース5g1にて設定した配信時間帯データを呼び出し、キーワードデータの後ろに加える。続いて、情報提供者が配信範囲設定インターフェース5f1で設定した配信範囲データを呼び出し、配信時間帯データの後ろに加える。続いて、通信端末2の中央演算処理部は、情報提供者が提供情報設定インターフェース5e1で設定した提供情報データを呼び出し、配信範囲データの後ろに加える。続いて、情報提供者が無線データ通信装置検索結果表示インターフェース5n1の無線データ通信装置識別番号表示部5n3で選択した無線データ通信装置3の無線データ通信装置識別番号データを呼び出し、提供情報データの後ろに加える。
【０４４５】
続いて、それら、通信端末2の中央演算処理部は、情報提供者が提供情報設定インターフェース5e1で設定した提供情報データを呼び出し、ユーザー年齢データ、ユーザー性別データ、キーワードデータ、配信時間帯データ、配信範囲データ、無線データ通信装置識別番号データ及び、提供情報データが一まとまりになったシーケンシャルデータを情報提供者管理部5に送信する。
【０４４６】
通信端末2が、ユーザー年齢データ、ユーザー性別データ、キーワードデータ、配信時間帯データ、配信範囲データ、無線データ通信装置識別番号データ及び、提供情報データが一まとまりになったシーケンシャルデータを情報提供者管理部5に送信すると、情報提供者管理部5の中央演算処理部5pは、そのシーケンシャルデータを参照データ保持部5oに保持させる。その際の、情報提供者管理部5の中央演算処理部5pのデータ処理を示したフローチャートを図１０７に示す。
【０４４７】
情報提供者管理部５が、通信端末2から送信されてきたユーザー年齢データ、ユーザー性別データ、キーワードデータ、配信時間帯データ、配信範囲データ、無線データ通信装置識別番号データ及び、提供情報データが一まとまりになったシーケンシャルデータを受信すると、情報提供者管理部5の中央演算処理部5pは、そのシーケンシャルデータを呼び出し、参照データ保持部5oに保持させ、情報提供者がキーワードを使って情報を配信する際の設定を終了する。
【０４４８】
上記では、飲食、求人、賃貸、キーワードの情報を検索する例を挙げたが、これらのほかにもコンテンツを増やすことにより多くのユーザー、情報提供者が本自動情報配信システムを利用することができる。
【０４４９】
また、上記では、各種インターフェース上にある項目も例としてあげたが、これらの他にもより多くの項目を設けることにより、より細かな情報収集や情報検索に利用する条件を設定することができる。
【０４５０】
また、各種インターフェースのレイアウトやデザインはユーザーの趣向や使い勝手などを考慮し、考えられるべきである。
【０４５１】
上記の説明は、本自動情報配信システムを達成するための例として載せたものである。
【図面の簡単な説明】
【０４５２】
【図１】本発明の全体の構成を示した図である。
【図２】携帯端末の構成例を示した図である。
【図３】ユーザー登録フォームの構成例を示した図である。
【図４】ユーザー登録フォームの構成例に入力例を示した図である。
【図５】飲食情報検索フォームの構成例を示した図である。
【図６】飲食情報検索フォームの構成例に入力例を示した図である。
【図７】図６のようにユーザーが飲食情報検索インターフェースを設定し終え、決定ボタンを押した場合の、携帯端末の中央演算処理部のデータ処理を示したフローチャートを示した図である。
【図８】賃貸情報検索インターフェースの構成例を示した図である。
【図９】賃貸情報検索インターフェースの構成例に入力例を示した図である。
【図１０】図９のようにユーザーが賃貸情報検索インターフェースを設定し終え、決定ボタンを押した場合の、携帯端末の中央演算処理部のデータ処理を示したフローチャートを示した図である。
【図１１】求人情報検索インターフェースの構成例を示した図である。
【図１２】求人情報検索インターフェースの構成例に入力例を示した図である。
【図１３】図１２のようにユーザーが求人情報検索インターフェースを設定し終え、決定ボタンを押した場合の携帯端末内部にある中央演算処理部のデータ処理を示した図である。
【図１４】キーワード検索インターフェースの構成例を示した図である。
【図１５】キーワード検索インターフェースの構成例に入力例を示した図である。
【図１６】図１５のようにユーザーがキーワード検索インターフェースを設定し終え、決定ボタンを押した場合の携帯端末内部にある中央演算処理部のデータ処理を示したフローチャートを示した図である。
【図１７】受信データ選択インターフェースの構成例を示した図である。
【図１８】受信データ選択インターフェースの表示例を示した図である。
【図１９】受信データ表示インターフェースの構成例を示した図である。
【図２０】受信データ表示インターフェースの表示例を示した図である。
【図２１】無線データ通信装置の構成例を示した図である。
【図２２】ユーザー管理部の構成例を示した図である。
【図２３】情報提供者管理部の構成例を示した図である。
【図２４】情報提供者登録フォームの構成例を示した図である。
【図２５】情報提供者登録フォームの構成例に入力例を示した図である。
【図２６】情報提供者ID・パスワード入力インターフェースの構成例を示した図である。
【図２７】情報提供者ID・パスワード入力インターフェースの構成例に入力例を示した図である。
【図２８】提供情報設定インターフェースの構成例を示した図である。
【図２９】提供情報設定インターフェースの構成例に入力例を示した図である。
【図３０】配信範囲設定インターフェースの構成例を示した図である。
【図３１】配信範囲設定インターフェースの構成例に入力例を示した図である。
【図３２】配信時間帯設定インターフェースの構成例を示した図である。
【図３３】配信時間帯設定インターフェースの構成例に入力例を示した図である。
【図３４】ユーザー条件設定インターフェースの構成例を示した図である。
【図３５】ユーザー条件設定インターフェースの構成例に入力例を示した図である。
【図３６】情報設定インターフェース選択インターフェースの構成例を示した図である。
【図３７】飲食情報設定インターフェースの構成例を示した図である。
【図３８】飲食情報設定インターフェースの構成例に入力例を示した図である。
【図３９】賃貸情報設定インターフェースの構成例を示した図である。
【図４０】賃貸情報設定インターフェースの構成例に入力例を示した図である。
【図４１】求人情報設定インターフェースの構成例を示した図である。
【図４２】求人情報設定インターフェースの構成例に入力例を示した図である。
【図４３】キーワード設定インターフェースの構成例に示した図である。
【図４４】キーワード設定インターフェースの構成例に入力例を示した図である。
【図４５】無線データ通信装置検索結果表示インターフェースの構成例を示した図である。
【図４６】無線データ通信装置検索結果表示インターフェースの構成例に入力例を示した図である。
【図４７】ユーザー情報蓄積部の構成例を示した図である。
【図４８】情報提供者登録のフローチャートを示す。
【図４９】ユーザー登録のフローチャートを示す。
【図５０】ユーザーが欲する飲食情報を検索する際の、携帯端末の中央演算処理部のデータ処理を示したフローチャートを示す。
【図５１】ユーザーが欲する飲食情報を検索する際の、無線データ通信装置の中央演算処理部のデータ処理を示したフローチャートを示す。
【図５２】ユーザーが欲する飲食情報を検索する際の、ユーザー管理部の中央演算処理部のデータ処理を示したフローチャートを示す。
【図５３】ユーザーが欲する飲食情報を検索する際の、情報提供者管理部、無線データ通信装置、及び携帯端末の中のデータ処理を示したフローチャートを示す。
【図５４】ユーザーが欲する飲食情報を検索する際の、ユーザー情報蓄積部の中央演算処理部のデータ処理を示したフローチャートを示す。
【図５５】ユーザーが欲する賃貸情報を検索する際の、携帯端末の中央演算処理部のデータ処理を示したフローチャートを示す。
【図５６】ユーザーが欲する賃貸情報を検索する際の、無線データ通信装置の中央演算処理部のデータ処理を示したフローチャートを示す。
【図５７】ユーザーが欲する賃貸情報を検索する際の、ユーザー管理部の中央演算処理部のデータ処理を示したフローチャートを示す。
【図５８】ユーザーが欲する賃貸情報を検索する際の、情報提供者管理部、無線データ通信装置、及び携帯端末の中央演算処理部のデータ処理を示したフローチャートを示す。
【図５９】ユーザーが欲する賃貸情報を検索する際の、ユーザー情報蓄積部の中央演算処理部のデータ処理を示したフローチャートを示す。
【図６０】ユーザーが欲する求人情報を検索する際の、携帯端末の中央演算処理部のデータ処理を示したフローチャートを示す。
【図６１】ユーザーが欲する求人情報を検索する際の、無線データ通信装置の中央演算処理部のデータ処理を示したフローチャートを示す。
【図６２】ユーザーが欲する求人情報を検索する際の、ユーザー管理部の中央演算処理部のデータ処理を示したフローチャートを示す。
【図６３】ユーザーが欲する求人情報を検索する際の、情報提供者管理部、無線データ通信装置、及び携帯端末の中央演算処理部のデータ処理を示したフローチャートを示す。
【図６４】ユーザーが欲する求人情報を検索する際の、ユーザー情報蓄積部の中央演算処理部のデータ処理を示したフローチャートを示す。
【図６５】ユーザーが欲するキーワードに関する情報を検索する際の、携帯端末の中央演算処理部のデータ処理を示したフローチャートを示す。
【図６６】ユーザーが欲するキーワードに関する情報を検索する際の、無線データ通信装置の中央演算処理部のデータ処理を示したフローチャートを示す。
【図６７】ユーザーが欲するキーワードに関する情報を検索する際の、ユーザー管理部の中央演算処理部のデータ処理を示したフローチャートを示す。
【図６８】ユーザーが欲するキーワードに関する情報を検索する際の、情報提供者管理部、無線データ通信装置、及び携帯端末の中の、中央演算処理部のデータ処理を示したフローチャートを示す。
【図６９】ユーザーが欲するキーワードに関する情報を検索する際の、ユーザー情報蓄積部の中央演算処理部のデータ処理を示したフローチャートを示す。
【図７０】ユーザーが携帯端末で受信した提供情報の中から自分の見たい情報を選択する際の、受信データ選択インターフェースに表示するまでのデータ処理のフローチャートを示す。
【図７１】ユーザーが受信データ選択インターフェースで選択した提供情報を表示する際の、受信データ表示インターフェースに表示するまでのデータ処理のフローチャートを示す。
【図７２】情報提供者が、システムにログインする際の、通信端末の中央演算処理部のフローチャートを示す。
【図７３】情報提供者が、システムにログインする際の、情報提供者管理部の中央演算処理部のフローチャートを示す。
【図７４】情報提供者が、ログインした後のの表示例を示す。
【図７５】情報提供者が、情報設定インターフェース選択インターフェースで、飲食情報設定インターフェース選択ボタンを選択した場合、通信端末の表示例を示す。
【図７６】情報提供者が、情報設定インターフェース選択インターフェースで、賃貸情報設定インターフェース選択ボタンを選択した場合、通信端末の表示例を示す。
【図７７】情報提供者が、情報設定インターフェース選択インターフェースで、求人情報設定インターフェース選択ボタンを選択した場合、通信端末の表示例を示す。
【図７８】情報提供者が、情報設定インターフェース選択インターフェースで、キーワード設定インターフェース選択ボタンを選択した場合、通信端末の表示例を示す。
【図７９】飲食情報を設定する情報提供者が提供する情報、及びターゲットとするユーザーの年齢、性別、情報を配信する時間帯、情報を配信する地理的範囲、飲食情報の設定例を示す。
【図８０】飲食情報を設定する情報提供者が無線データ通信装置を決定する際の、通信端末の中央演算処理部のデータ処理を示したフローチャートを示す。
【図８１】飲食情報を設定する情報提供者が無線データ通信装置を決定する際の、ユーザー情報蓄積部の中央演算処理部のデータ処理を示したフローチャートを示す。
【図８２】飲食情報を設定する情報提供者が無線データ通信装置を決定する際の、結果を通信端末に表示した際の表示例を示す。
【図８３】飲食情報を設定する情報提供者が無線データ通信装置を決定する際の、通信端末の中央演算処理部のデータ処理を示すフローチャートを示す。
【図８４】飲食情報を設定する情報提供者が無線データ通信装置を決定した際の、通信端末の中央演算処理部のデータ処理を示したフローチャートを示す。
【図８５】飲食情報を設定する情報提供者が無線データ通信装置を決定した際の、情報提供者管理部の中央演算処理部のデータ処理を示したフローチャートを示す。
【図８６】賃貸情報を設定する情報提供者が提供する情報、及びターゲットとするユーザーの年齢、性別、情報を配信する時間帯、情報を配信する地理的範囲、賃貸情報の設定例を示す。
【図８７】賃貸情報を設定する情報提供者が無線データ通信装置を決定する際の、通信端末の中央演算処理部のデータ処理を示したフローチャートを示す。
【図８８】賃貸情報を設定する情報提供者が無線データ通信装置を決定する際の、ユーザー情報蓄積部の中央演算処理部のデータ処理を示したフローチャートを示す。
【図８９】賃貸情報を設定する情報提供者が無線データ通信装置を決定する際の、結果を通信端末に表示した際の表示例を示す。
【図９０】賃貸情報を設定する情報提供者が無線データ通信装置を決定する際の、通信端末の中央演算処理部のデータ処理を示すフローチャートを示す。
【図９１】飲食情報を設定する情報提供者が無線データ通信装置を決定する際の、結果を通信端末に表示した際の表示例を示す。
【図９２】賃貸情報を設定する情報提供者が無線データ通信装置を決定した際の、通信端末の中央演算処理部のデータ処理を示したフローチャートを示す。
【図９３】賃貸情報を設定する情報提供者が無線データ通信装置を決定した際の、情報提供者管理部の中央演算処理部のデータ処理を示したフローチャートを示す。
【図９４】求人情報を設定する情報提供者が提供する情報、及びターゲットとするユーザーの年齢、性別、情報を配信する時間帯、情報を配信する地理的範囲、求人情報の設定例を示す。
【図９５】求人情報を設定する情報提供者が無線データ通信装置を決定する際の、通信端末の中央演算処理部のデータ処理を示したフローチャートを示す。
【図９６】求人情報を設定する情報提供者が無線データ通信装置を決定する際の、ユーザー情報蓄積部の中央演算処理部のデータ処理を示したフローチャートを示す。
【図９７】求人情報を設定する情報提供者が無線データ通信装置を決定する際の、結果を通信端末に表示した際の表示例を示す。
【図９８】求人情報を設定する情報提供者が無線データ通信装置を決定する際の、通信端末の中央演算処理部のデータ処理を示すフローチャートを示す。
【図９９】求人情報を設定する情報提供者が無線データ通信装置を決定した際の、通信端末の中央演算処理部のデータ処理を示したフローチャートを示す。
【図１００】求人情報を設定する情報提供者が無線データ通信装置を決定した際の、情報提供者管理部の中央演算処理部のデータ処理を示したフローチャートを示す。
【図１０１】キーワードを設定する情報提供者が提供する情報、及びターゲットとするユーザーの年齢、性別、情報を配信する時間帯、情報を配信する地理的範囲、キーワードの設定例を示す。
【図１０２】キーワードを設定する情報提供者が無線データ通信装置を決定する際の、通信端末の中央演算処理部のデータ処理を示したフローチャートを示す。
【図１０３】キーワードを設定する情報提供者が無線データ通信装置を決定する際の、ユーザー情報蓄積部の中央演算処理部のデータ処理を示したフローチャートを示す。
【図１０４】キーワードを設定する情報提供者が無線データ通信装置を決定する際の、結果を通信端末に表示した際の表示例を示す。
【図１０５】キーワードを設定する情報提供者が無線データ通信装置を決定する際の、通信端末の中央演算処理部のデータ処理を示すフローチャートを示す。
【図１０６】キーワードを設定する情報提供者が無線データ通信装置を決定した際の、通信端末の中央演算処理部のデータ処理を示したフローチャートを示す。
【図１０７】キーワードを設定する情報提供者が無線データ通信装置を決定した際の、情報提供者管理部の中央演算処理部のデータ処理を示したフローチャートを示す。
【符号の説明】
【０４５３】
１   携帯端末
２   通信端末
３   無線データ通信装置
４   ユーザー管理部
５   情報提供者管理部
６   ユーザー情報蓄積部
1a   ユーザーID保持部                           データ名：    MBUID
1b   ユーザーパスワード保持部                    データ名：    MBPSW
1c   ユーザー登録フォーム保持部                  データ名：    MBFRM
1d   ユーザー生年月日保持部                      データ名：    MBBRT
1e   時刻情報保持部                              データ名：    MBHOR
1f   ユーザー年齢保持部                          データ名：    MBAGE
1g   ユーザー性別保持部                          データ名：    MBSEX
1h   携帯端末識別番号保持部                      データ名：    MBID
1i   飲食情報検索インターフェース保持部          データ名：    MBFDI
1j   賃貸情報検索インターフェース保持部          データ名：    MBRNI
1k   求人情報検索インターフェース保持部          データ名：    MBPRI
1l   キーワード検索インターフェース保持部        データ名：    MBKYI
1m   検索データ保持部                            データ名：    MBTRN
1n   受信データ保持部                            データ名：    MBRCV
1o   受信データ選択インターフェース保持部        データ名：    MBRCS
1p   受信データ表示インターフェース保持部        データ名：    MBRCD
1q   中央演算処理部
1r   入力キー
1s   音声出力部
1t   表示部
1u   無線データ通信モジュール部
1v   電源供給部
1c1  ユーザー登録フォーム                        データ名：    MBFRM
1c2  氏名入力部                                  データ名：    MBFRMNM
1c3  生年月日入力部                              データ名：    MBFRMBR
1c4  性別入力部                                  データ名：    MBFRMSX
1c5  決定ボタン                                  データ名：    MBFRMBT
1i1  飲食情報検索インターフェース                データ名：    MBFOD
1i2  予算設定部                                  データ名：    MBFODBD
1i3  食事の業態設定部                            データ名：    MBFODTY
1i4  サービス設定部                              データ名：    MBFODOP
1i5  フリーワード設定部                          データ名：    MBFODFR
1i6  決定ボタン                                  データ名：    MBFODBT
1j1  賃貸情報検索インターフェース                データ名：    MBRNT
1j2  家賃設定部                                  データ名：    MBRNTRN
1j3  築年数設定部                                データ名：    MBRNTAG
1j4  建物種別設定部                              データ名：    MBRNTTY
1j5  間取り設定部                                データ名：    MBRNTLY
1j6  付属条件設定部                              データ名：    MBRNTOP
1j7  フリーワード設定部                          データ名：    MBRNTFR
1j8  決定ボタン                                  データ名：    MBRNTBT
1k1  求人情報検索インターフェース                データ名：    MBPRT
1k2  職種設定部                                  データ名：    MBPRTJB
1k3  雇用形態設定部                              データ名：    MBPRTJB
1k4  給与設定部                                  データ名：    MBPRTWG
1k5  勤務時間設定部                              データ名：    MBPRTWK
1k6  待遇設定部                                  データ名：    MBPRTOP
1k7  フリーワード設定部                          データ名：    MBPRTFR
1k8  決定ボタン                                  データ名：    MBPRTBT
1l1  キーワード検索インターフェース              データ名：    MBKYW
1l2  キーワード検索インターフェース設定部        データ名：    MBKYWKY
1l3  決定ボタン                                  データ名：    MBKYWBT
1o1  受信データ選択インターフェース              データ名：    MBKYW
1o2  受信時刻表示部                              データ名：    MBRCSHR
1o3  受信データ名表示部                          データ名：    MBRCSNM
1o4  受信データ属性表示部                        データ名：    MBRCSTY
1p1  受信データ表示インターフェース              データ名：    MBRCD
1p2  受信時刻表示部                              データ名：    MBRCDHR
1p3  受信データ属性表示部                        データ名：    MBRCDTY
1p4  受信データ名表示部                          データ名：    MBRCDNM
1p5  連絡先表示部                                データ名：    MBRCDAD
1p6  ホームページアドレス表示部                  データ名：    MBRCDHP
1p7  地図表示部                                  データ名：    MBRCDMP
1p8  写真表示部                                  データ名：    MBRCDPC
1p9  メッセージ表示部                            データ名：    MBRCDMS
3a   無線データ通信装置識別番号保持部            データ名：    DTID
3b   無線データ通信装置設置位置情報保持部        データ名：    DTGPS
3c   中央演算処理部
3d   無線データ通信装置通信モジュール部
3e   ネットワークインターフェース
3f   電源供給部
4a   ユーザーID・パスワード付与部                データ名：    UANPP
4b   ユーザー情報保持部                          データ名：    UAUID/UAPSW
4c   中央演算処理部
4d   ネットワークインターフェース
4e   電源
5a   情報提供者登録フォーム保持部                データ名：    PAFRI
5b   情報提供者名・パスワード付与部              データ名：    PANPP
5c   情報提供者ID・パスワード保持部              データ名：    PAPID/PAPSW
5d   情報提供者ID・パスワード入力インターフェース保持部    データ名：    PAIPI
5e   提供情報設定インターフェース保持部          データ名：    PATRI
5f   配信範囲設定インターフェース保持部          データ名：    PALCI
5g   配信時間帯設定インターフェース保持部        データ名：    PAHRI
5h   ユーザー条件設定インターフェース保持部      データ名：    PAUSI
5i   飲食情報設定インターフェース保持部          データ名：    PAFDI
5j   賃貸情報設定インターフェース保持部          データ名：    PARNI
5k   求人情報設定インターフェース保持部          データ名：    PAPRI
5l   キーワード設定インターフェース保持部        データ名：    PAKYI
5m   情報設定インターフェース選択インターフェース保持部    データ名：    PABTI
5n   無線データ通信装置検索結果表示インターフェース保持部    データ名：    PARSI
5o   参照データ保持部                            データ名：    PAINF
5p   中央演算処理部
5q   ネットワークインターフェース
5r   電源供給部
5a1  情報提供者登録フォーム                      データ名：    PAFRM
5a2  氏名入力部                                  データ名：    PAFRMNM
5a3  生年月日入力部                              データ名：    PAFRMBR
5a4  性別入力部                                  データ名：    PAFRMSX
5a5  決定ボタン                                  データ名：    PAFRMBT
5d1  情報提供者ID・パスワード入力インターフェース  データ名：    PAIPI
5d2  情報提供者ID入力部                         データ名：    PAPID
5d3  パスワード入力部                            データ名：    PAPSW
5d4  決定ボタン                                  データ名：    PAPBT
5e1  提供情報設定インターフェース
5e2  提供情報属性設定部
5e3  提供情報名設定部
5e4  連絡先設定部
5e5  ホームページアドレス設定部
5e6  地図設定部
5e7  写真設定部
5e8  メッセージ設定部
5f1  配信範囲設定インターフェース                データ名：    PALCI
5f2  住所設定部                                  データ名：    PALCT
5f3  地図設定部                                  データ名：    PALCT
5g1  配信時間帯設定インターフェース              データ名：    PAHOR
5g2  日付設定部                                  データ名：    PAHORDT
5g3  曜日設定部                                  データ名：    PAHORDY
5g4  時間帯設定部                                データ名：    PAHORHR
5h1  ユーザー条件設定インターフェース            データ名：    PAUAI
5h2  年齢設定部                                  データ名：    PAUSRAG
5h3  性別設定部                                  データ名：    PAUSRSX
5m1  情報設定インターフェース選択インターフェース  データ名：  PABTI
5m2  飲食情報設定インターフェース選択ボタン      データ名：    PABTIFD
5m3  賃貸情報設定インターフェース選択ボタン      データ名：    PABTIRN
5m4  求人情報設定インターフェース選択ボタン      データ名：    PABTIPR
5m5  キーワード選択インターフェース選択ボタン    データ名：    PABTIKY
5i1  飲食情報設定インターフェース                データ名：    PAFOD
5i2  予算設定部                                  データ名：    PAFODBD
5i3  食事の業態設定部                            データ名：    PAFODTY
5i4  サービス設定部                              データ名：    PAFODOP
5i5  フリーワード設定部                          データ名：    PAFODFR
5j1  賃貸情報設定インターフェース                データ名：    PARNT
5j2  家賃設定部                                  データ名：    PARNTRN
5j3  築年数設定部                                データ名：    PARNTAG
5j4  建物種別設定部                              データ名：    PARNTTY
5j5  間取り設定部                                データ名：    PARNTLY
5j6  付属条件設定部                              データ名：    PARNTOP
5j7  フリーワード設定部                          データ名：    PARNTFR
5k1  求人情報設定インターフェース                データ名：    PAPRT
5k2  職種設定部                                  データ名：    PAPRTJB
5k3  雇用形態設定部                              データ名：    PAPRTTY
5k4  給与設定部                                  データ名：    PAPRTWG
5k5  勤務時間設定部                              データ名：    PAPRTWK
5k6  待遇設定部                                  データ名：    PAPRTOP
5k7  フリーワード設定部                          データ名：    PAPRTFR
5l1  キーワード設定インターフェース              データ名：    PAKYW
5l2  キーワード設定部                            データ名：    PAKYWKY
5n1  無線データ通信装置検索結果表示インターフェース  データ名：    PARSI
5n2  ユーザー人数表示部                          データ名：    PARSINM
5n3  無線データ通信装置識別番号表示部            データ名：    PARSIID
5n4  無線データ通信装置設置位置表示部            データ名：    PARSIMP
5n5  実行ボタン                                  データ名：    PARSIEX
5n6  決定ボタン                                  データ名：    PARSISL
6a   ユーザー情報蓄積データ保持部                データ名：    DBUSR
6b   中央演算処理部
6c   ネットワークインターフェース
6d   電源供給部
【図１】
2007286708.tif 000003
【図２】
2007286708.tif 000004
【図３】
2007286708.tif 000005
【図４】
2007286708.tif 000006
【図５】
2007286708.tif 000007
【図６】
2007286708.tif 000008
【図７】
2007286708.tif 000009
【図８】
2007286708.tif 000010
【図９】
2007286708.tif 000011
【図１０】
2007286708.tif 000012
【図１１】
2007286708.tif 000013
【図１２】
2007286708.tif 000014
【図１３】
2007286708.tif 000015
【図１４】
2007286708.tif 000016
【図１５】
2007286708.tif 000017
【図１６】
2007286708.tif 000018
【図１７】
2007286708.tif 000019
【図１８】
2007286708.tif 000020
【図１９】
2007286708.tif 000021
【図２０】
2007286708.tif 000022
【図２１】
2007286708.tif 000023
【図２２】
2007286708.tif 000024
【図２３】
2007286708.tif 000025
【図２４】
2007286708.tif 000026
【図２５】
2007286708.tif 000027
【図２６】
2007286708.tif 000028
【図２７】
2007286708.tif 000029
【図２８】
2007286708.tif 000030
【図２９】
2007286708.tif 000031
【図３０】
2007286708.tif 000032
【図３１】
2007286708.tif 000033
【図３２】
2007286708.tif 000034
【図３３】
2007286708.tif 000035
【図３４】
2007286708.tif 000036
【図３５】
2007286708.tif 000037
【図３６】
2007286708.tif 000038
【図３７】
2007286708.tif 000039
【図３８】
2007286708.tif 000040
【図３９】
2007286708.tif 000041
【図４０】
2007286708.tif 000042
【図４１】
2007286708.tif 000043
【図４２】
2007286708.tif 000044
【図４３】
2007286708.tif 000045
【図４４】
2007286708.tif 000046
【図４５】
2007286708.tif 000047
【図４６】
2007286708.tif 000048
【図４７】
2007286708.tif 000049
【図４８】
2007286708.tif 000050
【図４９】
2007286708.tif 000051
【図５０】
2007286708.tif 000052
【図５１】
2007286708.tif 000053
【図５２】
2007286708.tif 000054
【図５３】
2007286708.tif 000055
【図５４】
2007286708.tif 000056
【図５５】
2007286708.tif 000057
【図５６】
2007286708.tif 000058
【図５７】
2007286708.tif 000059
【図５８】
2007286708.tif 000060
【図５９】
2007286708.tif 000061
【図６０】
2007286708.tif 000062
【図６１】
2007286708.tif 000063
【図６２】
2007286708.tif 000064
【図６３】
2007286708.tif 000065
【図６４】
2007286708.tif 000066
【図６５】
2007286708.tif 000067
【図６６】
2007286708.tif 000068
【図６７】
2007286708.tif 000069
【図６８】
2007286708.tif 000070
【図６９】
2007286708.tif 000071
【図７０】
2007286708.tif 000072
【図７１】
2007286708.tif 000073
【図７２】
2007286708.tif 000074
【図７３】
2007286708.tif 000075
【図７４】
2007286708.tif 000076
【図７５】
2007286708.tif 000077
【図７６】
2007286708.tif 000078
【図７７】
2007286708.tif 000079
【図７８】
2007286708.tif 000080
【図７９】
2007286708.tif 000081
【図８０】
2007286708.tif 000082
【図８１】
2007286708.tif 000083
【図８２】
2007286708.tif 000084
【図８３】
2007286708.tif 000085
【図８４】
2007286708.tif 000086
【図８５】
2007286708.tif 000087
【図８６】
2007286708.tif 000088
【図８７】
2007286708.tif 000089
【図８８】
2007286708.tif 000090
【図８９】
2007286708.tif 000091
【図９０】
2007286708.tif 000092
【図９１】
2007286708.tif 000093
【図９２】
2007286708.tif 000094
【図９３】
2007286708.tif 000095
【図９４】
2007286708.tif 000096
【図９５】
2007286708.tif 000097
【図９６】
2007286708.tif 000098
【図９７】
2007286708.tif 000099
【図９８】
2007286708.tif 000100
【図９９】
2007286708.tif 000101
【図１００】
2007286708.tif 000102
【図１０１】
2007286708.tif 000103
【図１０２】
2007286708.tif 000104
【図１０３】
2007286708.tif 000105
【図１０４】
2007286708.tif 000106
【図１０５】
2007286708.tif 000107
【図１０６】
2007286708.tif 000108
【図１０７】
2007286708.tif 000109